(57)【要約】  本発明は、昆虫に対して抵抗性を有する新規トウガラシ植物に関し、そして前記植物の種子および果実に関する。本発明はまた、かかる植物およびそれらの果実を生産および使用する方法に関する。本発明は、マーカー、ならびにマーカー支援育種における、および昆虫抵抗特性を同定するためのその使用にさらに関する。特に本発明は、アザミウマ科および／またはベミシア属の昆虫による被害に対して、しかし特にベミシア・タバシおよびフランクリニエラ・オシデンタリスによる被害に対して抵抗性を有する、特に中程度に抵抗性を有する、栽培されたカプシクム・アンナム植物を提供する。【特許請求の範囲】
【請求項１】
ベミシア（Ｂｅｍｉｓｉａ）および／またはアザミウマの被害に対して中程度に抵抗性を有し、前記抵抗性が標準的抵抗性アッセイにおいて評価され得る、栽培されたカプシクム・アンナム（Ｃａｐｓｉｃｕｍ  ａｎｎｕｕｍ）植物。
【請求項２】
ベミシア属の被害に対して中程度に抵抗性を有し、前記抵抗性が標準的な抵抗性アッセイ、特に実施例２Ａに記載されたアッセイで評価されることができ、そして同一の環境条件下、特に同一の昆虫圧下において統計的に有意な程度に同一のアッセイで評価されるとき、受入番号ＮＣＩＭＢ４１４２８で寄託されている代表的な種子である株０６１Ｍ４３８７のカプシクム・アンナム植物を用いて得られるスコアから、３スケール以下、特に２スケール以下、しかし特に１スケール以下逸脱している抵抗性スコアが得られる、請求項１に記載の栽培されたカプシクム・アンナム植物。
【請求項３】
アザミウマの被害、特にフランクリニエラ・オシデンタリス（Ｆｒａｎｋｌｉｎｉｅｌｌａ  ｏｃｃｉｄｅｎｔａｌｉｓ）の被害に対して中程度に抵抗性を有し、前記抵抗性が標準的な抵抗性アッセイ、特に実施例２Ｂにおいて記載されているアッセイにおいて評価されることができ、そして同一の環境条件下、特に同一の昆虫圧下において、統計的に有意な程度に同一のアッセイで評価されるとき、受入番号ＮＣＩＭＢ４１４２８で寄託されている代表的な種子である株０６１Ｍ４３８７のカプシクム・アンナム植物を用いて得られるスコアから、２スケール以下、特に１スケール以下、しかし特に０．５スケール以下逸脱した抵抗性スコアが得られる、請求項１に記載の栽培されたカプシクム・アンナム植物。
【請求項４】
ベミシア抵抗性に寄与し、第３番染色体上に位置する、少なくとも一つの「ＱＴＬ」を含むゲノムを含む、請求項１または２に記載の栽培されたカプシクム・アンナム植物。
【請求項５】
ベミシア抵抗性に寄与し、第５番染色体上に位置する、少なくとも一つの「ＱＴＬ」を含むゲノムを含む、請求項１または２に記載の栽培されたカプシクム・アンナム植物。
【請求項６】
ベミシア抵抗性に寄与し、第３番および第５番染色体上の各々に位置する量的形質遺伝子座（「ＱＴＬ」）を含むゲノムを含む、請求項４に記載の栽培されたカプシクム・アンナム植物。
【請求項７】
アザミウマ抵抗性に寄与し、第５番染色体上に位置する、少なくとも一つの「ＱＴＬ」を含むゲノムを含む、請求項１または３に記載の栽培されたカプシクム・アンナム植物。
【請求項８】
ベミシアおよびアザミウマ抵抗性に寄与する量的形質遺伝子座（「ＱＴＬ」）を含むゲノムを含み、前記ベミシア抵抗性に寄与するＱＴＬが、第３番および／または第５番染色体上の各々に位置し、そして前記アザミウマ抵抗性に寄与するＱＴＬが、第５番染色体上に位置する、請求項１〜７のいずれか一項に記載の栽培されたカプシクム・アンナム植物。
【請求項９】
前記ＱＴＬが、第３番および／または第５番染色体上に位置し、そして受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的構造を有する植物から、しかし特に株０６１Ｍ４３８７の植物から、または前記ＱＴＬを含むその子孫もしくは先祖から得られる、請求項１〜８のいずれか一項に記載の栽培されたカプシクム・アンナム植物。
【請求項１０】
ベミシア抵抗性に寄与する少なくとも１つの量的形質遺伝子座（「ＱＴＬ」）を含むゲノムを含み、前記ＱＴＬが、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景または構造を有する植物から、しかし特に株０６１Ｍ４３８７の植物から、または前記ＱＴＬを含むその子孫もしくは先祖から得られ、前記ドナー植物におけるＱＴＬが、少なくとも１つのマーカー遺伝子座と、特に少なくとも２つのマーカー遺伝子座と、より特に少なくとも３つのマーカー遺伝子座と、そしてさらにより特に少なくとも４つのマーカー遺伝子座と、しかし特に少なくとも５つの、ならびに６つ以下のマーカー遺伝子座と遺伝的に連鎖され、前記マーカー遺伝子座は第３番染色体上に存在し、そして前記ベミシア抵抗性形質と共に分離され、そして一つのＰＣＲオリゴヌクレオチドプライマー、または配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される一対のＰＣＲオリゴヌクレオチドプライマーによって同定され得る、請求項４〜６のいずれか一項に記載の栽培されたカプシクム・アンナム植物。
【請求項１１】
ベミシア抵抗性に寄与する少なくとも１つの量的形質遺伝子座（「ＱＴＬ」）を含むゲノムを含み、前記ＱＴＬが、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景または構造を有する植物から、しかし特に株０６１Ｍ４３８７の植物から、または前記ＱＴＬを含むその子孫もしくは先祖から得られ、前記ドナー植物におけるＱＴＬが、少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座と、ならびに７つ以下のマーカー遺伝子座と遺伝的に連鎖され、前記マーカー遺伝子座は、第５番染色体上に存在し、そして前記ベミシア抵抗性形質と共に分離され、そして一つのＰＣＲオリゴヌクレオチドプライマー、または配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される一対のＰＣＲオリゴヌクレオチドプライマーによって同定され得る、請求項４〜６および１０のいずれか一項に記載の栽培されたカプシクム・アンナム植物。
【請求項１２】
ベミシア抵抗性に寄与する少なくとも２つの量的形質遺伝子座（「ＱＴＬ」）を含むゲノムを含み、前記ＱＴＬが、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景または構造を有する植物から、しかし特に株０６１Ｍ４３８７の植物から、または前記ＱＴＬを含むその子孫もしくは先祖から得られ、第一の前記ＱＴＬは、ドナー植物中の第３番染色体上に位置し、そして少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座と遺伝的に連鎖され、前記マーカー遺伝子座は第３番染色体上に存在し、そして前記ベミシア抵抗性形質と共に分離され、そして一つのＰＣＲオリゴヌクレオチドプライマー、または配列番号１〜１２で示される一対のＰＣＲオリゴヌクレオチドプライマー１〜６によって同定されることができ、そして第二の前記ＱＴＬは、ドナー植物中の第５番染色体上に位置し、および少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座と、ならびに７つ以下のマーカー遺伝子座と遺伝的に連鎖され、前記マーカー遺伝子座は、第５番染色体上に存在し、そして前記ベミシア抵抗性形質と共に分離され、そして配列番号１３〜２６で示されるプライマー対７〜１３の群から選択される一対のＰＣＲオリゴヌクレオチドプライマーによって同定されることができる、請求項６に記載の栽培されたカプシクム・アンナム植物。
【請求項１３】
アザミウマ抵抗性に寄与する少なくとも１つの量的形質遺伝子座（「ＱＴＬ」）を含むゲノムを含み、前記ＱＴＬが、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景または構造を有する植物から、しかし特に株０６１Ｍ４３８７の植物から、または前記ＱＴＬを含むその子孫もしくは先祖から得られ、前記ドナー植物中のＱＴＬは、少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座と、ならびに７つ以下のマーカー遺伝子座と遺伝的に連鎖され、前記マーカー遺伝子座は第５番染色体上に存在し、そしてアザミウマ抵抗性形質と共に分離され、そして一つのＰＣＲオリゴヌクレオチドプライマー、または配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される一対のＰＣＲオリゴヌクレオチドプライマーによって同定され得る、請求項７または８に記載の栽培されたカプシクム・アンナム植物。
【請求項１４】
ベミシアおよびアザミウマの被害に対して抵抗性、特に中程度に抵抗性を有し、ベミシア抵抗性に寄与する少なくとも１つの量的形質遺伝子座（「ＱＴＬ」）、およびアザミウマ抵抗性に寄与する少なくとも１つの量的形質遺伝子座（「ＱＴＬ」）を含むゲノムを含み、前記ＱＴＬが、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景または構造を有する植物から、しかし特に株０６１Ｍ４３８７の植物から、または前記ＱＴＬを含むその子孫もしくは先祖から得られ、
ａ）ベミシア抵抗性を制御する前記ＱＴＬは、前記ドナー植物において、
i．少なくとも１つのマーカー遺伝子座と、特に少なくとも２つのマーカー遺伝子座と、より特に少なくとも３つのマーカー遺伝子座と、そしてさらにより特に少なくとも４つのマーカー遺伝子座と、しかし特に少なくとも５つおよび６つ以下のマーカー遺伝子座と遺伝的に連鎖され、前記マーカー遺伝子座は、第３番染色体上に存在し、そして前記ベミシア抵抗性形質と共に分離され、そして一つのＰＣＲオリゴヌクレオチドプライマー、または配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される一対のＰＣＲオリゴヌクレオチドプライマーによって同定されることができ；および／または、
ii．少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座、ならびに７つ以下のマーカー遺伝子座と遺伝的に連鎖され、前記マーカー遺伝子座は、第５番染色体上に存在し、そして前記アザミウマ抵抗性形質と共に分離され、そして一つのＰＣＲオリゴヌクレオチドプライマー、または配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、一対のＰＣＲオリゴヌクレオチドプライマーによって同定されることができ；そして
ｂ）アザミウマ抵抗性を制御する前記ＱＴＬは、少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座、ならびに７つ以下のマーカー遺伝子座と遺伝的に連鎖され、前記マーカー遺伝子座は、第５番染色体上に存在し、そして前記アザミウマ抵抗性形質と共に分離され、そして一つのＰＣＲオリゴヌクレオチドプライマー、または配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、一対のＰＣＲオリゴヌクレオチドプライマーによって同定されることができる、請求項８に記載の栽培されたカプシクム・アンナム植物。
【請求項１５】
プライマー対１〜６を表す順方向および逆方向プライマーが、配列番号１〜１２で示されるヌクレオチド配列と少なくとも９０％、特に少なくとも９５％、特に少なくとも９８％、より特に少なくとも９９％同一であるヌクレオチド配列を示す、請求項１０、１２および１４のいずれか一項に記載の栽培されたカプシクム・アンナム植物。
【請求項１６】
プライマー対７〜１３を表す順方向および逆方向プライマーが、配列番号１３〜２６で示されるヌクレオチド配列と少なくとも９０％、特に少なくとも９５％、特に少なくとも９８％、より特に少なくとも９９％同一であるヌクレオチド配列を示す、請求項１１〜１４のいずれか一項に記載の栽培されたカプシクム・アンナム植物。
【請求項１７】
ベミシアに対する抵抗性に関連する、前記量的形質遺伝子座（「ＱＴＬ」）おける対立遺伝子を含み、前記対立遺伝子が、前記ＱＴＬと連鎖した少なくとも一つの前記マーカー遺伝子座における、少なくとも一つのマーカー対立遺伝子によって定義され、前記マーカー対立遺伝子が、各々のオリゴヌクレオチドプライマーまたはプライマー対のＰＣＲ増幅産物によって特徴付けられる、請求項１０〜１２および１４のいずれか一項に記載の栽培されたカプシクム・アンナム植物。
【請求項１８】
アザミウマ抵抗性に関連する、前記量的形質遺伝子座（「ＱＴＬ」）における対立遺伝子を含み、前記対立遺伝子が、前記ＱＴＬと連鎖した少なくとも一つの前記マーカー遺伝子座における、少なくとも１つのマーカー対立遺伝子によって定義され、前記マーカー対立遺伝子が、各々のオリゴヌクレオチドプライマーまたはプライマー対のＰＣＲ増幅産物によって特徴付けられる、請求項１３または１４に記載の栽培されたカプシクム・アンナム植物。
【請求項１９】
ベミシアに対する抵抗性に関与する、前記量的形質遺伝子座（「ＱＴＬ」）における対立遺伝子を含み、前記対立遺伝子が、少なくとも１つのマーカー遺伝子座、特に第３番染色体上のマーカー遺伝子座と遺伝的に連鎖され、そして前記対立遺伝子が、前記ＱＴＬと連鎖した少なくとも１つの前記マーカー遺伝子座における、少なくとも一つのマーカー対立遺伝子によって定義され、前記マーカー対立遺伝子は、配列番号１〜１２の順方向および逆方向プライマーによって表されるプライマー対１〜６の群から選択されるオリゴヌクレオチドプライマー対のＰＣＲ増幅産物によって特徴付けられ、前記増幅産物は、前記プライマー対１〜６から得られる同一のプライマーを用いたＰＣＲ反応において、近交系０６１Ｍ４３８７（ＮＣＩＭＢ４１４２８）から得られる増幅産物に相当する、請求項１７に記載の植物。
【請求項２０】
ベミシアに対する抵抗性に関与する、前記量的形質遺伝子座（「ＱＴＬ」）における対立遺伝子を含み、前記対立遺伝子が、少なくとも１つのマーカー遺伝子座、特に第５番染色体上のマーカー遺伝子座と遺伝的に連鎖され、そして前記対立遺伝子が、前記ＱＴＬと連鎖した少なくとも１つの前記マーカー遺伝子座における、少なくとも一つのマーカー対立遺伝子によって定義され、前記マーカー対立遺伝子は、配列番号１３〜２６の順方向および逆方向プライマーによって表されるプライマー対７〜１３の群から選択されるオリゴヌクレオチドプライマー対のＰＣＲ増幅産物によって特徴付けられ、前記増幅産物は、前記プライマー対７〜１３から得られる同一のプライマーを用いたＰＣＲ反応において、近交系０６１Ｍ４３８７（ＮＣＩＭＢ４１４２８）から得られる増幅産物に相当する、請求項１７に記載の植物。
【請求項２１】
アザミウマ抵抗性に関与する、前記量的形質遺伝子座（「ＱＴＬ」）における対立遺伝子を含み、前記対立遺伝子が、少なくとも１つのマーカー遺伝子座、特に第５番染色体上のマーカー遺伝子座と遺伝的に連鎖され、そして前記対立遺伝子が、前記ＱＴＬと連鎖した少なくとも１つの前記マーカー遺伝子座における、少なくとも一つのマーカー対立遺伝子によって定義され、前記マーカー対立遺伝子は、配列番号１３〜２６の順方向および逆方向プライマーによって表されるプライマー対７〜１３の群から選択されるオリゴヌクレオチドプライマー対のＰＣＲ増幅産物によって特徴付けられ、前記増幅産物は、前記プライマー対７〜１３から得られる同一のプライマーを用いたＰＣＲ反応において、近交系０６１Ｍ４３８７（ＮＣＩＭＢ４１４２８）から得られる増幅産物に相当する、請求項１８に記載の植物。
【請求項２２】
ｃ遺伝子座またはｐｕｎ１対立遺伝子に関してホモ接合型である、請求項１〜２１のいずれか一項に記載の植物。
【請求項２３】
標準的な手法に従って栽培される時、成熟時において２ｇ超であり、または１ｃｍよりも長く、および０．５ｃｍ超の直径を有する果実を生産する、請求項１〜２２のいずれか一項に記載の植物。
【請求項２４】
アマトウガラシ植物、ピーマン、大きい矩形状のトウガラシ、円錐形状のトウガラシ、長い円錐形状のトウガラシ、または塊状のトウガラシである、請求項１〜２３のいずれか一項に記載の植物。
【請求項２５】
成熟した果実が常緑色、黄色、橙色、アイボリー色、または赤色である、請求項２３または２４に記載の植物。
【請求項２６】
近交系、二ゲノム性半数体または雑種である、請求項１〜２５のいずれか一項に記載の植物。
【請求項２７】
雄性不稔である、請求項１〜２６のいずれか一項に記載の植物。
【請求項２８】
ベミシアに対する抵抗性に関与する前記対立遺伝子または複数の前記対立遺伝子が、受入番号ＮＣＩＭＢ４１４２８で寄託されている代表的な種子である株０６１Ｍ４３８７から、または前記好適な対立遺伝子を含むその子孫もしくは先祖から得られる、請求項１〜２７のいずれか一項に記載の植物。
【請求項２９】
アザミウマに対する抵抗性に関与する前記対立遺伝子が、受入番号ＮＣＩＭＢ４１４２８で寄託されている代表的な種子である株０６１Ｍ４３８７から、または前記好適な対立遺伝子を含むその子孫もしくは先祖から得られる、請求項１〜２８のいずれか一項に記載の植物。
【請求項３０】
請求項１〜２９のいずれか一項に記載の植物の種子。
【請求項３１】
請求項１〜３０のいずれか一項に記載の植物から得られる植物材料。
【請求項３２】
請求項１〜３１のいずれか一項に記載の植物の、植物の部分。
【請求項３３】
請求項１〜３２のいずれか一項に記載の植物の果実。
【請求項３４】
ベミシアに対する抵抗性に寄与する量的形質遺伝子座（「ＱＴＬ」）において、ベミシアに対する抵抗性に関与する少なくとも一つの対立遺伝子を、前記対立遺伝子を欠如しているカプシクム・アンナム植物へ導入するための方法であって、以下のステップ：
ａ）請求項１〜２９、請求項３１および３２のいずれか一項に記載の、第一のカプシクム・アンナム植物を獲得し、
ｂ）前記第一のカプシクム・アンナム植物を、前記核酸を欠如している第二のカプシクム・アンナム植物と交配し；ならびに
ｃ）ベミシアに対する抵抗性の増加を示し、および前記ベミシア抵抗性と共に分離する少なくとも一つのマーカー対立遺伝子を含む、前記交配から生じる植物を同定すること
を含む、前記方法。
【請求項３５】
前記ベミシア抵抗性と共に分離する、前記少なくとも一つのマーカー対立遺伝子が、
ａ）一つのオリゴヌクレオチドプライマー、または配列番号１〜１２の順方向および逆方向プライマーの組み合わせから生じるプライマー対を含む、配列番号１〜１２の順方向および逆方向プライマーによって表されるプライマー対１〜６の群から選択されるプライマー対；またはベミシア抵抗性形質と統計的に相関のある、第３番染色体上のマーカー遺伝子座を同定する任意の他のプライマーもしくはプライマー対のＰＣＲ増幅産物によって；あるいは、および／または
ｂ）配列番号１３〜２６の順方向および逆方向プライマーの組み合わせから生じるプライマー対を含む、配列番号１３〜２６の順方向および逆方向プライマーによって表されるプライマー対７〜１３の群から選択されるオリゴヌクレオチドプライマー対；またはベミシア抵抗性形質と統計的に相関のある、第５番染色体上のマーカー遺伝子座を同定する任意の他のプライマーもしくはプライマー対のＰＣＲ増幅産物によって特徴付けられる、請求項３４に記載の方法。
【請求項３６】
アザミウマに対する抵抗性に寄与する量的形質遺伝子座（「ＱＴＬ」）における、少なくとも一つの対立遺伝子を、前記対立遺伝子を欠如しているカプシクム・アンナム植物へ導入するための方法であって、以下のステップ：
ａ）第一のカプシクム属の植物、特に請求項１〜３５のいずれか一項に記載のカプシクム・アンナム植物を獲得し、
ｂ）前記第一のカプシクム属の植物、特にカプシクム・アンナム植物を、前記核酸を欠如している第二のカプシクム・アンナム植物と交配し；ならびに
ｃ）アザミウマに対する抵抗性の増加を示し、および前記アザミウマ抵抗性と共に分離する少なくとも一つのマーカー対立遺伝子を含む、前記交配から生じる植物を同定すること
を含む、前記方法。
【請求項３７】
前記アザミウマ抵抗性と共に分離する、前記少なくとも一つのマーカー対立遺伝子が、一つのオリゴヌクレオチドプライマー、または配列番号１３〜２６の順方向および逆方向プライマーの組み合わせから生じるプライマー対を含む、配列番号１３〜２６の順方向および逆方向プライマーによって表されるプライマー対７〜１３の群から選択されるプライマー対、またはアザミウマ抵抗性形質と統計的に相関のある、第５番染色体上のマーカー遺伝子座を同定する任意の他のプライマーもしくはプライマー対のＰＣＲ増幅産物によって特徴付けられる、請求項３６に記載の方法。
【請求項３８】
ベミシアに対する抵抗性に寄与する量的形質遺伝子座（「ＱＴＬ」）における少なくとも一つの第一の対立遺伝子、およびアザミウマに対する抵抗性に寄与する量的形質遺伝子座（「ＱＴＬ」）における少なくとも一つの第二の対立遺伝子を、前記対立遺伝子を欠如しているカプシクム・アンナム植物へ導入するための方法であって、以下のステップ：
ａ）第一のカプシクム属の植物、特にベミシアに対する抵抗性に寄与する量的形質遺伝子座（「ＱＴＬ」）における第一の対立遺伝子、およびアザミウマに対する抵抗性に寄与する量的形質遺伝子座（「ＱＴＬ」）における少なくとも一つの第二の対立遺伝子を含む、請求項１〜３７のいずれか一項に記載のカプシクム・アンナム植物を獲得し、
ｂ）前記第一のカプシクム属の植物、特にカプシクム・アンナム植物を、前記核酸を欠如している第二のカプシクム・アンナム植物と交配し；ならびに
ｃ）ベミシアおよびアザミウマに対する抵抗性の増加を示し、ならびに前記ベミシアおよびアザミウマ抵抗性と共に分離する少なくとも２つのマーカー対立遺伝子を含む、前記交配から生じる植物を同定すること
を含む、前記方法。
【請求項３９】
ａ）前記ベミシア抵抗性と共に分離する少なくとも１つのマーカー対立遺伝子が、
i．一つのオリゴヌクレオチドプライマー、または配列番号１〜１２の順方向および逆方向プライマーの組み合わせから生じるプライマー対を含む、配列番号１〜１２の順方向および逆方向プライマーによって表されるプライマー対１〜６の群から選択されるプライマー対；またはベミシア抵抗性形質と統計的に相関のある、第３番染色体上のマーカー遺伝子座を同定する任意の他のプライマーもしくはプライマー対のＰＣＲ増幅産物によって；および／または、
ii．一つのオリゴヌクレオチドプライマー、または配列番号１３〜２６の順方向および逆方向プライマーの組み合わせから生じるプライマー対を含む、配列番号１３〜２６の順方向および逆方向プライマーによって表されるプライマー対７〜１３の群から選択されるプライマー対；またはベミシア抵抗性形質と統計的に相関のある、第５番染色体上のマーカー遺伝子座を同定する任意の他のプライマーもしくはプライマー対のＰＣＲ増幅産物によって特徴付けられ；そして、
ｂ）前記アザミウマ抵抗性と共に分離する少なくとも一つのマーカー対立遺伝子が、一つのオリゴヌクレオチドプライマー、または配列番号１３〜２６の順方向および逆方向プライマーの組み合わせから生じるプライマー対を含む、配列番号１３〜２６の順方向および逆方向プライマーによって表されるプライマー対７〜１３の群から選択されるプライマー対、またはアザミウマ抵抗性形質と統計的に相関のある、第５番染色体上のマーカー遺伝子座を同定する任意の他のプライマーもしくはプライマー対のＰＣＲ増幅産物によって特徴付けられる、請求項３８に記載の方法。
【請求項４０】
前記マーカー対立遺伝子が組み換えられ、したがって前記子孫の植物のゲノム中にもはや存在しない、請求項３５、３７、および３９のいずれか一項に記載の方法。
【請求項４１】
ステップｃ）において同定されるカプシクム・アンナム植物を選択することをさらに含む、請求項３４〜４０のいずれか一項に記載の方法。
【請求項４２】
前記第一のカプシクム・アンナム植物が、受入番号ＮＣＩＭＢ４１４２８で寄託されている代表的な種子である株０６１Ｍ４３８７株０６１Ｍ４３８７のＱＴＬにおいて遺伝的構造を有する植物であるか、またはその子孫である、請求項１〜４１のいずれか一項に記載の方法。
【請求項４３】
前記第一のカプシクム・アンナム植物が、受入番号ＮＣＩＭＢ４１４２８で寄託されている代表的な種子である株０６１Ｍ４３８７株０６１Ｍ４３８７の植物であるか、またはその子孫である、請求項１〜４２のいずれか一項に記載の方法。
【請求項４４】
前記好ましい対立遺伝子を欠如するカプシクム・アンナム植物において、ベミシアに対する抵抗性を付与するための、受入番号ＮＣＩＭＢ４１４２８で寄託されている代表的な種子である株０６１Ｍ４３８７株０６１Ｍ４３８７から得られる、ベミシア抵抗性に関与する対立遺伝子の使用。
【請求項４５】
前記好ましい対立遺伝子を欠如するカプシクム・アンナム植物において、アザミウマに対する抵抗性を付与するための、受入番号ＮＣＩＭＢ４１４２８で寄託されている代表的な種子である株０６１Ｍ４３８７株０６１Ｍ４３８７から得られる、アザミウマ抵抗性に関与する対立遺伝子の使用。
【請求項４６】
請求項３４、３５および３８〜４０のいずれか一項に記載の方法によって得られる、ベミシアに対して抵抗性を有するカプシクム・アンナム植物。
【請求項４７】
請求項３６〜４０のいずれか一項に記載の方法によって得られる、アザミウマに対して抵抗性を有するカプシクム・アンナム植物。
【請求項４８】
請求項３８〜４０のいずれか一項に記載の方法によって得られる、ベミシアに対して、およびアザミウマに対して抵抗性を有するカプシクム・アンナム植物。
【請求項４９】
以下のステップ：
ａ）請求項１〜４８のいずれか一項に記載の植物を栽培し；
ｂ）前記植物に果実を実らせ；および
ｃ）前記植物の果実を収穫すること
を含む、トウガラシの果実を生産する方法。
【請求項５０】
以下のステップ：
ａ）請求項１〜４９のいずれか一項に記載のカプシクム・アンナム植物を栽培し；
ｂ）前記植物の果実を収穫し；および
ｃ）前記果実から種子を採取すること
を含む、トウガラシの種子を生産する方法。
【請求項５１】
ベミシアに対する抵抗性を示すトウガラシ植物を生産する方法であって、前記植物が、第３番染色体に位置する、ベミシア抵抗性に寄与する量的形質遺伝子座（「ＱＴＬ」）において；特に受入番号ＮＣＩＭＢ４１４２８で寄託されている代表的な種子である株０６１Ｍ４３８７のカプシクム・アンナム由来のＱＴＬ、または前記ＱＴＬを含むその子孫もしくは先祖由来のＱＴＬにおいて、ベミシアに対する抵抗性に関与する対立遺伝子を含み、以下のステップ：
ａ）ベミシアに対する感受性を有するレシピエントのトウガラシ植物、またはベシミアの被害に対する抵抗性を付与するＱＴＬ対立遺伝子を含まない植物を提供し；
ｂ）第３番染色体上および／または第５番染色体上にある抵抗性ＱＴＬ対立遺伝子の存在により、ベミシアの被害に対して抵抗性を示すドナーのトウガラシ植物を提供し；
ｃ）好ましいＱＴＬ対立遺伝子の存在に関して分離する子孫の植物を生産するために、レシピエントとドナー植物とを交配し；
ｄ）第３番染色体および／または第５番染色体上のＱＴＬの領域における組み換えに関して、前記子孫の植物のゲノムをスクリーニングすること
を含む、前記方法。
【請求項５２】
アザミウマに対する抵抗性を示すトウガラシ植物を生産する方法であって、前記植物が、第５番染色体に位置する、アザミウマ抵抗性に寄与する量的形質遺伝子座（「ＱＴＬ」）において；特に受入番号ＮＣＩＭＢ４１４２８で寄託されている代表的な種子である、カプシクム・アンナムの株０６１Ｍ４３８７由来のＱＴＬ、または前記ＱＴＬを含むその子孫もしくは先祖由来のＱＴＬにおいて、アザミウマに対する抵抗性に関与する対立遺伝子を含み、以下のステップ：
ａ）アザミウマに対する感受性を有するレシピエントのトウガラシ植物、またはアザミウマの被害に対する抵抗性を付与するＱＴＬ対立遺伝子を含まない植物を提供し；
ｂ）第５番染色体上にある抵抗性ＱＴＬ対立遺伝子の存在により、アザミウマの被害に対して抵抗性を示すドナーのトウガラシ植物を提供し；
ｃ）好ましいＱＴＬ対立遺伝子の存在に関して分離する子孫の植物を生産するために、レシピエントとドナー植物とを交配し；
ｄ）第５番染色体上のＱＴＬの領域における組み換えに関して、前記子孫の植物のゲノムをスクリーニングすること
を含む、前記方法。
【請求項５３】
第３番染色体上に位置する、ベミシア抵抗性に寄与する量的形質遺伝子座（「ＱＴＬ」）において、ベミシアに対する抵抗性に関与する対立遺伝子を、ならびに第５番染色体上に位置する、アザミウマ抵抗性に寄与する量的形質遺伝子座（「ＱＴＬ」）において、アザミウマに対する抵抗性に関与する対立遺伝子を含み；それぞれの前記ＱＴＬが、受入番号ＮＣＩＭＢ４１４２８で寄託されている代表的な種子である、カプシクム・アンナムの株０６１Ｍ４３８７由来の、あるいは前記ＱＴＬを含むその子孫または先祖由来である、ベミシアおよびアザミウマに対して抵抗性を示すトウガラシ植物を生産する方法であって；以下のステップ：
ａ）ベミシアおよび／またはアザミウマに対する感受性を有するレシピエントのトウガラシ植物、またはベシミアおよびアザミウマの被害に対する抵抗性を付与するＱＴＬ対立遺伝子を含まない植物を提供し；
ｂ）第３番染色体上および第５番染色体上のそれぞれに存在する抵抗性ＱＴＬ対立遺伝子の存在により、ベミシアおよびアザミウマの被害に対する抵抗性を示すドナーのトウガラシ植物を提供し；
ｃ）好ましいＱＴＬ対立遺伝子の存在に関して分離する子孫の植物を生産するために、前記レシピエントと前記ドナー植物とを交配し；
ｄ）第３番染色体および／または第５番染色体上の前記ＱＴＬの領域における組み換えに関して、前記子孫の植物のゲノムをスクリーニングすること
を含む、前記方法。
【請求項５４】
前記ゲノムのスクリーニングが、第３番染色体および／または第５番染色体のそれぞれと遺伝的に連鎖した分子マーカーを使用して行われる、請求項５１〜５３のいずれか一項に記載の方法。
【請求項５５】
前記ゲノムのスクリーニングが、一つのＰＣＲオリゴヌクレオチドプライマー、または配列番号１〜１２の順方向および逆方向プライマーによって表されるプライマー対１〜６の群から選択される一対のＰＣＲオリゴヌクレオチドプライマー；またはベミシア抵抗性形質と統計的に相関のある、第３番染色体上のマーカー遺伝子座を同定する任意の他のプライマーもしくはプライマー対のＰＣＲ増幅産物によって特徴付けられる、少なくとも一つのマーカーと遺伝的に連鎖した分子マーカーを使用して行われる、請求項５１または５３に記載の方法。
【請求項５６】
前記ゲノムのスクリーニングが、一つのＰＣＲオリゴヌクレオチドプライマー、または配列番号１３〜２６の順方向および逆方向プライマーによって表されるプライマー対７〜１３の群から選択される一対のＰＣＲオリゴヌクレオチドプライマー；またはアザミウマおよび／またはベミシア抵抗性形質と統計的に相関のある、第５番染色体上のマーカー遺伝子座を同定する任意の他のプライマーもしくはプライマー対のＰＣＲ増幅産物によって特徴付けられる少なくとも一つのマーカーと遺伝的に連鎖した分子マーカーを使用して行われる、請求項５１または５３に記載の方法。
【請求項５７】
前記ＱＴＬにおいて、ベミシアに対する抵抗性をなお付与する減少したゲノム断片を含む子孫の植物であって、前記ドナー植物におけるＱＴＬと連鎖した少なくとも一つのマーカー遺伝子座において、一つのＰＣＲオリゴヌクレオチドプライマー、または配列番号１〜１２の順方向および逆方向プライマーによって示されるプライマー対１〜６の群から選択されるオリゴヌクレオチドプライマー対のＰＣＲ増幅産物によって特徴付けられる、少なくとも一つのマーカー対立遺伝子との連鎖が断たれている、前記植物が同定および選択される、請求項５１〜５３のいずれか一項に記載の方法。
【請求項５８】
前記ＱＴＬにおいて、アザミウマに対する抵抗性をなお付与する減少したゲノム断片を含む子孫の植物であって、前記ドナー植物におけるＱＴＬと連鎖した少なくとも一つのマーカー遺伝子座において、一つのＰＣＲオリゴヌクレオチドプライマー、または配列番号１３〜２６の順方向および逆方向プライマーによって示されるプライマー対７〜１３の群から選択されるオリゴヌクレオチドプライマー対のＰＣＲ増幅産物によって特徴付けられる、少なくとも一つのマーカー対立遺伝子との連鎖が断たれている、前記植物が同定および選択される、請求項５１〜５３のいずれか一項に記載の方法。
【請求項５９】
前記ＱＴＬにおいて、ベミシアおよび／またはアザミウマに対する抵抗性をなお付与する減少したゲノム断片を含む子孫の植物であって、全てのマーカー対立遺伝子との連鎖が断たれている前記植物が同定および選択される、請求項５７または５８に記載の方法。
【請求項６０】
前記ＱＴＬにおいてベミシアおよび／またはアザミウマに対する抵抗性をなお付与するゲノム断片を含む植物が、マーカー型スクリーニングによって、または抵抗性アッセイを行なうことによって、または両方の組み合わせによって、特に、前記マーカーが同一群において分離していることを条件として、ＱＴＬ領域中に位置し、および少なくとも一つのマーカー遺伝子座と遺伝的に連鎖されたマーカーが使用されるマーカー型スクリーニングによって同定される、請求項５１〜５９のいずれか一項に記載の方法。
【請求項６１】
前記子孫の植物が、前記ステップｃ）における交配から得られるＦ１植物の自家受粉によって、または前記交配から得られるＦ１植物を別のトウガラシ植物と交配することによって生産される分離集団の植物である、請求項１〜６０のいずれか一項に記載の方法。
【請求項６２】
カプシクム・アンナム植物における、ベミシア抵抗性に寄与する量的形質遺伝子座（「ＱＴＬ」）を同定する方法であって、
ａ）一つのＰＣＲオリゴヌクレオチドプライマー、または配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される一対のＰＣＲオリゴヌクレオチドプライマー；またはベミシア抵抗性形質と統計的に相関のある、第３番染色体上のマーカー遺伝子座を同定する任意の他のプライマーもしくはプライマー対；および／または、
ｂ）一つのＰＣＲオリゴヌクレオチドプライマー、または配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される一対のＰＣＲオリゴヌクレオチドプライマー；あるいはベミシア抵抗性形質と統計的に相関のある、第５番染色体上のマーカー遺伝子座を同定する任意の他のプライマーまたはプライマー対
をＰＣＲ反応において使用することを含む、前記方法。
【請求項６３】
カプシクム・アンナム植物における、アザミウマ抵抗性に寄与する量的形質遺伝子座（「ＱＴＬ」）を同定する方法であって、一つのＰＣＲオリゴヌクレオチドプライマー、または配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される一対のＰＣＲオリゴヌクレオチドプライマー、またはアザミウマ抵抗性形質と統計的に相関のある、第５番染色体上のマーカー遺伝子座を同定する任意の他のプライマーもしくはプライマー対をＰＣＲ反応において使用することを含む、前記方法。
【請求項６４】
第３番染色体上に位置し、ベミシア抵抗性に寄与する少なくとも一つのＱＴＬを含むゲノムを含む、栽培されたカプシクム・アンナム植物であって、前記少なくとも一つのＱＴＬが、連鎖不平衡にある、および／または前記ＱＴＬ領域と連鎖している、および／または前記ＱＴＬ領域に位置する分子マーカーによって、ならびに前記ＱＴＬに内在する実在の原因変異を示し、したがって、表現型形質と統計的相関を示すマーカーによって同定されることができ、そして前記マーカーが配列番号１〜１２で開示されたようなオリゴヌクレオチドプライマーを使用することで作製され得る、前記植物。
【請求項６５】
第３番および第５番染色体上に位置し、ベミシア抵抗性に寄与する少なくとも２つのＱＴＬを含むゲノムを含む、栽培されたカプシクム・アンナム植物であって、前記少なくとも２つのＱＴＬが、連鎖不平衡にある、および／または前記ＱＴＬ領域と連鎖している、および／または前記ＱＴＬ領域に位置する分子マーカーによって、ならびに前記ＱＴＬに内在する実在の原因変異を示し、したがって、表現型形質と統計的相関を示すマーカーによって同定されることができ、そして前記マーカーが配列番号１〜１２および配列番号１３〜２６のそれぞれで開示されたようなオリゴヌクレオチドプライマーを使用することで作製され得る、前記植物。
【請求項６６】
第５番染色体上に位置し、アザミウマ抵抗性に寄与する少なくとも１つのＱＴＬを含むゲノムを含む、栽培されたカプシクム・アンナム植物であって、前記少なくとも一つのＱＴＬが、連鎖不平衡にある、および／または前記ＱＴＬ領域と連鎖している、および／または前記ＱＴＬ領域に位置する分子マーカーによって、ならびに前記ＱＴＬに内在する実在の原因変異を示し、したがって、表現型形質と統計的相関を示すマーカーによって同定されることができ、そしてマーカーが配列番号１３〜２６で開示されたようなオリゴヌクレオチドプライマーを使用することで作製され得る、前記植物。
【請求項６７】
第３番および第５番染色体上に位置し、ベミシアおよびアザミウマ抵抗性に寄与する少なくとも２つのＱＴＬを含むゲノムを含む、栽培されたカプシクム・アンナム植物であって、そして前記少なくとも２つのＱＴＬが、連鎖不平衡にある、および／または前記ＱＴＬ領域と連鎖している、および／または前記ＱＴＬ領域に位置する分子マーカーによって、ならびに前記ＱＴＬに内在する実在の原因変異を示し、したがって、表現型形質と統計的相関を示すマーカーによって同定されることができ、そして前記マーカーが配列番号１〜１２および配列番号１３〜２６のそれぞれで開示されたようなオリゴヌクレオチドプライマーを使用することで作製され得る、前記植物。
【発明の詳細な説明】
【技術分野】
【０００１】
本発明は、昆虫に対して抵抗性を有する新規トウガラシ植物に関し、そして前記植物の種子および果実に関する。本発明はまた、かかる植物およびそれらの果実を生産および使用する方法に関する。本発明は、マーカー、ならびにマーカー支援育種における、および昆虫抵抗特性を同定するためのその使用にさらに関する。
【背景技術】
【０００２】
トウガラシは、年間で約５億ドルの推定市場価値を有する世界的に重要な農作物である。トウガラシは、カプシクム属（genus Capsicum）由来のナス科（Solanaceas）であり、そしてそれはカプシクム・アンナム（Capsicum annuum）、カプシクム・フルテッセンス（Capsicum frutescens）、およびカプシクム・キネンセ（Capsicum chinense）を含む。市販のトウガラシは、ｎ＝１２染色体の２倍体である。トウガラシは、アマトウガラシ、例えばピーマンとして；または辛味のあるチリ・ペパー、ハラペニョ、およびＴＡＢＡＳＣＯ（登録商標）として；またはパプリカのような種々の色の乾燥粉末源として世界中で栽培および使用される。栽培されるトウガラシの種類は、辛味、果実の形状、色および大きさによって区別され得る（例えば米国特許第６，４９８，２８７号明細書を参照）。
【０００３】
トウガラシ果実、または一般的に「トウガラシ」と呼ばれるものは、非常に傷みやすい。それらは水分を失い、そして干からびる傾向にあり、そしてそのことにより、顧客にとってそれが魅力の無いものとなる。トウガラシ植物はまた、多くの疾患の宿主である。これらの疾患は当該農作物の収量を減らすだけでなく、当該果実の外見にも影響を与え、それらを市販できなくし、特に昆虫はかなりの量の農作物に損傷を与え、かなりの商業的損失となる。幾つかの場合において、昆虫は直接的に植物または果実に影響を与え、他の場合において、それらは植物のウィルスの媒介生物として振舞う。通常、昆虫による損傷は植物の生長を抑制するが、一般的に植物を殺すことはない。化学的な防除および輪作が昆虫によって引き起こされる損傷を減らすために使用され得るが、これらの方法は高価であり、そして時には不便である。
【０００４】
トウガラシに影響を与える害虫の中において、コナジラミ類（white fly）のベミシア・タバシ（Bemisia tabaci）（ヘミプテラ(Hemiptera)：コナジラミ科（Aleyrodidae））および種々のアザミウマ（thrips）種、例えばミカンキイロアザミウマ（Western Flower Thrips）: フランクリニエラ・オシデンタリス(Frankliniella occidentalis)、ネギアザミウマ（Onion Thrips）: スリップス・タバシ（Thrips tabaci）、例えばミカンキイロアザミウマ（Western Flower Thrips）: フランクリニエラ・オシデンタリス(Frankliniella occidentalis)、ネギアザミウマ（Onion Thrips）: スリップス・タバシ（Thrips tabaci）、チャノキイロアザミウマ、シルトスリップス・ドルサリス（Scirtothrips dorsaiis）、およびミナミキイロアザミウマ（Melon Thrips）スリップス・パルミ（Thrips palmi）が特に大きな被害をもたらす。
【０００５】
約５０００の記載された種のアザミウマ（チサノプテラ（Thysanoptera）目の昆虫）が存在する。より高さのある植物を食する種は、アザミウマ科（Thripidae）において生じる。この科は、田畑および温室中における鑑賞植物、野菜および果物作物における深刻な害虫を含めた重要な害虫種を含む。アザミウマによる採食および産卵によって、野菜の葉および果実がゆがみ、変色、シルバリング（ｓｉｌｖｅｒｉｎｇ）およびブロンジング（ｂｒｏｎｚｉｎｇ）し、それらの市場価値を減らす。アザミウマの幾つかの種は、ブニヤウィルス（ブニヤウィルス科（Bunyaviridae）、トスポウイルス属、トマト黄化壊疽の基準種）の媒介生物である。幾つかの伝染病が、世界の熱帯性および亜熱帯性地域において毎年、食用作物、繊維作物および鑑賞植物作物において生じる。
【０００６】
ミカンキイロアザミウマ（フランクリニエラ・オシデンタリス)は、多くの作物に深刻な影響を与える、温室における日和見性の害虫である。フランクリニエラ・オシデンタリスは、過去２０年間でほぼ世界中に広がった。このアザミウマ種は非常に損害を与え、そして防除することが困難である。それはトウガラシにおいて容易に増殖し、そして苗床の初期段階から作物最終段階まで、植物、花および果実に物理的損傷を与える。幼虫および成虫は、葉、芽、花および果実の表皮細胞を食する。それらは、果実の表皮に影響を与え、そして市場価値を下げる。野菜のような高価値の温室作物は、アザミウマによる損傷に関連する経済的損失に特に弱い。アザミウマはまた、栽培者に多大な損失を与える、破壊性のウィルスであるトマト黄化壊疽ウィルス（ＴＳＷｖ）の効果的な媒介生物である。感染した植物は、植物および果実において強いモザイク、および壊死を示す。
【０００７】
アザミウマは、過去１５年に渡って使用された幾つかの殺虫剤に対して耐性を発達させたため、化学製品によって防除することが困難である。温室条件下において、暖かい条件におけるオリウス（Ｏｒｉｕｓ）、または作物中のアザミウマの低いレベルを維持するより冷却された条件におけるアンブリセイウス（Amblyseius）のいずれかの生物学的捕食者の使用は広く普及しているが、必ずしも十分な実践ではない。
【０００８】
コナジラミ類、ベミシア・タバシにとって、少なくとも２つのバイオタイプが記載された：ベミシア・アルゲンチフォリ(Bemisia argentifolii)と同一であるＢ−タイプ、およびＱ−タイプである。
【０００９】
ベミシアおよびアザミウマの防除はまた、宿主植物の範囲が広いために特に困難である。ベミシアおよびアザミウマ種は、トマト、マメ、キュウリ、メロン、ニガウリ、トウガラシ、ナス、カボチャ、トウウリおよびズッキーニを含む多種多様の野菜作物を攻撃する。トウガラシは、最も深刻な影響を受ける作物に属する。
【００１０】
植物および果実の損傷、ならびに破壊性のウィルスの感染のために、これらの害虫からトウガラシ作物を保護する、簡便かつ経済的に持続可能な方法に対する満たされていない要求がある。宿主植物の抵抗性は、ベミシアおよびアザミウマに対する優れた防除戦略である。それは、殺虫剤の使用において殺虫剤の使用に関する、環境に優しい代替手段であり、そして生物学的な防除の選択肢の効率性を増し得、そして良好な統合された害虫管理計画に寄与し得る。
【発明の概要】
【００１１】
本発明は、昆虫を誘引せず、および／または昆虫の被害および／もしくは発達、例えば産卵および／もしくは蛹への発達に抵抗することができ、したがって相当な程度、昆虫の被害から、特にコナジラミ類のベミシア・タバシおよび／またはアザミウマの被害から保護されるだろう、抵抗性トウガラシ植物を提供することによってこの要求に対処する。
【００１２】
本発明は、アザミウマ科および／またはベミシア属の昆虫による被害に対して、しかし特にベミシア・タバシおよびフランクリニエラ・オシデンタリスによる被害に対して抵抗性を有する、特に中程度に抵抗性を有する、栽培されたカプシクム・アンナム植物を提供する。
【発明を実施するための形態】
【００１３】
「ベミシアの被害に対する抵抗性」または「ベシミア抵抗性植物」とは、昆虫による攻撃、被害または定着に抵抗する植物の能力のことである。特定の植物によって示される抵抗性の水準は、例えば、本明細書の以下の実施例２Ａに記載されたような標準的な昆虫抵抗性アッセイを用いて、被害の重症度を評価するために１〜９のスケールを使用して採点され得る。
【００１４】
一つの実施形態において、本発明は、ベミシア属の被害に対して抵抗性を有する、特に中程度に抵抗性を有する、栽培されたカプシクム・アンナム植物を提供し、ここで前記抵抗性は、標準的な抵抗性アッセイ、特に以下の実施例２Ａに記載されたアッセイで評価されることができ、そして同一の環境条件下、特に同一の昆虫圧下において統計的に有意な程度に同一のアッセイで評価されるとき、受入番号ＮＣＩＭＢ４１４２８で寄託されている代表的な種子である株０６１Ｍ４３８７のカプシクム・アンナム植物を用いて得られるスコアから、３スケール以下、特に２スケール以下、しかし特に１スケール以下逸脱した抵抗性スコアが得られる。
【００１５】
一つの実施形態において、標準化抵抗性アッセイ、特に以下の実施例２Ａにおいて記載されているアッセイにおいて決定される植物の葉上の蛹の数が、同一の環境条件下、特に同一の昆虫圧下において、統計的に有意な程度に同一のアッセイで評価されるとき、受入番号ＮＣＩＭＢ４１４２８で寄託されている代表的な種子である株０６１Ｍ４３８７のカプシクム・アンナム植物を用いて得られる蛹の数から、２０ファクター以下、特に１５ファクター以下、より特に１０ファクター以下、さらにより特に５ファクター以下、しかし特に２ファクター以下で逸脱するように、昆虫の発達、特に植物における産卵および／または蛹への発達に抵抗することができるベミシア抵抗性カプシクム・アンナム植物が提供される。
【００１６】
一つの実施形態において、同一の環境条件下、特に同一の昆虫圧下において、統計的に有意な程度に同一のアッセイで評価されるとき、受入番号ＮＣＩＭＢ４１４２８で寄託されている代表的な種子である株０６１Ｍ４３８７のカプシクム・アンナム植物と本質的に同程度に昆虫の発達、特に植物における産卵および／または蛹への発達に抵抗することができるベミシア抵抗性カプシクム・アンナム植物が提供される。
【００１７】
一つの実施形態において、昆虫の発達、特に植物における産卵および／または蛹への発達に抵抗することができ、前記抵抗性が標準化抵抗性アッセイ、特に以下の実施例２Ａにおいて記載されているアッセイにおいて評価されることができ、そして同一の環境条件下、特に同一の昆虫圧下において、統計的に有意な程度に同一のアッセイで評価されるとき、標準的な感受性商業品種、例えばＶｅｒｇａｓａまたはＢｉｋｉｎｇｏを用いて得られる抵抗性スコアよりも、少なくとも２スケール、特に少なくとも３スケール、より特に少なくとも４スケール、しかし特に少なくとも５スケール高い抵抗性スコアが得られる、ベシミア抵抗性カプシクム・アンナム植物が提供される。
【００１８】
一つの実施形態において、特にカプシクム・アンナム植物の葉、芽、花、および果実の表皮細胞におけるアザミウマの摂食によって引き起こされる、最終的にシルバリング、葉の色の消失、および成長中の果実の変形となる植物の損傷を予防することによって、アザミウマの被害、特にＦ・オシデンタリス(F. occidentalis)の被害に対して抵抗性を有する、特に中程度に抵抗性を有する、栽培されたカプシクム・アンナム植物が提供される。アザミウマによって引き起こされる摂食による損傷を予防するカプシクム植物の能力は、標準的な抵抗性アッセイ、特に以下の実施例２Ｂにおいて記載されているアッセイにおいて、１〜９の範囲のスケールに従って、シルバリングの損傷の程度を決定することによって評価され得る。
【００１９】
本発明の一つの実施形態において、特にカプシクム・アンナム植物の葉、芽、花、および果実の表皮細胞におけるアザミウマの摂食によって引き起こされる植物の損傷を予防することによって、アザミウマの被害、特にＦ・オシデンタリスの被害に対して抵抗性を有する、特に中程度に抵抗性を有する、栽培されたカプシクム・アンナム植物が提供され、ここで前記抵抗性は、標準的な抵抗性アッセイ、特に以下の実施例２Ｂにおいて記載されているアッセイにおいて評価されることができ、そして同一の環境条件下、特に同一の昆虫圧下において、統計的に有意な程度に同一のアッセイで評価されるとき、受入番号ＮＣＩＭＢ４１４２８で寄託されている代表的な種子である株０６１Ｍ４３８７のカプシクム・アンナム植物を用いて得られるスコアから、２スケール以下、特に１スケール以下、しかし特に０．５スケール以下逸脱した抵抗性スコアが得られる。
【００２０】
本発明の一つの実施形態において、本発明の一つの実施形態において、特にカプシクム・アンナム植物の葉、芽、花、および果実の表皮細胞におけるアザミウマの摂食によって引き起こされる植物の損傷を予防することによって、アザミウマの被害、特にＦ・オシデンタリスの被害に対して抵抗性を有する、特に中程度に抵抗性を有する、栽培されたカプシクム・アンナム植物が提供され、ここで前記抵抗性は、標準的な抵抗性アッセイ、特に以下の実施例２Ｂにおいて記載されているアッセイにおいて評価されることができ、そして観測されるシルバリングの損傷が、同一の環境条件下、特に同一の昆虫圧下において、統計的に有意な程度に同一のアッセイで評価されるとき、受入番号ＮＣＩＭＢ４１４２８で寄託されている代表的な種子である株０６１Ｍ４３８７のカプシクム・アンナム植物で示される損傷から８％超、特に５％超、より特に２％超、さらにより特に１％超、しかし特に０．５％超逸脱しない。
【００２１】
本発明の一つの実施形態において、本発明は、カプシクム・アンナム植物の葉、芽、花、および果実の表皮細胞におけるアザミウマの摂食によって引き起こされる植物の損傷を特に予防することによって、同一の環境条件下、特に同一の昆虫圧下において、統計的に有意な程度に同一のアッセイで評価されるとき、受入番号ＮＣＩＭＢ４１４２８で寄託されている代表的な種子である株０６１Ｍ４３８７のカプシクム・アンナム植物と本質的に同程度に、アザミウマの被害、特にＦ・オシデンタリスの被害に対して抵抗性を有する、特に中程度に抵抗性を有する、栽培されたカプシクム・アンナム植物を提供する。
【００２２】
一つの実施形態において、特に、ベミシアの産卵および／または蛹への発達を予防すること、ならびにカプシクム・アンナム植物の葉、芽、花、および果実の表皮細胞におけるアザミウマの摂食により引き起こされる植物の損傷を予防することの各々によって、ベミシアおよびアザミウマの被害、特にベミシア・タバシおよびＦ・オシデンタリスの被害に対して抵抗性を有する、特に中程度に抵抗性を有する、栽培されたカプシクム・アンナム植物が提供され、ここで前記抵抗性は標準的な抵抗性アッセイ、特に以下の実施例２Ａおよび２Ｂにおいて記載されているアッセイにおいて評価されることができ、そして同一の環境条件下、特に同一の昆虫圧下において、統計的に有意な程度に同一のアッセイで評価されるとき、ベミシアにおいては、受入番号ＮＣＩＭＢ４１４２８で寄託されている代表的な種子である株０６１Ｍ４３８７のカプシクム・アンナム植物を用いて得られるスコアから、３スケール以下、特に２スケール以下、しかし特に１スケール以下の逸脱で得られ、そしてアザミウマにおいて抵抗性スコアは、受入番号ＮＣＩＭＢ４１４２８で寄託されている代表的な種子である株０６１Ｍ４３８７のカプシクム・アンナム植物を用いて得られるスコアから、２スケール以下、特に１スケール以下、しかし特に０．５スケール以下逸脱した抵抗性スコアが得られる。
【００２３】
一つの実施形態において、特に、ベミシアの産卵および／または蛹への発達を予防すること、ならびにカプシクム・アンナム植物の葉、芽、花、および果実の表皮細胞におけるアザミウマの摂食により引き起こされる植物の損傷を予防することの各々によって、同一の環境条件下、特に同一の昆虫圧下において、統計的に有意な程度に同一のアッセイで評価されるとき、受入番号ＮＣＩＭＢ４１４２８で寄託されている代表的な種子である株０６１Ｍ４３８７のカプシクム・アンナム植物と本質的に同程度に、ベミシアおよびアザミウマの被害、特にベミシア・タバシおよびＦ・オシデンタリスの被害に対して抵抗性を有する、特に中程度に抵抗性を有する、栽培されたカプシクム・アンナム植物が提供される。
【００２４】
一つの実施形態において、本発明は、ベミシアの被害に対して抵抗性を有する、特に中程度に抵抗性を有する、ベミシア抵抗性に寄与する少なくとも１つの量的形質遺伝子座（「ＱＴＬ」）を含むゲノムを含む、栽培されたカプシクム・アンナム植物を提供し、特にベミシアの被害に対して抵抗性を有する、特に中程度に抵抗性を有する、第３番染色体および／または第５番染色体に位置する、ベミシア抵抗性に寄与する少なくとも１つの量的形質遺伝子座（「ＱＴＬ」）を含むゲノムを含む、栽培されたカプシクム・アンナム植物を提供する。
【００２５】
一つの実施形態において、本発明は、ベミシアの被害に対して抵抗性を有する、特に中程度に抵抗性を有する、栽培されたカプシクム・アンナム植物を提供し、ここで前記植物は、ベミシア抵抗性に寄与する少なくとも２つの量的形質遺伝子座（「ＱＴＬ」）を含むゲノムを含み、ここで第一のＱＴＬは第３番染色体に位置し、そして第二のＱＴＬは第５番染色体に位置する。
【００２６】
一つの実施形態において、本発明は、アザミウマの被害に対して抵抗性を有する、特に中程度に抵抗性を有する、アザミウマ抵抗性に寄与する少なくとも１つの量的形質遺伝子座（「ＱＴＬ」）を含むゲノムを含む、栽培されたカプシクム・アンナム植物を提供し、特にアザミウマの被害に対して抵抗性を有する、特に中程度に抵抗性を有する、第５番染色体に位置する、アザミウマ抵抗性に寄与する１つの量的形質遺伝子座（「ＱＴＬ」）を含むゲノムを含む、栽培されたカプシクム・アンナム植物を提供する。
【００２７】
一つの実施形態において、本発明は、ベミシアおよびアザミウマの被害に対して抵抗性を有する、特に中程度に抵抗性を有する栽培されたカプシクム・アンナム植物を提供し、ここで前記植物は、ベミシア抵抗性に寄与する少なくとも１つの量的形質遺伝子座（「ＱＴＬ」）、およびアザミウマ抵抗性に寄与する少なくとも１つの量的形質遺伝子座（「ＱＴＬ」）をそれぞれ含むゲノムを含む。特に本発明は、先の本明細書で記載されたベミシアおよびアザミウマの被害に対して抵抗性を有する、特に中程度に抵抗性を有する栽培されたカプシクム・アンナム植物を提供し、ここでベミシア抵抗性に寄与する前記ＱＴＬは、第３番および／または第５番染色体に位置し、そしてアザミウマに寄与する抵抗性を有する前記ＱＴＬは第５番染色体に位置する。
【００２８】
一つの実施形態において、ベミシアおよびアザミウマの被害に対して抵抗性を有する、特に中程度に抵抗性を有する栽培されたカプシクム・アンナム植物が提供され、ここで前記植物は、ベミシアおよびアザミウマ抵抗性に寄与する一つの量的形質遺伝子座（「ＱＴＬ」）を含み、ここでベミシア抵抗性に寄与する第一のＱＴＬは、第３番染色体に位置し、そしてベミシア抵抗性に寄与する第二のＱＴＬは、第５番染色体に位置し、そしてアザミウマ抵抗性に寄与する前記ＱＴＬは第５番染色体に位置する。
【００２９】
一つの実施形態において、第５番染色体上のＱＴＬは、ベミシアおよびアザミウマの両方に対する抵抗性に寄与する単一のＱＴＬである。
【００３０】
一つの実施形態において、前記ＱＴＬは、受入番号ＮＣＩＭＢ４１４２８で寄託されている代表的な種子である株０６１Ｍ４３８７の遺伝的背景を有する植物から、特に株０６１Ｍ４３８７のＱＴＬにおいて遺伝的背景もしくは構造を有する植物から、しかし特に株０６１Ｍ４３８７の植物から、または前記ＱＴＬを含むその子孫もしくは先祖から得られる。
【００３１】
さらなる実施形態において、本発明は、本発明に従って、および本明細書において先に記載された通りに栽培されたカプシクム・アンナム植物に関し、前記植物は、ベミシア抵抗性に寄与する少なくとも１つの量的形質遺伝子座（「ＱＴＬ」）を含み、ここで前記ＱＴＬは、少なくとも１つのマーカー遺伝子座と、特に少なくとも２つのマーカー遺伝子座と、より特に少なくとも３つのマーカー遺伝子座と、そしてさらにより特に少なくとも４つのマーカー遺伝子座と、しかし特に少なくとも５つおよび６つ以下のマーカー遺伝子座と遺伝的に連鎖していることによって特徴付けられ、そしてマーカー遺伝子座は第３番染色体上に存在し、そしてベミシア抵抗性形質と共に分離され、そして配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６から選択される、一対のＰＣＲオリゴヌクレオチドプライマーによって；あるいはベミシア抵抗性形質と統計的に相関のある任意の他のマーカー遺伝子座によって同定され得る。
【００３２】
一つの実施形態において、本発明は、ベミシア抵抗性に寄与する少なくとも１つの量的形質遺伝子座（「ＱＴＬ」）を含むゲノムを含む、栽培されたカプシクム・アンナム植物に関し、ここで前記ＱＴＬは、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景もしくは構造を有する植物から、しかし特に株０６１Ｍ４３８７の植物から、または前記ＱＴＬを含むその子孫もしくは先祖から得られ、ここでドナー植物におけるＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座と、ならびに７つ以下のマーカー遺伝子座と遺伝的に連鎖され、ここでマーカー遺伝子座は、第３番染色体上に存在し、そしてベミシア抵抗性形質と共に分離され、そして配列番号１〜１２で示されるような、プライマー対１〜６の群から選択される一対のＰＣＲオリゴヌクレオチドプライマーによって同定され得る。
【００３３】
一つの実施形態において、本発明は、本発明に従って、および本明細書において先に記載された通りに栽培されたカプシクム・アンナム植物に関し、前記植物は、アザミウマ抵抗性に寄与する一つの量的形質遺伝子座（「ＱＴＬ」）を含むゲノムを含み、ここで前記ＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座、および７つ以下のマーカー遺伝子座と遺伝的に連鎖していることによって特徴付けられ、そしてマーカー遺伝子座は、第５番染色体上に存在し、そしてベミシア抵抗性形質と共に分離され、そして配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３から選択される、一対のＰＣＲオリゴヌクレオチドプライマーによって；あるいはベミシア抵抗性形質と統計的に相関のある任意の他のマーカー遺伝子座によって同定され得る。
【００３４】
一つの実施形態において、本発明は、ベミシア抵抗性に寄与する少なくとも１つの量的形質遺伝子座（「ＱＴＬ」）を含むゲノムを含む、栽培されたカプシクム・アンナム植物に関し、ここで前記ＱＴＬは、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景または構造を有する植物から、しかし特に株０６１Ｍ４３８７の植物から、あるいは前記ＱＴＬを含むその子孫または先祖から得られ、ここでドナー植物におけるＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座と、ならびに７つ以下のマーカー遺伝子座と遺伝的に連鎖され、ここでマーカー遺伝子座は、第５番染色体上に存在し、そしてベミシア抵抗性形質と共に分離され、そして配列番号１３〜２６で示されるような、プライマー対７〜１３の群から選択される一対のＰＣＲオリゴヌクレオチドプライマーによって同定され得る。
【００３５】
さらなる実施形態において、本発明は、本発明に従って、および本明細書において先に記載された通りに栽培されたカプシクム・アンナム植物に関し、前記植物は、ベミシア抵抗性に寄与する少なくとも２つの量的形質遺伝子座（「ＱＴＬ」）を含むゲノムを含み、ここで、
ａ）第一のＱＴＬは、少なくとも１つのマーカー遺伝子座と、特に少なくとも２つのマーカー遺伝子座と、より特に少なくとも３つのマーカー遺伝子座と、そしてさらにより特に少なくとも４つのマーカー遺伝子座と、しかし特に少なくとも５つおよび６つ以下のマーカー遺伝子座と遺伝的に連鎖していることによって特徴付けられ、そしてマーカー遺伝子座は、第３番染色体上に存在し、そしてベミシア抵抗性形質と共に分離され、そして配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６から選択される、一対のＰＣＲオリゴヌクレオチドプライマーによって；あるいはベミシア抵抗性形質と統計的に相関のある、第３番染色体上に位置する任意の他のマーカー遺伝子座によって同定されることができ、ならびに、
ｂ）第二のＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座、および７つ以下のマーカー遺伝子座と遺伝的に連鎖していることによって特徴付けられ、そしてマーカー遺伝子座は、第５番染色体上に存在し、そしてベミシア抵抗性形質と共に分離され、そして配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３から選択される、一対のＰＣＲオリゴヌクレオチドプライマーによって；あるいはベミシア抵抗性形質と統計的に相関のある、第５番染色体に存在する任意の他のマーカー遺伝子座によって同定されることができる。
【００３６】
一つの実施形態において、本発明は、ベミシア抵抗性に寄与する少なくとも２つの量的形質遺伝子座（「ＱＴＬ」）を含むゲノムを含む、栽培されたカプシクム・アンナム植物に関し、ここで前記ＱＴＬは、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景もしくは構造を有する植物から、しかし特に株０６１Ｍ４３８７の植物から、または前記ＱＴＬを含むその子孫もしくは先祖から得られ、ここで前記第一のＱＴＬは、ドナー植物中の第３番染色体上に位置し、そして少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座と遺伝的に連鎖され、そしてマーカー遺伝子座は、第３番染色体上に存在し、そしてベミシア抵抗性形質と共に分離され、そして配列番号１〜１２で示されるような、一対のＰＣＲオリゴヌクレオチドプライマー１〜６によって同定されることができ、そして第二のＱＴＬは、ドナー植物中の第５番染色体上に位置し、そして少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座と、および７つ以下のマーカー遺伝子座と遺伝的に連鎖され、そしてマーカー遺伝子座は、第５番染色体上に存在し、そしてベミシア抵抗性形質と共に分離され、そして配列番号１３〜２６で示されるような、一対のＰＣＲオリゴヌクレオチドプライマー７〜１３によって同定されることができる。
【００３７】
一つの実施形態において、本発明は、本発明に従って、および本明細書において先に記載された通りに栽培されたカプシクム・アンナム植物に関し、前記植物は、アザミウマ抵抗性に寄与する１つの量的形質遺伝子座（「ＱＴＬ」）を含むゲノムを含み、ここで前記ＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座と、および７つ以下のマーカー遺伝子座と遺伝的に連鎖していることによって特徴付けられ、そしてマーカー遺伝子座は、第５番染色体上に存在し、そしてアザミウマ抵抗性形質と共に分離され、そして配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、一対のＰＣＲオリゴヌクレオチドプライマーによって、あるいはアザミウマ抵抗性形質と統計的に相関のある、第５番染色体に存在する任意の他のマーカー遺伝子座によって同定されることができる。
【００３８】
一つの実施形態において、本発明は、アザミウマ抵抗性に寄与する少なくとも１つの量的形質遺伝子座（「ＱＴＬ」）を含むゲノムを含む、栽培されたカプシクム・アンナム植物に関し、ここで前記ＱＴＬは、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景もしくは構造を有する植物から、しかし特に株０６１Ｍ４３８７の植物から、または前記ＱＴＬを含むその子孫もしくは先祖から得られ、そしてドナー植物中のＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座と、および７つ以下のマーカー遺伝子座と遺伝的に連鎖され、そしてマーカー遺伝子座は、第５番染色体上に存在し、そしてアザミウマ抵抗性形質と共に分離され、そして配列番号１３〜２６で示されるような、プライマー対７〜１３の群から選択される一対のＰＣＲオリゴヌクレオチドプライマーによって同定され得る。
【００３９】
一つの実施形態において、本発明は、ベミシアおよびアザミウマの被害に対して抵抗性を有する、特に中程度に抵抗性を有する栽培されたカプシクム・アンナム植物を提供し、ここで前記植物は、ベミシア抵抗性に寄与する少なくとも１つの量的形質遺伝子座（「ＱＴＬ」）、およびアザミウマ抵抗性に寄与する少なくとも１つの量的形質遺伝子座（「ＱＴＬ」）をそれぞれ含むゲノムを含み、ここで、
ａ）ベミシア抵抗性に寄与する前記ＱＴＬは、少なくとも１つのマーカー遺伝子座と、特に少なくとも２つのマーカー遺伝子座と、より特に少なくとも３つのマーカー遺伝子座と、そしてさらにより特に少なくとも４つのマーカー遺伝子座と、しかし特に少なくとも５つおよび６つ以下のマーカー遺伝子座と遺伝的に連鎖していることによって特徴付けられ、そしてマーカー遺伝子座は第３番染色体上に存在し、そしてベミシア抵抗性形質と共に分離され、そして配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される、一対のＰＣＲオリゴヌクレオチドプライマーによって；あるいはベミシア抵抗性形質と統計的に相関のある、第３番染色体上に位置する任意の他のマーカー遺伝子座によって同定されることができ；そして
ｂ）アザミウマ抵抗性に寄与する前記ＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座、および７つ以下のマーカー遺伝子座と遺伝的に連鎖していることによって特徴付けられ、そしてマーカー遺伝子座は、第５番染色体上に存在し、そしてアザミウマ抵抗性形質と共に分離され、そして配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、一対のＰＣＲオリゴヌクレオチドプライマーによって；あるいはアザミウマ抵抗性形質と統計的に相関のある、第５番染色体に位置する任意の他のマーカー遺伝子座によって同定されることができる。
【００４０】
一つの実施形態において、本発明は、ベミシアおよびアザミウマの被害に対して抵抗性を有する、特に中程度に抵抗性を有する前記請求項のいずれか一項に記載の栽培されたカプシクム・アンナム植物を提供し、ここで前記植物は、ベミシア抵抗性に寄与する少なくとも１つの量的形質遺伝子座（「ＱＴＬ」）、およびアザミウマ抵抗性に寄与する少なくとも１つの量的形質遺伝子座（「ＱＴＬ」）をそれぞれ含むゲノムを含み、ここで、
ａ）ベミシア抵抗性に寄与する前記ＱＴＬは、
i．少なくとも１つのマーカー遺伝子座と、特に少なくとも２つのマーカー遺伝子座と、より特に少なくとも３つのマーカー遺伝子座と、そしてさらにより特に少なくとも４つのマーカー遺伝子座と、しかし特に少なくとも５つおよび６つ以下のマーカー遺伝子座と遺伝的に連鎖していることによって特徴付けられ、そしてマーカー遺伝子座は第３番染色体上に存在し、そしてベミシア抵抗性形質と共に分離され、そして配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される、一対のＰＣＲオリゴヌクレオチドプライマーによって；あるいはベミシア抵抗性形質と統計的に相関のある、第３番染色体上に位置する任意の他のマーカー遺伝子座によって同定されることができ；および／または、
ii．少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座、および７つ以下のマーカー遺伝子座と遺伝的に連鎖していることによって特徴付けられ、そしてマーカー遺伝子座は、第５番染色体上に存在し、そしてアザミウマ抵抗性形質と共に分離され、そして配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、一対のＰＣＲオリゴヌクレオチドプライマーによって；あるいはベミシア抵抗性形質と統計的に相関のある、第５番染色体に位置する任意の他のマーカー遺伝子座によって同定されることができ；そして
ｂ）アザミウマ抵抗性に寄与する前記ＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座、および７つ以下のマーカー遺伝子座と遺伝的に連鎖していることによって特徴付けられ、そしてマーカー遺伝子座は、第５番染色体上に存在し、そしてアザミウマ抵抗性形質と共に分離され、そして配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、一対のＰＣＲオリゴヌクレオチドプライマーによって；あるいはアザミウマ抵抗性形質と統計的に相関のある、第５番染色体に位置する任意の他のマーカー遺伝子座によって同定されることができる。
【００４１】
一つの実施形態において、本発明は、ベミシアおよびアザミウマの被害に対して抵抗性を有する、特に中程度に抵抗性を有する栽培されたカプシクム・アンナム植物を提供し、ここで前記植物は、ベミシア抵抗性に寄与する少なくとも１つの量的形質遺伝子座（「ＱＴＬ」）、およびアザミウマ抵抗性に寄与する少なくとも１つの量的形質遺伝子座（「ＱＴＬ」）をそれぞれ含むゲノムを含み、ここで、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景または構造を有する植物から、しかし特に株０６１Ｍ４３８７の植物から、あるいは前記ＱＴＬを含むその子孫または先祖から得られ、そして
ａ）ベミシア抵抗性に寄与する第一のＱＴＬは、少なくとも１つのマーカー遺伝子座と、特に少なくとも２つのマーカー遺伝子座と、より特に少なくとも３つのマーカー遺伝子座と、そしてさらにより特に少なくとも４つのマーカー遺伝子座と、しかし特に少なくとも５つ、および６つ以下のマーカー遺伝子座と遺伝的に連鎖され、そしてマーカー遺伝子座は第３番染色体上に存在し、そしてベミシア抵抗性形質と共に分離され、そして配列番号１〜１２で示されるような、順方向および逆方向プライマーによって示されるプライマー対１〜６の群から選択される一対のＰＣＲオリゴヌクレオチドプライマーによって同定されることができ；そして／または、
ｂ）ベミシア抵抗性に寄与する第二のＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座と、および７つ以下のマーカー遺伝子座と遺伝的に連鎖され、そしてマーカー遺伝子座は第５番染色体上に存在し、そしてベミシア抵抗性形質と共に分離され、そして配列番号１３〜２６で示されるような、順方向および逆方向プライマーによって示されるプライマー対７〜１３の群から選択される一対のＰＣＲオリゴヌクレオチドプライマーによって同定されることができ；そして
ｃ）アザミウマ抵抗性に寄与するＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座と、および７つ以下のマーカー遺伝子座と遺伝的に連鎖され、そしてマーカー遺伝子座は第５番染色体上に存在し、そしてアザミウマ抵抗性形質と共に分離され、そして配列番号１３〜２６で示されるような、順方向および逆方向プライマーによって示されるプライマー対７〜１３の群から選択される一対のＰＣＲオリゴヌクレオチドプライマーによって同定されることができる。
【００４２】
一つの実施形態において、本発明は、ベミシアおよびアザミウマの被害に対して抵抗性を有する、特に中程度に抵抗性を有する栽培されたカプシクム・アンナム植物を提供し、ここで前記植物は、ベミシア抵抗性に寄与する少なくとも１つの量的形質遺伝子座（「ＱＴＬ」）、およびアザミウマ抵抗性に寄与する少なくとも１つの量的形質遺伝子座（「ＱＴＬ」）をそれぞれ含むゲノムを含み、ここで、受入番号ＮＣＩＭＢ４１４２８で寄託されている代表的な種子である株０６１Ｍ４３８７の遺伝的背景を有するドナー植物から、特に株０６１Ｍ４３８７のＱＴＬにおいて遺伝的背景または構造を有する植物から、しかし特に株０６１Ｍ４３８７の植物から、あるいは前記ＱＴＬを含むその子孫または先祖から得られ、そして
ａ）ドナー植物におけるベミシア抵抗性に寄与する前記ＱＴＬは、少なくとも１つのマーカー遺伝子座と、特に少なくとも２つのマーカー遺伝子座と、より特に少なくとも３つのマーカー遺伝子座と、そしてさらにより特に少なくとも４つのマーカー遺伝子座と、しかし特に少なくとも５つ、および６つ以下のマーカー遺伝子座と遺伝的に連鎖され、そしてマーカー遺伝子座は第３番染色体上に存在し、そしてベミシア抵抗性形質と共に分離され、そして配列番号１〜１２で示されるような、順方向および逆方向プライマーによって示されるプライマー対１〜６の群から選択される一対のＰＣＲオリゴヌクレオチドプライマーによって同定されることができ；そして、
ｂ）ドナー植物におけるアザミウマ抵抗性に寄与するＱＴＬは、少なくとも１つのマーカー遺伝子座と、特に少なくとも２つのマーカー遺伝子座と、特に少なくとも３つのマーカー遺伝子座と、そして特に少なくとも４つのマーカー遺伝子座と、特に少なくとも５つのマーカー遺伝子座と、特に少なくとも６つのマーカー遺伝子座と、および７つ以下のマーカー遺伝子座と遺伝的に連鎖され、そしてマーカー遺伝子座は第５番染色体上に存在し、そしてアザミウマ抵抗性形質と共に分離され、そして配列番号１３〜２６で示されるような、順方向および逆方向プライマーによって示されるプライマー対７〜１３の群から選択される一対のＰＣＲオリゴヌクレオチドプライマーによって同定されることができる。
【００４３】
本発明の一つの実施形態において、一つまたはそれ以上のプライマーもしくはプローブ、特に一つまたはそれ以上のプライマー対、しかし特に、順方向プライマーおよび逆方向プライマーからなる一つまたはそれ以上のプライマー対が、前記の一つまたはそれ以上のプライマーもしくはプローブ、または前記の一つまたはそれ以上のプライマー対を使用することによって、特に最終的に第３番染色体上の、ベミシア抵抗性形質と共に分離される一つまたはそれ以上のマーカー遺伝子座を同定することができるプライマー対となる、配列番号１〜１２の順方向および逆方向プライマーを組み合わせることによって、本発明のマーカー遺伝子座を同定するために構築されてもよい。
【００４４】
本発明の一つの実施形態において、一つまたはそれ以上のプライマーもしくはプローブ、特に一つまたはそれ以上のプライマー対、しかし特に、順方向プライマーおよび逆方向プライマーからなる一つまたはそれ以上のプライマー対が、前記の一つまたはそれ以上のプライマーもしくはプローブ、または前記の一つまたはそれ以上のプライマー対を使用することによって、特に最終的に第５番染色体上の、アザミウマおよびベミシア抵抗性形質と共に分離される一つまたはそれ以上のマーカー遺伝子座を同定することができるプライマー対となる、配列番号１３〜２６の順方向および逆方向プライマーを組み合わせることによって、本発明のマーカー遺伝子座を同定するために構築されてもよい。
【００４５】
プライマーおよび／またはプローブ、特にプライマー対、しかし特に、配列番号１〜１２および配列番号１３〜２６のそれぞれで示されるヌクレオチド配列と、少なくとも９０％、少なくとも９５％、少なくとも９６％、少なくとも９７％、少なくとも９８％、または少なくとも９９％同一であるヌクレオチド配列を示す順方向および逆方向プライマーからなるプライマー対がまた、本発明に含まれ、そして前記プライマー対はまた、前記順方向および逆方向プライマーの組み合わせから生じる。
【００４６】
特に、第３番染色体上に存在する本発明のベミシア抵抗性形質は、マーカー遺伝子座１を同定する、配列番号１で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号２で示される配列と少なくとも９０％、特に少なくとも９５％、特に少なくとも９６％、特に少なくとも９７％、特に少なくとも９８％、特に少なくとも９９％の配列同一性を有する逆方向プライマーによって示されるプライマー対１；マーカー遺伝子座２を同定する、配列番号３で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号４で示される配列と少なくとも９０％、特に少なくとも９５％、特に少なくとも９６％、特に少なくとも９７％、特に少なくとも９８％、特に少なくとも９９％の配列同一性を有する逆方向プライマーによって示されるプライマー対２；マーカー遺伝子座３を同定する、配列番号５で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号６で示される配列と少なくとも９０％、特に少なくとも９５％、特に少なくとも９６％、特に少なくとも９７％、特に少なくとも９８％、特に少なくとも９９％の配列同一性を有する逆方向プライマーよって示されるプライマー対３；マーカー遺伝子座４を同定する、配列番号７で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号８で示される配列と少なくとも９０％、特に少なくとも９５％、特に少なくとも９６％、特に少なくとも９７％、特に少なくとも９８％、特に少なくとも９９％の配列同一性を有する逆方向プライマーよって示されるプライマー対４；マーカー遺伝子座５を同定する、配列番号９で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号１０で示される配列と少なくとも９０％、特に少なくとも９５％、特に少なくとも９６％、特に少なくとも９７％、特に少なくとも９８％、特に少なくとも９９％の配列同一性を有する逆方向プライマーよって示されるプライマー対５；ならびにマーカー遺伝子座６を同定する、配列番号１１で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号１２で示される配列と少なくとも９０％、特に少なくとも９５％、特に少なくとも９６％、特に少なくとも９７％、特に少なくとも９８％、特に少なくとも９９％の配列同一性を有する逆方向プライマーよって示されるプライマー対６の群から選択される一対のＰＣＲオリゴヌクレオチドプライマーによって、あるいはベミシア抵抗性形質と統計的に相関のある、第３番染色体上のマーカー遺伝子座を同定する任意の他のプライマーまたはプライマー対によって同定され得る。
【００４７】
一つの実施形態において、第５番染色体上に存在する本発明のアザミウマ抵抗性形質および／またはベミシア抵抗性形質は、マーカー遺伝子座７を同定する、配列番号１３で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号１４で示される配列と少なくとも９０％、特に少なくとも９５％、特に少なくとも９６％、特に少なくとも９７％、特に少なくとも９８％、特に少なくとも９９％の配列同一性を有する逆方向プライマーによって示されるプライマー対７；マーカー遺伝子座８を同定する、配列番号１５で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号１６で示される配列と少なくとも９０％、特に少なくとも９５％、特に少なくとも９６％、特に少なくとも９７％、特に少なくとも９８％、特に少なくとも９９％の配列同一性を有する逆方向プライマーによって示されるプライマー対８；マーカー遺伝子座９を同定する、配列番号１７で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号１８で示される配列と少なくとも９０％、特に少なくとも９５％、特に少なくとも９６％、特に少なくとも９７％、特に少なくとも９８％、特に少なくとも９９％の配列同一性を有する逆方向プライマーよって示されるプライマー対９；マーカー遺伝子座１０を同定する、配列番号１９で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号２０で示される配列と少なくとも９０％、特に少なくとも９５％、特に少なくとも９６％、特に少なくとも９７％、特に少なくとも９８％、特に少なくとも９９％の配列同一性を有する逆方向プライマーよって示されるプライマー対１０；マーカー遺伝子座１１を同定する、配列番号２１で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号２２で示される配列と少なくとも９０％、特に少なくとも９５％、特に少なくとも９６％、特に少なくとも９７％、特に少なくとも９８％、特に少なくとも９９％の配列同一性を有する逆方向プライマーよって示されるプライマー対１１；マーカー遺伝子座１２を同定する、配列番号２３で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号２４で示される配列と少なくとも９０％、特に少なくとも９５％、特に少なくとも９６％、特に少なくとも９７％、特に少なくとも９８％、特に少なくとも９９％の配列同一性を有する逆方向プライマーよって示されるプライマー対１２；ならびにマーカー遺伝子座１３を同定する、配列番号２５で示される配列と少なくとも９０％、特に少なくとも９５％、特に少なくとも９６％、特に少なくとも９７％、特に少なくとも９８％、特に少なくとも９９％の配列同一性を有する順方向プライマー、および配列番号２６で示される配列と少なくとも９０％、特に少なくとも９５％、特に少なくとも９６％、特に少なくとも９７％、特に少なくとも９８％、特に少なくとも９９％の配列同一性を有する逆方向プライマーよって示されるプライマー対１３の群から選択される一対のＰＣＲオリゴヌクレオチドプライマーによって、あるいはアザミウマおよび／またはベミシア抵抗性形質と統計的に相関のある、第５番染色体上のマーカー遺伝子座を同定する任意の他のプライマーまたはプライマー対によって同定され得る。
【００４８】
本発明の一つの実施形態において、オリゴヌクレオチドプライマー、特にプライマー対、しかし特に表１０に示される配列番号１〜１２で示される順方向および逆方向プライマー配列のヌクレオチド配列、ならびに表１１に示される配列番号１３〜２６で示される順方向および逆方向プライマー配列のヌクレオチド配列のそれぞれと、中程度、特に中程度から高い、特に高いストリジェンシー条件下でハイブリダイズするヌクレオチド配列を示す順方向および逆方向プライマーからなるプライマー対が含まれる。
【００４９】
一つの実施形態において、本発明は、オリゴヌクレオチド配列に、特にプライマーおよび／またはプローブとして使用され得るオリゴヌクレオチド配列に、特にプライマー対に、しかし特に表１０に示される配列番号１〜１２で示される順方向および逆方向プライマー配列のヌクレオチド配列、ならびに表１１に示される配列番号１３〜２６で示される順方向および逆方向プライマー配列のヌクレオチド配列のそれぞれと、中程度、特に中程度から高い、特に高いストリジェンシー条件下でハイブリダイズするヌクレオチド配列を示す順方向および逆方向プライマーからなるプライマー対に関する。
【００５０】
本発明の別の実施形態において、本明細書で先に記載されたような栽培されたカプシクム・アンナム植物が提供され、ここで前記植物は、ベミシアに対する抵抗性に関与する１つの量的形質遺伝子座（「ＱＴＬ」）を含み、そしてＱＴＬは、少なくとも１つのマーカー遺伝子座、特に第３番染色体上のマーカー遺伝子座と遺伝的に連鎖していることによって特徴付けられ、そして前記ＱＴＬは、ＱＴＬと連鎖した少なくとも１つの前記マーカー遺伝子座における少なくとも一つのマーカー対立遺伝子によってさらに定義され、そしてマーカー対立遺伝子は、一つのオリゴヌクレオチドプライマー、あるいは配列番号１〜１２の順方向および逆方向プライマーの組み合わせから生じるプライマー対を含む、配列番号１〜１２の順方向および逆方向プライマーによって示されるプライマー対１〜６の群から選択されるプライマー対、またはベミシア抵抗性形質と統計的に相関のある、第３番染色体上のマーカー遺伝子座を同定する任意の他のプライマーもしくはプライマー対のＰＣＲ増幅産物によって特徴付けられ、そして増幅産物は、それぞれのマーカー遺伝子座が前記カプシクム植物中になお存在していることを条件として、前記プライマー対１〜６から得られる同一のプライマーを用いたＰＣＲ反応において、近交系０６１Ｍ４３８７（ＮＣＩＭＢ４１４２８）から得られる増幅産物に相当する。
【００５１】
特に、本明細書で先に記載されたような栽培されたカプシクム・アンナム植物は、ベミシアに対する抵抗性に関与する１つの量的形質遺伝子座（「ＱＴＬ」）を含み、そしてＱＴＬは、少なくとも１つのマーカー遺伝子座、特に第３番染色体上のマーカー遺伝子座と遺伝的に連鎖していることによって特徴付けられ、そして前記ＱＴＬは、ＱＴＬと連鎖した少なくとも１つの前記マーカー遺伝子座における少なくとも一つのマーカー対立遺伝子によってさらに定義され、そしてマーカー対立遺伝子は、配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される、オリゴヌクレオチドプライマー対のＰＣＲ増幅産物によって特徴付けられ、そして増幅産物は、それぞれのマーカー遺伝子座が前記カプシクム植物中になお存在していること、および／またはその対立遺伝子であると考えられ得ることを条件として、上で同定されたプライマー対１〜６から得られる同一のプライマーを用いたＰＣＲ反応において、近交系０６１Ｍ４３８７（ＮＣＩＭＢ４１４２８）から得られる増幅産物に相当する。
【００５２】
本発明の別の実施形態において、本明細書で先に記載されたような栽培されたカプシクム・アンナム植物が提供され、ここで前記植物は、ベミシアに対する抵抗性に関与する１つの量的形質遺伝子座（「ＱＴＬ」）を含み、そしてＱＴＬは、少なくとも１つのマーカー遺伝子座、特に第５番染色体上のマーカー遺伝子座と遺伝的に連鎖していることによって特徴付けられ、そして前記ＱＴＬは、ＱＴＬと連鎖した少なくとも１つの前記マーカー遺伝子座における、少なくとも一つのマーカー対立遺伝子によってさらに定義され、そしてマーカー対立遺伝子は、一つのオリゴヌクレオチドプライマー、または配列番号１３〜２６の順方向および逆方向プライマーの組み合わせから生じるプライマー対を含む、配列番号１３〜２６の順方向および逆方向プライマーによって示されるプライマー対７〜１３の群から選択されるプライマー対、またはベミシア抵抗性形質と統計的に相関のある、第５番染色体上のマーカー遺伝子座を同定する任意の他のプライマーもしくはプライマー対のＰＣＲ増幅産物によって特徴付けられ、そして増幅産物は、それぞれのマーカー遺伝子座が前記カプシクム植物中になお存在していること、および／またはその対立遺伝子であると考えられ得ることを条件として、上で同定されたプライマー対７〜１３から得られる同一のプライマーを用いたＰＣＲ反応において、近交系０６１Ｍ４３８７（ＮＣＩＭＢ４１４２８）から得られる増幅産物に相当する。
【００５３】
特に、本明細書で先に記載された栽培されたような栽培されたカプシクム・アンナム植物は、ベミシアに対する抵抗性に関与する１つの量的形質遺伝子座（「ＱＴＬ」）を含み、そしてＱＴＬは、少なくとも１つのマーカー遺伝子座、特に第５番染色体上のマーカー遺伝子座と遺伝的に連鎖していることによって特徴付けられ、そして前記ＱＴＬは、ＱＴＬと連鎖した少なくとも１つの前記マーカー遺伝子座における、少なくとも一つのマーカー対立遺伝子によってさらに定義され、そしてマーカー対立遺伝子は、配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、オリゴヌクレオチドプライマー対のＰＣＲ増幅産物によって特徴付けられ、そして増幅産物は、それぞれのマーカー遺伝子座が前記カプシクム植物中になお存在していること、および／またはその対立遺伝子であると考えられ得ることを条件として、上で同定されたプライマー対７〜１３から得られる同一のプライマーを用いたＰＣＲ反応において、近交系０６１Ｍ４３８７（ＮＣＩＭＢ４１４２８）から得られる増幅産物に相当する。
【００５４】
本発明の別の実施形態において、本明細書で先に記載されたような栽培されたカプシクム・アンナム植物が提供され、ここで前記植物は、アザミウマに対する抵抗性に関与する１つの量的形質遺伝子座（「ＱＴＬ」）を含み、そしてＱＴＬは、少なくとも１つのマーカー遺伝子座、特に第５番染色体上のマーカー遺伝子座と遺伝的に連鎖していることによって特徴付けられ、そして前記ＱＴＬは、ＱＴＬと連鎖した少なくとも１つの前記マーカー遺伝子座における少なくとも一つのマーカー対立遺伝子によってさらに定義され、そしてマーカー対立遺伝子は、一つのオリゴヌクレオチドプライマー、または配列番号１３〜２６の順方向および逆方向プライマーの組み合わせから生じるプライマー対を含む、配列番号１３〜２６の順方向および逆方向プライマーによって示されるプライマー対７〜１３の群から選択されるプライマー対、またはアザミウマ抵抗性形質と統計的に相関のある、第５番染色体上のマーカー遺伝子座を同定する任意の他のプライマーもしくはプライマー対のＰＣＲ増幅産物によって特徴付けられ、そして増幅産物は、それぞれのマーカー遺伝子座が前記カプシクム植物中になお存在していること、および／またはその対立遺伝子であると考えられ得ることを条件として、上で同定されたプライマー対７〜１３から得られる同一のプライマーを用いたＰＣＲ反応において、近交系０６１Ｍ４３８７（ＮＣＩＭＢ４１４２８）から得られる増幅産物に相当する。
【００５５】
特に、本明細書で先に記載されたような栽培されたカプシクム・アンナム植物は、アザミウマに対する抵抗性に関与する１つの量的形質遺伝子座（「ＱＴＬ」）を含み、そしてＱＴＬは、少なくとも１つのマーカー遺伝子座、特に第５番染色体上のマーカー遺伝子座と遺伝的に連鎖していることによって特徴付けられ、そして前記ＱＴＬは、ＱＴＬと連鎖した少なくとも１つの前記マーカー遺伝子座における少なくとも一つのマーカー対立遺伝子によってさらに定義され、そしてマーカー対立遺伝子は、配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、オリゴヌクレオチドプライマー対のＰＣＲ増幅産物によって特徴付けられ、そして増幅産物は、それぞれのマーカー遺伝子座が前記カプシクム植物中になお存在していること、および／またはその対立遺伝子であると考えられ得ることを条件として、上で同定されたプライマー対７〜１３から得られる同一のプライマーを用いたＰＣＲ反応において、近交系０６１Ｍ４３８７（ＮＣＩＭＢ４１４２８）から得られる増幅産物に相当する。
【００５６】
本発明の一つの実施形態において、本明細書で先に記載されたような栽培されたカプシクム・アンナム植物が提供され、そして前記植物は、ベミシアに対する抵抗性に関与する少なくとも１つの量的形質遺伝子座（「ＱＴＬ」）、およびアザミウマに対する抵抗性に関与する１つの量的形質遺伝子座（「ＱＴＬ」）をそれぞれ含み、そしてＱＴＬは、少なくとも１つのマーカー遺伝子座のそれぞれ、特に第３番染色体および第５番染色体上のマーカー遺伝子座のそれぞれと遺伝的に連鎖していることによって特徴付けられ、そして前記ＱＴＬは、
ａ）マーカー対立遺伝子が、一つのオリゴヌクレオチドプライマーまたは配列番号１〜１２の順方向および逆方向プライマーによって示されるプライマー対１〜６の群から選択されるプライマー対、またはベミシア抵抗性形質と統計的に相関のある、第３番染色体上のマーカー遺伝子座を同定する任意の他のプライマーもしくはプライマー対のＰＣＲ増幅産物によって特徴付けられる、第３番染色体上の第一のＱＴＬ、ならびに
ｂ）マーカー対立遺伝子が、一つのオリゴヌクレオチドプライマー、または配列番号１３〜２６の順方向および逆方向プライマーによって示されるプライマー対７〜１３の群から選択されるプライマー対、またはベミシアおよび／またはアザミウマ抵抗性形質と統計的に相関のある、第５番染色体上のマーカー遺伝子座を同定する任意の他のプライマーもしくはプライマー対のＰＣＲ増幅産物によって特徴付けられる、第５番染色体上の第二のＱＴＬ
と連鎖した、少なくとも１つの前記マーカー遺伝子座における、少なくとも一つのマーカー対立遺伝子によってさらに定義され、配列番号１〜１２の順方向および逆方向プライマーの組み合わせ、ならびに配列番号１３〜２６の順方向および逆方向プライマーの組み合わせのそれぞれから生じるプライマー対を含み、そして増幅産物は、それぞれのマーカー遺伝子座が前記カプシクム植物中になお存在していること、および／またはその対立遺伝子であると考えられ得ることを条件として、前記プライマー対１〜６および７〜１３のそれぞれから得られる同一のプライマーを用いたＰＣＲ反応において、近交系０６１Ｍ４３８７（ＮＣＩＭＢ４１４２８）から得られる増幅産物に相当する。
【００５７】
特に、本明細書において先に記載されたような栽培されたカプシクム・アンナム植物は、
ａ）ベミシアに対する抵抗性に関与する量的形質遺伝子座（「ＱＴＬ」）を含み、そしてＱＴＬは、少なくとも１つのマーカー遺伝子座、特に第３番染色体上のマーカー遺伝子座と遺伝的に連鎖していることによって特徴付けられ、そして前記ＱＴＬは、ＱＴＬと連鎖した少なくとも１つの前記マーカー遺伝子座における少なくとも一つのマーカー対立遺伝子によってさらに定義され、そしてマーカー対立遺伝子は、配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される、オリゴヌクレオチドプライマー対のＰＣＲ増幅産物によって、あるいはベミシア抵抗性形質と統計的に相関のある、第３番染色体上のマーカー遺伝子座を同定する任意の他のマーカー遺伝子座によって特徴付けられ、ならびに、
ｂ）アザミウマおよび／またはベミシアに対する抵抗性に関与する量的形質遺伝子座（「ＱＴＬ」）を含み、そしてＱＴＬは、少なくとも１つのマーカー遺伝子座、特に第５番染色体上のマーカー遺伝子座と遺伝的に連鎖していることによって特徴付けられ、そして前記ＱＴＬは、ＱＴＬと連鎖した少なくとも１つの前記マーカー遺伝子座における少なくとも一つのマーカー対立遺伝子によってさらに定義され、そしてマーカー対立遺伝子は、配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、オリゴヌクレオチドプライマー対のＰＣＲ増幅産物によって、あるいはアザミウマおよび／またはベミシア抵抗性形質と統計的に相関のある、第５番染色体上のマーカー遺伝子座を同定する任意の他のマーカー遺伝子座によって特徴付けられ、
ここで、それぞれの増幅産物は、それぞれのマーカー遺伝子座が前記カプシクム植物中になお存在していること、および／またはその対立遺伝子であると考えられ得ることを条件として、プライマー対１〜６および７〜１３のそれぞれから得られる同一のプライマーを用いたＰＣＲ反応において、近交系０６１Ｍ４３８７（ＮＣＩＭＢ４１４２８）から得られる増幅産物に相当する。
【００５８】
一つの実施形態において、本発明は、一つのオリゴヌクレオチドプライマー、または配列番号１〜１２および配列番号１３〜２６のそれぞれの順方向および逆方向プライマーの組み合わせから生じるプライマー対を含む、配列番号１〜１２の順方向および逆方向プライマーによって表されるプライマー対１〜６、ならびに配列番号１３〜２６の順方向および逆方向プライマーによって表されるプライマー対７〜１３のそれぞれの群から選択されるプライマー対、あるいはベミシアおよび／またはアザミウマ抵抗性形質と統計的に相関のある、第３番染色体および／または第５番染色体上のマーカー遺伝子座を同定する、任意の他のプライマーまたはプライマー対と関わるＰＣＲ反応において得られる増幅産物に関し、そして増幅産物は、それぞれのマーカー遺伝子座が前記カプシクム植物中になお存在していること、および／またはその対立遺伝子であると考えられ得ることを条件として、プライマー対１〜６および７〜１３のそれぞれから得られる同一のプライマーを用いたＰＣＲ反応において、近交系０６１Ｍ４３８７（ＮＣＩＭＢ４１４２８）から得られる増幅産物に相当する。
【００５９】
前記増幅産物の配列と少なくとも９０％、特に少なくとも９５％、特に少なくとも９６％、特に少なくとも９７％、特に少なくとも９８％、特に少なくとも９９％の配列同一性を有するポリヌクレオチドが同様に含まれる。
【００６０】
本発明の一つの実施形態において、ポリヌクレオチドは、配列番号１〜１２の順方向および逆方向プライマーによって表されるプライマー対１〜６、ならびに配列番号１３〜２６の順方向および逆方向プライマーによって表されるプライマー対７〜１３のそれぞれの群から選択されるオリゴヌクレオチドプライマー対と関わるＰＣＲ反応において得られる増幅産物のヌクレオチド配列とハイブリダイズするヌクレオチド配列を示すポリヌクレオチドが含まれる。
【００６１】
特定の実施形態において、本発明は、配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される、オリゴヌクレオチドプライマー対と関わるＰＣＲ反応において得られる増幅産物に関し、そして増幅産物は、それぞれのマーカー遺伝子座が前記カプシクム植物中になお存在していることを条件として、上で同定された前記プライマー対１〜６から得られる同一のプライマーを用いたＰＣＲ反応において、近交系０６１Ｍ４３８７（ＮＣＩＭＢ４１４２８）から得られる増幅産物に相当する。
【００６２】
別の実施形態において、本発明は、配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、オリゴヌクレオチドプライマー対と関わるＰＣＲ反応において得られる増幅産物に関し、そして増幅産物は、それぞれのマーカー遺伝子座が前記カプシクム植物中になお存在していることを条件として、上で同定された前記プライマー対７〜１３から得られる同一のプライマーを用いたＰＣＲ反応において、近交系０６１Ｍ４３８７（ＮＣＩＭＢ４１４２８）から得られる増幅産物に相当する。
【００６３】
本発明の、および本明細書において先に記載された増幅産物はその後、ベミシアおよび／またはアザミウマに対する抵抗性に関わるＱＴＬと遺伝的に連鎖したマーカー遺伝子座、特に第３番染色体および／または第５番染色体上のそれぞれのマーカー遺伝子座を同定するために使用され得る新規プライマーまたはプローブを作製するために使用され得る。
【００６４】
一つの実施形態において、本発明は、本発明の、および本明細書において先に記載されたような増幅産物から、当技術分野において既知の方法により作製されたマーカー、特にプライマーまたはプローブに関する。
【００６５】
本発明の一つの実施形態において、本発明の、および本明細書において先で記載された栽培されたカプシクム・アンナム植物が提供され、ここでベミシアに対する抵抗性に関与する前記対立遺伝子および対立遺伝子（複数）は、株０６１Ｍ４３８７、または第３番染色体および／または第５番染色体におけるＱＴＬと同一の遺伝的構造を有する任意の他の株から得られ、その代表的な種子は、受入番号ＮＣＩＭＢ４１４２８で寄託されているか、あるいは前記ＱＴＬまたはＱＴＬ構造を含むその子孫または先祖由来である。
【００６６】
これはまた、本明細書において特に開示されている前記マーカーが組み換えられ、そして植物ゲノム中にもはや存在しない植物を含む。
【００６７】
本発明の一つの実施形態において、本発明の、および本明細書において先で記載された栽培されたカプシクム・アンナム植物が提供され、ここでアザミウマに対する抵抗性に関与する前記対立遺伝子は、株０６１Ｍ４３８７、または第５番染色体におけるＱＴＬと同一の遺伝的構造を有する任意の他の株から得られ、その代表的な種子は、受入番号ＮＣＩＭＢ４１４２８で寄託されているか、あるいは前記ＱＴＬまたはＱＴＬ構造を含むその子孫または先祖由来である。
【００６８】
これは、本明細書において特に開示されている前記マーカーが組み換えられ、そして植物ゲノム中にもはや存在しない植物を含む。
【００６９】
本発明の一つの形態において、本発明の、および本明細書において先で記載された栽培されたカプシクム・アンナム植物は、ベミシアおよび／またはアザミウマ抵抗性形質のヘテロ接合体である。
【００７０】
本発明の一つの形態において、本発明の、および本明細書において先で記載された栽培されたカプシクム・アンナム植物は、ベミシアおよび／またはアザミウマ抵抗性形質のホモ接合体である。
【００７１】
本発明の一つの形態において、本発明の、および本明細書において先で記載された栽培されたカプシクム・アンナム植物は、ｃ遺伝子座（Blum et al. (2002) Genome, 45: 702-705）、もしくはｐｕｎ１対立遺伝子（Stewart et al. (2005) The Plant Journal, 42: 675-688）またはｃ遺伝子座およびｐｕｎ１対立遺伝子の両方に関してホモ接合型である。
【００７２】
本発明のさらに別の形態において、本発明の、および本明細書において先で記載された植物は、成熟時において、２ｇ超の重さであり、または１ｃｍ超の長さであり、および０．５ｃｍ超の直径を有する果実が実り、そして前記植物は、屋外圃場または温室における通常の栽培実践において栽培者によって通常使用される栽培条件下において栽培される時、アザミウマおよび／またはベミシアによって引き起こされる食害を示さない。
【００７３】
本発明の、および本明細書において先で記載された植物は、アマトウガラシ植物、ピーマン、大きい矩形状のトウガラシ、円錐形状のトウガラシ、長い円錐形状のトウガラシ、または塊状のトウガラシであってもよい。前記植物の果実は、常緑色、黄色、橙色、アイボリー色、または赤色の果実であってもよい。
【００７４】
本発明の植物は、トウガラシ（hot pepper）植物、例えば、長いハート型で薄い果肉のＡｎｃｈｏ型の、および長く平滑末端化された薄い果肉のＴｕｓｃａｎ型トウガラシを含む、生鮮市場用および加工用に使用される弱い辛味のトウガラシ、かすかにより辛味のある中程度の果肉の厚さのチリペパー果実、ならびに円柱状の果肉の厚いＪａｌａｐｅｎｏ、小さく細長い先細のＳｅｒｒａｎｏ、および果肉の薄いＣａｙｅｎｎｅトウガラシを含む生鮮市場および加工用の両方において使用される辛味のあるトウガラシであってもよい。
【００７５】
本発明の、および本明細書において先で記載された植物は、近交系、二ゲノム性半数体もしくは雑種、および／または雄性不稔であってもよい。
【００７６】
一つの実施形態において、本発明は、本発明の、および本明細書において先で記載された植物から得られる植物材料に関し、葉、幹、根、花、または花部、果実、花粉、卵細胞、接合子、種子、挿し木、細胞もしくは組織培養、または、特に植物へと生長するときに本発明の抵抗性表現型を十分に示す植物の任意の他の部分もしくは産物を含むが、それに限定されない。
【００７７】
本発明は、本発明の、および本明細書において先で記載された植物から得られる植物部位にさらに関し、植物の種子、植物の器官、例えば根、幹、葉、花芽、胚など、胚珠、花粉小胞子、植物細胞、植物組織、植物細胞培養、例えばプロトプラスト、細胞培養細胞、植物組織中の細胞、花粉、花粉管、胚珠、胚嚢、接合体および生長の種々の段階における胚芽などを含むがそれに限定されず；そしてそれは特に植物へと生長するときに本発明の抵抗性表現型を十分に示す。
【００７８】
一つの形態において、本発明は、ベミシアに対する抵抗性に寄与する量的形質遺伝子座（「ＱＴＬ」）における対立遺伝子を、前記対立遺伝子を欠如しているカプシクム・アンナム植物へ導入するための方法であって、以下のステップ：
ａ）本発明の、および本明細書において先で記載されたカプシクム属の第一の植物、特にカプシクム・アンナム植物であって、
ｉ）ＰＣＲ増幅産物、特に一つのＰＣＲオリゴヌクレオチドプライマー、または一対のＰＣＲオリゴヌクレオチドプライマー、特に配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択されるプライマー対、あるいはベミシア抵抗性形質と統計的に相関のある、第３番染色体上のマーカー遺伝子座を同定する任意の他のプライマーまたはプライマー対を使用することによって得られるＰＣＲ増幅産物によって特徴付けられる少なくとも一つのマーカー対立遺伝子；あるいは
ii）ＰＣＲ増幅産物、特に一つのＰＣＲオリゴヌクレオチドプライマー、または一対のＰＣＲオリゴヌクレオチドプライマー、特に配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択されるプライマー対、あるいはアザミウマおよび／またはベミシア抵抗性形質と統計的に相関のある、第５番染色体上のマーカー遺伝子座を同定する任意の他のプライマーまたはプライマー対を使用することによって得られるＰＣＲ産物によって特徴付けられる少なくとも一つのマーカー対立遺伝子、あるいは
iii ）ｉ）およびii）の組み合わせ；
を含む前記植物を獲得し、
ｂ）前記カプシクム属の第一の植物、特にカプシクム・アンナム植物を、第二のカプシクム・アンナム植物と交配し、ここで前記第二のカプシクム・アンナム植物は前記核酸を欠如しており；ならびに
ｃ）ベミシアに対する抵抗性の増加を示し、および少なくとも一つの前記マーカー対立遺伝子を含む、前記交配から生じる植物を同定すること；あるいは、場合により、
ｄ）ベミシアに対する抵抗性の増加を示し、およびステップａ）で同定された前記マーカー対立遺伝子を欠損している、前記交配から生じる植物を同定すること
を含む、前記方法に関する。
【００７９】
一つの形態において、本発明は、アザミウマに対する抵抗性に寄与する量的形質遺伝子座（「ＱＴＬ」）における対立遺伝子を、前記対立遺伝子を欠如しているカプシクム・アンナム植物へ導入するための方法であって、以下のステップ：
ａ）ＰＣＲ増幅産物、特に一つのＰＣＲオリゴヌクレオチドプライマー、または一対のＰＣＲオリゴヌクレオチドプライマー、特に配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択されるプライマー対、あるいはアザミウマ抵抗性形質と統計的に相関のある、第５番染色体上のマーカー遺伝子座を同定する任意の他のプライマーまたはプライマー対を使用することによって得られるＰＣＲ増幅産物によって特徴付けられる少なくとも一つのマーカー対立遺伝子を含む、カプシクム属の第一の植物、特にカプシクム・アンナム植物を獲得し、
ｂ）前記カプシクム属の第一の植物、特にカプシクム・アンナム植物を、第二のカプシクム・アンナム植物と交配し、ここで前記第二のカプシクム・アンナム植物は前記核酸を欠如しており；ならびに
ｃ）アザミウマに対する抵抗性の増加を示し、および少なくとも一つの前記マーカー対立遺伝子を含む、前記交配から生じる植物を同定すること；あるいは、場合により、
ｄ）ベミシアに対する抵抗性の増加を示し、およびステップａ）で同定された前記マーカー対立遺伝子を欠損している、前記交配から生じる植物を同定すること
を含む、前記方法に関する。
【００８０】
一つの態様において本発明は、ベミシアに対する抵抗性に寄与する少なくとも一つの第一の量的形質遺伝子座（「ＱＴＬ」）における対立遺伝子、ならびにアザミウマおよび／またはベミシアに対する抵抗性に寄与する少なくとも一つの第二の量的形質遺伝子座（「ＱＴＬ」）における対立遺伝子を、前記対立遺伝子を欠如しているカプシクム・アンナム植物へ導入するための方法であって、以下のステップ：
ａ）カプシクム属の第一の植物、特にカプシクム・アンナム植物であって、
ｉ）ＰＣＲ増幅産物、特に一つのＰＣＲオリゴヌクレオチドプライマー、または一対のＰＣＲオリゴヌクレオチドプライマー、特に配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択されるプライマー対；あるいはベミシア抵抗性形質と統計的に相関のある、第３番染色体上のマーカー遺伝子座を同定する任意の他のプライマーまたはプライマー対を使用することによって得られるＰＣＲ増幅産物によって特徴付けられる少なくとも一つのマーカー対立遺伝子；ならびに
ii）ＰＣＲ増幅産物、特にＰＣＲオリゴヌクレオチドプライマー、または一対のＰＣＲオリゴヌクレオチドプライマー、特に配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択されるプライマー対、あるいはアザミウマおよび／またはベミシア抵抗性形質と統計的に相関のある、第５番染色体上のマーカー遺伝子座を同定する任意の他のプライマーまたはプライマー対を使用することによって得られるＰＣＲ産物によって特徴付けられる少なくとも一つのマーカー対立遺伝子；
を含む前記植物を獲得し、
ｂ）前記カプシクム属の第一の植物、特にカプシクム・アンナム植物を、前記核酸を欠如した第二のカプシクム・アンナム植物と交配し；ならびに
ｃ）ベミシアおよび／またはアザミウマに対する抵抗性の増加を示し、および前記抵抗性と共に分離している少なくとも２つの前記マーカー対立遺伝子を含む、前記交配から生じる植物を同定すること；あるいは、場合により、
ｄ）ベミシアおよび／またはアザミウマに対する抵抗性の増加を示し、およびステップａ）で同定された前記マーカー対立遺伝子を欠損している、前記交配から生じる植物を同定すること
を含む、前記方法に関する。
【００８１】
一つの形態において本発明は、ベミシア抵抗性に寄与するＱＴＬを、前記対立遺伝子を欠如しているカプシクム・アンナム植物へ導入するための方法であって、以下のステップ：
ａ）ベミシア抵抗性に寄与する量的形質遺伝子座（「ＱＴＬ」）を含むゲノムを含む、カプシクム属の第一の植物、特にカプシクム・アンナム植物であって、前記ＱＴＬは、少なくとも１つのマーカー遺伝子座と、特に少なくとも２つのマーカー遺伝子座と、より特に少なくとも３つのマーカー遺伝子座と、そしてさらにより特に少なくとも４つのマーカー遺伝子座と、しかし特に少なくとも５つおよび６つ以下のマーカー遺伝子座と遺伝的に連鎖していることによって特徴付けられ、そしてマーカー遺伝子座は第３番染色体上に存在し、そしてベミシア抵抗性形質と共に分離され、そして一つのＰＣＲオリゴヌクレオチドプライマー、または一対のＰＣＲオリゴヌクレオチドプライマー、特に配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択されるプライマー対を使用することによって；あるいはベミシア抵抗性形質と統計的に相関のある任意の他のマーカー遺伝子座によって同定され得る、前記植物を獲得し；
ｂ）前記カプシクム属の第一の植物、特にカプシクム・アンナム植物を、前記核酸を欠如している第二のカプシクム・アンナム植物と交配し、；ならびに
ｃ）ベミシアに対する抵抗性の増加を示し、および前記ＱＴＬを含む、前記交配から生じる植物を同定すること；
を含む、前記方法に関する。
【００８２】
別の形態において本発明は、アザミウマ抵抗性に寄与するＱＴＬを、前記対立遺伝子を欠如しているカプシクム・アンナム植物へ導入するための方法であって、以下のステップ：
ａ）アザミウマ抵抗性に寄与する量的形質遺伝子座（「ＱＴＬ」）を含むゲノムを含む、カプシクム属の第一の植物、特にカプシクム・アンナム植物であって、前記ＱＴＬは、少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座と、および７つ以下のマーカー遺伝子座と遺伝的に連鎖していることによって特徴付けられ、そしてマーカー遺伝子座は第５番染色体上に存在し、そしてアザミウマ抵抗性形質と共に分離され、そして配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、一対のＰＣＲオリゴヌクレオチドプライマーによって；あるいはアザミウマ抵抗性形質と統計的に相関のある、第５番染色体上の任意の他のマーカー遺伝子座によって同定され得る、前記植物を獲得し；
ｂ）前記カプシクム属の第一の植物、特にカプシクム・アンナム植物を、前記核酸を欠如している第二のカプシクム・アンナム植物と交配し、；ならびに
ｃ）アザミウマに対する抵抗性の増加を示し、および前記ＱＴＬを含む、前記交配から生じる植物を同定すること；
を含む、前記方法に関する。
【００８３】
一つの形態において本発明は、ベミシアおよびアザミウマに対する抵抗性に寄与するＱＴＬを、前記対立遺伝子（複数）を欠如しているカプシクム・アンナム植物へ導入するための方法であって、以下のステップ：
ａ）カプシクム属の第一の植物、特にカプシクム・アンナム植物を獲得し、ここで前記植物は、
ｉ）ベミシア抵抗性に寄与する量的形質遺伝子座（「ＱＴＬ」）であって、少なくとも１つのマーカー遺伝子座と、特に少なくとも２つのマーカー遺伝子座と、より特に少なくとも３つのマーカー遺伝子座と、そしてさらにより特に少なくとも４つのマーカー遺伝子座と、しかし特に少なくとも５つおよび６つ以下のマーカー遺伝子座と遺伝的に連鎖していることによって特徴付けられ、そしてマーカー遺伝子座は第３番染色体上に存在し、そしてベミシア抵抗性形質と共に分離され、そして一つのＰＣＲオリゴヌクレオチドプライマー、または一対のＰＣＲオリゴヌクレオチドプライマー、特に配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択されるプライマー対を使用することによって；あるいはベミシア抵抗性形質と統計的に相関のある、第３番染色体上の任意の他のマーカー遺伝子座によって同定され得る前記ＱＴＬ、ならびに
ii）アザミウマ抵抗性に寄与するＱＴＬであって、少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座と、および７つ以下のマーカー遺伝子座と遺伝的に連鎖していることによって特徴付けられ、そしてマーカー遺伝子座は第５番染色体上に存在し、そしてアザミウマ抵抗性形質と共に分離され、そして一つのＰＣＲオリゴヌクレオチドプライマー、または一対のＰＣＲオリゴヌクレオチドプライマー、特に配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択されるプライマー対を使用することによって；あるいはアザミウマ抵抗性形質と統計的に相関のある、第５番染色体上の任意の他のマーカー遺伝子座によって同定され得る前記ＱＴＬ；
を含むゲノムを含み、
ｂ）前記カプシクム属の第一の植物、特にカプシクム・アンナム植物を、前記核酸を欠如している第二のカプシクム・アンナム植物と交配し、；ならびに
ｃ）アザミウマに対する抵抗性の増加を示し、および前記ＱＴＬを含む、前記交配から生じる植物を同定すること；
を含む、前記方法に関する。
【００８４】
本発明の特定の実施形態において、第一のカプシクム・アンナム植物は、ベミシアおよび／またはアザミウマ抵抗性遺伝子座において、受入番号ＮＣＩＭＢ４１４２８で寄託されている代表的な種子である株０６１Ｍ４３８７、あるいはその子孫または先祖の遺伝的背景、しかし特に遺伝的構造を有する植物であり、しかし特に前記株０６１Ｍ４３８７、あるいはその子孫または先祖の植物である。
【００８５】
本発明の別の特定の実施形態において、本明細書において先に記載された任意の方法のステップｃ）における、ベミシアおよび／またはアザミウマに対する抵抗性の増加を示し、および本発明の前記ＱＴＬを含むカプシクム・アンナム植物の同定は、実施例２Ａおよび２Ｂのそれぞれに開示されたようなランキング・スケールを使用する表現型評価によって、または本発明の、および本明細書において先に開示された分子マーカー、あるいはその組み合わせを使用することによって行われる。
【００８６】
一つの形態において本発明は、ベミシアおよび／またはアザミウマ抵抗性遺伝子座において、受入番号ＮＣＩＭＢ４１４２８で寄託されている代表的な種子である株０６１Ｍ４３８７、あるいはその子孫または先祖の遺伝的背景、しかし特に遺伝的構造を有する植物、あるいはその子孫または先祖の植物から、特にベミシアおよび／またはアザミウマ抵抗性に寄与するＱＴＬにおいて、株０６１Ｍ４３８７、あるいはその子孫または先祖の遺伝的構造を有する植物から、しかし特に前記株０６１Ｍ４３８７、あるいはその子孫または先祖から得られる対立遺伝子座またはＱＴＬの使用であって、ベミシア抵抗性およびアザミウマ抵抗性のそれぞれと関わりのある前記対立遺伝子を欠如しているカプシクム・アンナム植物において、ベミシアおよび／またはアザミウマに対する抵抗性を付与するための前記使用に関する。
【００８７】
本発明は、ベミシアに対して抵抗性を有する、特に中程度に抵抗性を有する、栽培されたカプシクム・アンナム植物をさらに含み、前記植物は、ベミシアに対する感受性を有するカプシクム・アンナム植物を、受入番号ＮＣＩＭＢ４１４２８で寄託されている代表的な種子である株０６１Ｍ４３８７の植物、あるいはその子孫または先祖と交配することによって；ならびに、配列番号１〜１２で示されるヌクレオチド配列と、少なくとも９０％、特に少なくとも９５％、特に少なくとも９６％、特に少なくとも９７％、特に少なくとも９８％、特に少なくとも９９％同一であるヌクレオチド配列を示す順方向プライマーおよび逆方向プライマーからなる一対のＰＣＲオリゴヌクレオチドプライマーによる、あるいはアザミウマ抵抗性形質と統計的に相関のある、第５番染色体上のマーカー遺伝子座を同定する任意の他のプライマーまたはプライマー対によるＰＣＲ反応において同定され得るＱＴＬを含む植物を選択することによって得られる。
【００８８】
一つの実施形態において、本発明は、アザミウマに対して抵抗性を有する、特に中程度に抵抗性を有する、栽培されたカプシクム・アンナム植物を提供し、前記植物は、アザミウマに対する感受性を有するカプシクム・アンナム植物を、受入番号ＮＣＩＭＢ４１４２８で寄託されている代表的な種子である株０６１Ｍ４３８７の植物、あるいはその子孫または先祖と交配することによって；ならびに、配列番号１３〜２６で示されるヌクレオチド配列と、少なくとも９０％、特に少なくとも９５％、特に少なくとも９６％、特に少なくとも９７％、特に少なくとも９８％、特に少なくとも９９％同一であるヌクレオチド配列を示す順方向プライマーおよび逆方向プライマーからなる一対のＰＣＲオリゴヌクレオチドプライマーによる、あるいはアザミウマ抵抗性形質と統計的に相関のある、第５番染色体上のマーカー遺伝子座を同定する任意の他のプライマーまたはプライマー対によるＰＣＲ反応において同定され得るＱＴＬを含む植物を選択することによって得られる。
【００８９】
一つの実施形態において、本発明は、ベミシアおよびアザミウマに対して抵抗性を有する、特に中程度に抵抗性を有する、栽培されたカプシクム・アンナム植物を提供し、前記植物は、ベミシアおよび／またはアザミウマに対する感受性を有するカプシクム・アンナム植物を、受入番号ＮＣＩＭＢ４１４２８で寄託されている代表的な種子である株０６１Ｍ４３８７の植物、あるいはその子孫または先祖と交配することによって；ならびに、配列番号１〜１２、および配列番号１３〜２６のそれぞれで示されるヌクレオチド配列と、少なくとも９０％、特に少なくとも９５％、特に少なくとも９６％、特に少なくとも９７％、特に少なくとも９８％、特に少なくとも９９％同一であるヌクレオチド配列を示す順方向プライマーおよび逆方向プライマーからなる一対のＰＣＲオリゴヌクレオチドプライマーによる、あるいはアザミウマおよびベミシア抵抗性形質のそれぞれと統計的に相関のある、第３番染色体上、および第５番染色体上のマーカー遺伝子座を同定する任意の他のプライマーまたはプライマー対によるＰＣＲ反応において同定され得るＱＴＬを含む植物を選択することによって得られる。
【００９０】
一つの形態において本発明は、以下のステップ：
ａ）本発明の、および本明細書において先で記載された、ベミシアに対して抵抗性を有する、特に中程度に抵抗性を有する、栽培されたカプシクム・アンナム植物を栽培し、
ｂ）前記植物に果実を実らせ；そして
ｃ）前記植物の果実を収穫すること
を含む、トウガラシの果実を生産する方法に関する。
【００９１】
一つの形態において本発明は、トウガラシの果実、特にベミシアおよび／またはアザミウマにより引き起こされる食害から本質的に免れているトウガラシの果実を生産する方法であって、以下のステップ：
ａ）本発明の、および本明細書において先で記載された、アザミウマに対して抵抗性を有する、特に中程度に抵抗性を有する、栽培されたカプシクム・アンナム植物を栽培し、
ｂ）前記植物に果実を実らせ；そして
ｃ）前記植物の果実を収穫すること
を含む、前記方法に関する。
【００９２】
一つの形態において本発明は、トウガラシの果実、特にアザミウマにより引き起こされる食害から本質的に免れているトウガラシの果実を生産する方法であって、以下のステップ：
ａ）本発明の、および本明細書において先で記載された、ベミシアおよびアザミウマに対して抵抗性を有する、特に中程度に抵抗性を有する、栽培されたカプシクム・アンナム植物を栽培し、
ｂ）前記植物に果実を実らせ；そして
ｃ）前記植物の果実を収穫すること
を含む、前記方法に関する。
【００９３】
別の形態において本発明は、以下のステップ：
ａ）本発明の、および本明細書において先で記載された、ベミシアに対して抵抗性を有する、特に中程度に抵抗性を有する、栽培されたカプシクム・アンナム植物を栽培し、
ｂ）前記植物の果実を収穫し；そして
ｃ）前記果実から種子を取り出すこと
を含む、トウガラシの種子を生産する方法に関する。
【００９４】
別の形態において本発明は、以下のステップ：
ａ）本発明の、および本明細書において先で記載された、アザミウマに対して抵抗性を有する、特に中程度に抵抗性を有する、栽培されたカプシクム・アンナム植物を栽培し、
ｂ）前記植物の果実を収穫し；そして
ｃ）前記果実から種子を取り出すこと
を含む、トウガラシの種子を生産する方法に関する。
【００９５】
別の形態において本発明は、以下のステップ：
ａ）本発明の、および本明細書において先で記載された、ベミシアおよびアザミウマに対して抵抗性を有する、特に中程度に抵抗性を有する、栽培されたカプシクム・アンナム植物を栽培し、
ｂ）前記植物から果実を収穫し；そして
ｃ）前記果実から種子を取り出すこと
を含む、トウガラシの種子を生産する方法に関する。
【００９６】
一つの実施形態において本発明は、第３番染色体上に位置するベミシア抵抗性に寄与する量的形質遺伝子座（「ＱＴＬ」）において；特に受入番号ＮＣＩＭＢ４１４２８で寄託されている代表的な種子である、カプシクム・アンナムの株０６１Ｍ４３８７由来のＱＴＬ、または前記ＱＴＬを含むその子孫または先祖由来のＱＴＬにおいて、ベミシアに対する抵抗性に関連する対立遺伝子を含む、ベミシアに対して抵抗性を示すトウガラシ植物を生産する方法であって、以下のステップ：
ａ）ベミシアに対する感受性を有するレシピエントのトウガラシ植物、またはベシミアの被害に対する抵抗性を付与するＱＴＬ対立遺伝子を含まない植物を提供し；
ｂ）第３番染色体上にある抵抗性ＱＴＬ対立遺伝子の存在により、ベミシアの被害に対する抵抗性を示すドナーのトウガラシ植物を提供し；
ｃ）好ましいＱＴＬ対立遺伝子の存在に関して分離する子孫の植物を生産するために、レシピエントとドナー植物とを交配し；
ｄ）第３番染色体上のＱＴＬの領域における組み換えに関して、子孫の植物のゲノムをスクリーニングすること
を含む、前記方法に関する。
【００９７】
一つの実施形態において本発明は、第３番染色体上および／または第５番染色体上に位置するアザミウマ抵抗性に寄与する量的形質遺伝子座（「ＱＴＬ」）において；特に受入番号ＮＣＩＭＢ４１４２８で寄託されている代表的な種子である、カプシクム・アンナムの株０６１Ｍ４３８７由来のＱＴＬにおいて、あるいは前記ＱＴＬを含むその子孫または先祖由来のＱＴＬにおいて、ベミシアに対する抵抗性に関連する対立遺伝子を含む、ベミシアに対して抵抗性を示すトウガラシ植物を生産する方法であって、以下のステップ：
ａ）ベミシアに対する感受性を有するレシピエントのトウガラシ植物、またはベシミアの被害に対する抵抗性を付与するＱＴＬ対立遺伝子を含まない植物を提供し；
ｂ）第３番染色体上および／または第５番染色体上にある抵抗性ＱＴＬ対立遺伝子の存在により、ベミシアの被害に対する抵抗性を示すドナーのトウガラシ植物を提供し；
ｃ）好ましいＱＴＬ対立遺伝子の存在に関して分離する子孫の植物を生産するために、レシピエントとドナー植物とを交配し；
ｄ）第３番染色体および／または第５番染色体上のＱＴＬの領域における組み換えに関して、子孫の植物のゲノムをスクリーニングすること
を含む、前記方法に関する。
【００９８】
一つの実施形態において本発明は、第５番染色体上に位置するアザミウマ抵抗性に寄与する量的形質遺伝子座（「ＱＴＬ」）において；特に受入番号ＮＣＩＭＢ４１４２８で寄託されている代表的な種子である、カプシクム・アンナムの株０６１Ｍ４３８７由来のＱＴＬにおける、あるいは前記ＱＴＬを含むその子孫または先祖由来のＱＴＬにおいて、アザミウマに対する抵抗性に関連する対立遺伝子を含む、アザミウマに対して抵抗性を示すトウガラシ植物を生産する方法であって、以下のステップ：
ａ）アザミウマに対する感受性を有するレシピエントのトウガラシ植物、またはアザミウマの被害に対する抵抗性を付与するＱＴＬ対立遺伝子を含まない植物を提供し；
ｂ）第５番染色体上にある抵抗性ＱＴＬ対立遺伝子の存在により、アザミウマの被害に対する抵抗性を示すドナーのトウガラシ植物を提供し；
ｃ）好ましいＱＴＬ対立遺伝子の存在に関して分離する子孫の植物を生産するために、レシピエントとドナー植物とを交配し；
ｄ）第５番染色体上のＱＴＬの領域における組み換えに関して、子孫の植物のゲノムをスクリーニングすること
を含む、前記方法に関する。
【００９９】
一つの実施形態において本発明は、第３番染色体上に位置する、ベミシア抵抗性に寄与する量的形質遺伝子座（「ＱＴＬ」）において、ベミシアに対する抵抗性に関与する対立遺伝子、ならびに第５番染色体上に位置する、アザミウマおよび／またはベミシア抵抗性に寄与する量的形質遺伝子座（「ＱＴＬ」）において；特に第３番および第５番染色体のそれぞれに位置する、受入番号ＮＣＩＭＢ４１４２８で寄託されている代表的な種子である、カプシクム・アンナムの株０６１Ｍ４３８７由来のＱＴＬ、あるいは前記ＱＴＬを含むその子孫または先祖由来のＱＴＬにおける、アザミウマおよび／またはベミシアに対する抵抗性に関与する対立遺伝子を含む、ベミシアおよびアザミウマに対して抵抗性を示すトウガラシ植物を生産する方法であって、以下のステップ：
ａ）ベミシアおよび／またはアザミウマに対する感受性を有するレシピエントのトウガラシ植物、またはベシミアおよび／またはアザミウマの被害に対する抵抗性を付与するＱＴＬ対立遺伝子を含まない植物を提供し；
ｂ）第３番染色体上および／または第５番染色体上のそれぞれにある抵抗性ＱＴＬ対立遺伝子の存在により、ベミシアおよび／またはアザミウマの被害に対する抵抗性を示すドナーのトウガラシ植物を提供し；
ｃ）好ましいＱＴＬ対立遺伝子の存在に関して分離する子孫の植物を生産するために、レシピエントとドナー植物とを交配し；
ｄ）第３番および／または第５番染色体上のＱＴＬの領域における組み換えに関して、子孫の植物のゲノムをスクリーニングすること
を含む、前記方法に関する。
【０１００】
一つの実施形態において本発明は、本発明の、および本明細書において先に記載されたベミシアおよび／またはアザミウマに対する抵抗性を示すトウガラシ植物を生産する方法であって、前記子孫の植物が、ステップｃ）における前記交配から得られるＦ１植物の自家受粉によって、または別のトウガラシ植物との前記交配から得られるＦ１植物を交配することによって生産される分離集団の植物である、前記方法に関する。
【０１０１】
一つの実施形態において本発明は、本発明の、および本明細書において先に記載されたベミシアおよび／またはアザミウマに対する抵抗性を示すトウガラシ植物を生産する方法であって、ステップｃ）で得られる分離集団が、標準的な抵抗性アッセイ、例えば実施例２Ａおよび２Ｂのそれぞれに記載されたような抵抗性アッセイを受けてもよい、前記方法に関する。
【０１０２】
一つの実施形態において本発明は、本発明の、および本明細書において先に記載されたベミシアおよび／またはアザミウマに対する抵抗性を示すトウガラシ植物を生産する方法であって、ステップｄ）における子孫の植物の前記スクリーニングが、抵抗性アッセイ、例えば実施例２Ａおよび２Ｂのそれぞれに記載されたような抵抗性アッセイを行なうことによって支持されてもよいマーカー型スクリーニングである、前記方法に関する。
【０１０３】
一つの実施形態において本発明は、本発明の、および本明細書において先に記載されたベミシアおよび／またはアザミウマに対する抵抗性を示すトウガラシ植物を生産する方法であって、ゲノムの前記スクリーニングが、第３番染色体および／または第５番染色体のそれぞれと遺伝的に連鎖している分子マーカーを使用して行われる、前記方法に関する。
【０１０４】
一つの実施形態において本発明は、本発明の、および本明細書において先に記載されたベミシアに対する抵抗性を示すトウガラシ植物を生産する方法であって、ゲノムの前記スクリーニングが、ＰＣＲオリゴヌクレオチドプライマー、または配列番号１〜１２の順方向および逆方向プライマーによって示されるプライマー対１〜６の群から選択される一対のＰＣＲオリゴヌクレオチドプライマーのＰＣＲ増幅産物によって特徴付けられる、少なくとも一つのマーカーと遺伝的に連鎖している分子マーカーを使用することによって行われる、前記方法に関する。
【０１０５】
一つの実施形態において本発明は、本発明の、および本明細書において先に記載されたアザミウマに対する抵抗性を示すトウガラシ植物を生産する方法であって、ゲノムの前記スクリーニングが、ＰＣＲオリゴヌクレオチドプライマー、または配列番号１３〜２６の順方向および逆方向プライマーによって示されるプライマー対７〜１３の群から選択される一対のＰＣＲオリゴヌクレオチドプライマーのＰＣＲ増幅産物によって特徴付けられる、少なくとも一つのマーカーと遺伝的に連鎖している分子マーカーを使用することによって行われる、前記方法に関する。
【０１０６】
一つの実施形態において本発明は、本発明の、および本明細書において先に記載されたベミシアに対する抵抗性を示すトウガラシ植物を生産する方法であって、ベミシアに対する抵抗性をなお付与する減少したゲノム断片をＱＴＬにおいて含む子孫の植物であって、ドナー植物におけるＱＴＬと連鎖した少なくとも一つのマーカー遺伝子座において、一つのＰＣＲオリゴヌクレオチドプライマー、または配列番号１〜１２の順方向および逆方向プライマーによって示されるプライマー対１〜６の群から選択されるオリゴヌクレオチドプライマー対のＰＣＲ増幅産物によって特徴付けられる、少なくとも一つのマーカー対立遺伝子との連鎖が断たれている、前記植物が同定および選択される、前記方法に関する。
【０１０７】
一つの実施形態において本発明は、本発明の、および本明細書において先に記載されたベミシアに対する抵抗性を示すトウガラシ植物を生産する方法であって、前記ＱＴＬにおいてベミシアに対する抵抗性をなお付与する減少したゲノム断片を含む子孫の植物であって、一つのＰＣＲオリゴヌクレオチドプライマー、または配列番号１〜１２の順方向および逆方向プライマーによって示されるプライマー対１〜６の群から選択されるオリゴヌクレオチドプライマー対のＰＣＲ増幅産物によって特徴付けられる全てのマーカー対立遺伝子との連鎖が断たれている前記植物が同定および選択される、前記方法に関する。
【０１０８】
一つの実施形態において本発明は、本発明の、および本明細書において先に記載されたアザミウマに対する抵抗性を示すトウガラシ植物を生産する方法であって、ＱＴＬにおいてアザミウマに対する抵抗性をなお付与する減少したゲノム断片を含む子孫の植物であって、ドナー植物におけるＱＴＬと連鎖した少なくとも一つのマーカー遺伝子座において、一つのＰＣＲオリゴヌクレオチドプライマー、または配列番号１３〜２６の順方向および逆方向プライマーによって示されるプライマー対７〜１３の群から選択されるオリゴヌクレオチドプライマー対のＰＣＲ増幅産物によって特徴付けられる、少なくとも一つのマーカー対立遺伝子との連鎖が断たれている前記植物が同定および選択される、前記方法に関する。
【０１０９】
一つの実施形態において本発明は、本発明の、および本明細書において先に記載されたアザミウマに対する抵抗性を示すトウガラシ植物を生産する方法であって、アザミウマに対する抵抗性をなお付与するＱＴＬにおける減少したゲノム断片を含む子孫の植物であって、一つのＰＣＲオリゴヌクレオチドプライマー、または配列番号１３〜２６の順方向および逆方向プライマーによって示されるプライマー対７〜１３の群から選択されるオリゴヌクレオチドプライマー対のＰＣＲ増幅産物によって特徴付けられる全てのマーカー対立遺伝子との連鎖が断たれている、前記植物が同定および選択される、前記方法に関する。
【０１１０】
一つの実施形態において本発明は、本発明の、および本明細書において先に記載されたベミシアおよび／またはアザミウマに対する抵抗性を示すトウガラシ植物を生産する方法であって、ＱＴＬにおいてベミシアおよび／またはアザミウマに対する抵抗性をなお付与するゲノム断片、特に減少したゲノム断片を含む植物が、マーカー型スクリーニングによって、または抵抗性アッセイを行なうことによって、または両方の組み合わせによって、特にマーカー型スクリーニングによって同定され、そして前記マーカーが同一群において分離していることを条件として、ＱＴＬ領域中に位置し、および少なくとも一つのマーカー遺伝子座と遺伝的に連鎖したマーカーが使用される、前記方法に関する。
【０１１１】
一つの実施形態において本発明は、ベミシア抵抗性に寄与する量的形質遺伝子座（「ＱＴＬ」）を同定する方法であって、一つのＰＣＲオリゴヌクレオチドプライマー、または配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される一対のＰＣＲオリゴヌクレオチドプライマーをＰＣＲ反応において使用することを含む、前記方法に関する。
【０１１２】
一つの実施形態において本発明は、ベミシア抵抗性に寄与する量的形質遺伝子座（「ＱＴＬ」）を同定する方法であって、一つのＰＣＲオリゴヌクレオチドプライマー、または配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される一対のＰＣＲオリゴヌクレオチドプライマーをＰＣＲ反応において使用することを含む、前記方法に関する。
【０１１３】
一つの実施形態において本発明は、ベミシア抵抗性に寄与する量的形質遺伝子座（「ＱＴＬ」）を同定する方法であって、
ａ）一つのＰＣＲオリゴヌクレオチドプライマー、または配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される一対のＰＣＲオリゴヌクレオチドプライマー；ならびに
ｂ）一つのＰＣＲオリゴヌクレオチドプライマー、または配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される一対のＰＣＲオリゴヌクレオチドプライマー
をＰＣＲ反応において使用することを含む、前記方法に関する。
【０１１４】
一つの実施形態において本発明は、アザミウマ抵抗性に寄与する量的形質遺伝子座（「ＱＴＬ」）を同定する方法であって、一つのＰＣＲオリゴヌクレオチドプライマー、または配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される一対のＰＣＲオリゴヌクレオチドプライマーをＰＣＲ反応において使用することを含む、前記方法に関する。
【０１１５】
一つの実施形態において本発明は、本発明の、および本明細書において先に記載された方法によって同定され、ベミシア抵抗性に寄与し、そして第３番染色体上に位置するＱＴＬに関する。
【０１１６】
一つの実施形態において本発明は、本発明の、および本明細書において先に記載された方法によって同定され、ベミシア抵抗性に寄与し、そして第５番染色体上に位置するＱＴＬに関する。
【０１１７】
一つの実施形態において本発明は、本発明の、および本明細書において先に記載された方法によって同定され、アザミウマ抵抗性に寄与し、そして第５番染色体上に位置するＱＴＬに関する。
【０１１８】
一つの実施形態において本発明は、第３番染色体上に位置し、ベミシア抵抗性に寄与する少なくとも一つのＱＴＬを含むゲノムを含む、栽培されたカプシクム・アンナム植物であって、前記少なくとも一つのＱＴＬが、連鎖不平衡にある、および／またはＱＴＬ領域と連鎖している、および／またはＱＴＬ領域に位置する分子マーカーによって、ならびにＱＴＬに内在する実在の原因変異を示し、したがって、表現型形質と統計的相関を示すマーカーによって同定されることができ、そしてマーカーが配列番号１〜１２で開示されたようなオリゴヌクレオチドプライマーを使用することで作製され得る、前記植物を提供する。
【０１１９】
一つの実施形態において本発明は、第３番および第５番染色体上に位置し、ベミシア抵抗性に寄与する少なくとも２つのＱＴＬを含むゲノムを含む、栽培されたカプシクム・アンナム植物であって、前記少なくとも２つのＱＴＬが、連鎖不平衡にある、および／またはＱＴＬ領域と連鎖している、および／またはＱＴＬ領域に位置する分子マーカーによって、ならびにＱＴＬに内在する実在の原因変異を示し、したがって、表現型形質と統計的相関を示すマーカーによって同定されることができ、そしてマーカーが配列番号１〜１２および配列番号１３〜２６のそれぞれで開示されたようなオリゴヌクレオチドプライマーを使用することで作製され得る、前記植物を提供する。
【０１２０】
一つの実施形態において、本発明は第５番染色体上に位置し、アザミウマ抵抗性に寄与する少なくとも１つのＱＴＬを含むゲノムを含む、栽培されたカプシクム・アンナム植物であって、前記少なくとも一つのＱＴＬが、連鎖不平衡にある、および／またはＱＴＬ領域と連鎖している、および／またはＱＴＬ領域に位置する分子マーカーによって、ならびにＱＴＬに内在する実在の原因変異を示し、したがって、表現型形質と統計的相関を示すマーカーによって同定されることができ、そしてマーカーが配列番号１３〜２６で開示されたようなオリゴヌクレオチドプライマーを使用することで作製され得る、前記植物を提供する。
【０１２１】
一つの実施形態において本発明は、第３番および第５番染色体上に位置し、ベミシアおよびアザミウマ抵抗性に寄与する少なくとも２つのＱＴＬを含むゲノムを含む、栽培されたカプシクム・アンナム植物であって、前記少なくとも２つのＱＴＬが、連鎖不平衡にある、および／またはＱＴＬ領域と連鎖している、および／またはＱＴＬ領域に位置する分子マーカーによって、ならびにＱＴＬに内在する実在の原因変異を示し、したがって、表現型形質と統計的相関を示すマーカーによって同定されることができ、そしてマーカーが配列番号１〜１２および配列番号１３〜２６のそれぞれで開示されたようなオリゴヌクレオチドプライマーを使用することで作製され得る、前記植物を提供する。
【０１２２】
定義
本出願の範囲内において使用される技術用語および表現は、別途本明細書の以下で示されないのであれば、植物育種および栽培の関連医術分野において普通に適用される意味を通常示すものとする。
【０１２３】
「栽培されたカプシクム・アンナム植物」とは、もはや天然の状態にはないが、ヒトの世話によって、ヒトの使用および／または消費のために開発された植物のことであると、本発明の範囲内において理解される。
【０１２４】
本明細書および添付の特許請求の範囲において使用される単数形「一つの（ａ）」「一つの（ａｎ）」「その（ｔｈｅ）」は、文脈において別途明確に指示が無ければ、複数形の指示語を含む。したがって例えば、「一つの（ａ）植物」の言及は、一つ以上の植物を含み、そして「一つの（ａ）細胞」の言及は、細胞、組織の混合物などを含む。
【０１２５】
「対立遺伝子」は、本発明の範囲内において、遺伝子の、または任意の種類の確認可能な遺伝的要素の異なる形態と同一のまたは関連のある種々の遺伝的単位の代替的または変形形態のことと理解され、そしてそれらは相同染色体中の同一の遺伝子座に位置するために、遺伝子形質における代替物である。かかる代替物または変形形態は、単一ヌクレオチド多型、挿入、逆位、転座、または欠失の結果であってもよく、あるいは例えば化学的もしくは構造的修飾、転写制御、または翻訳後修飾／制御によって引き起こされる遺伝子制御の結果であってもよい。２倍体細胞または生物において示される遺伝子または遺伝的要素の２つの対立遺伝子は通常、一対の相同染色体における対応する遺伝子座を占める。
【０１２６】
量的形質に関連する対立遺伝子は、単一の遺伝子もしくは複数の遺伝子、またはそれらの産物、または遺伝子破壊とさえ同一もしくは関連のあるもの、あるいは前記ＱＴＬによって表される表現型に寄与する遺伝因子によって制御されるものを含む、種々の遺伝単位の代替物または変形形態を含んでもよい。
【０１２７】
本明細書において使用される用語「マーカー対立遺伝子」は、表現型形質の可変性に寄与する染色体上の対立遺伝子を含む遺伝子座に位置するマーカーとして使用されるとき、
本明細書において上で定義されたような遺伝単位の代替物または変形形態のことをいう。
【０１２８】
本明細書において使用される用語「育種」およびその文法的変化とは、子孫個体を産生する任意の方法のことである。育種は、有性生殖もしくは無性生殖、またはその任意の組み合わせであり得る。例示的な非限定の育種形式は、交配、自殖、倍加半数体誘導体の発生、およびその組み合わせを含む。
【０１２９】
本明細書において使用される語句「確立された育種集団」とは、育種計画；例えば市販の育種計画において、親によって生産される、および／または親として使用される将来的な育種相手の集まりのことを言う。確立された育種集団のメンバーは通常、遺伝的に、および／または表現型的に十分に特徴付けられている。例えば、対象となる幾つかの表現型形質は、例えば異なる環境条件下において、複数の場所で、および／または異なる時間において評価されてもよい。代替的または追加的に、表現型形質の発現と関連のある一つ以上の遺伝子座が同定され、そして一つ以上育種集団のメンバーは、一つ以上の遺伝子座に関して、および一つ以上の遺伝子座と関連する一つ以上の遺伝マーカーに関して、遺伝子型の同定がなされてもよい。
【０１３０】
本明細書において使用される語句「２倍体個体」とは、２セットの染色体、具体的にはその二つの親種のそれぞれ由来のもののことである。しかし幾つかの実施形態において、例えば植物が次世代の植物を生産するために自家受粉されるときのように、２倍体個体は同じ単一の生物由来のその「母系性の」および「父系性の」染色体のセットを受け取り得ることが理解される。
【０１３１】
「ホモ接合性」とは、本発明の範囲内において、相同染色体上の１つ以上の対応する遺伝子座における同種の対立遺伝子のことであると理解される。
【０１３２】
「ヘテロ接合性」とは、本発明の範囲内において、相同染色体上の１つ以上の対応する遺伝子座における異種の対立遺伝子のことであると理解される。
【０１３３】
「戻し交配」とは、本発明の範囲内において、雑種子孫が、その親の一つと繰り返し交配される方法のことをいうものと理解される。異なる反復親が、後に起こる戻し交配のために使用されてもよい。
【０１３４】
「遺伝子座」とは、発明の範囲内において、形質に寄与する遺伝子、または任意の他の遺伝因子もしくは要因を含む、染色体上の領域のことであると理解される。
【０１３５】
本明細書において使用される「マーカー遺伝子座」とは、個人のゲノム中に存在し、そして一つ以上の興味のある遺伝子座と関連のあるヌクレオチドまたはポリヌクレオチド配列を含み、そして形質に寄与する遺伝子、または任意の他の遺伝因子もしくは要因を含む染色体上の領域のことである。「マーカー遺伝子座」とはまた、遺伝子配列、例えばプローブとして使用される核酸の配列と相補的なポリヌクレオチド配列を含む、染色体上の領域のことをいう。
【０１３６】
「遺伝的連鎖」とは、本発明の範囲内において、同一の染色体上において近接している遺伝子の位置による、遺伝における特徴の連関のことであって、遺伝子座間のパーセント組み換え（センチモルガン，  ｃＭ）によって測定されるものであると理解される。
【０１３７】
本明細書において使用される語句「量的形質」とは、数値的に記載され得る（すなわち定量化され得る、または数値化され得る）表現型形質のことである。量的形質は、具体的には、集団の個体間の連続的な変化を示す；すなわち、表現型形質の数値における違いはかすかであり、そしてそれぞれに類別される。高い頻度で、量的表現型形質の集団における頻度分布は釣鐘曲線を示す（すなわち、２つの両極端間において通常の分布を示す）。今回の場合において、量的形質は、ベミシア属および／または総翅目の昆虫に対する耐性の観点において、集団の個体間における連続的な変化を示し、そして抵抗性は、被害の重症度を評価するために１〜９のスケールを使用する標準化された昆虫抵抗性アッセイを用いて評価される。量的形質は、具体的には、環境と相互作用する一つの遺伝子座の、あるいは互いに、および／または環境と相互作用する複数の遺伝子座（ＱＴＬ）の結果である。量的形質の例は、植物の高さ、および収量を含む。
【０１３８】
本発明の目的のために、用語「同時分離」とは、形質に関する対立遺伝子、およびマーカー（複数）に関する対立遺伝子（複数）が、同一の染色体上で共に物理的に近接しているために、（それらの物理的近接のためにそれらの間における組み換えが減少し、）同一の染色体上にあるそれらの近接の結果として、それらの対立遺伝子が選択的に連関されるため、それらが共に伝達される傾向にある事実のことである。「同時分離」はまた、少なくとも一つが遺伝的であることが知られており、偶然によって容易に説明されることのできない、単一の植物中における２つ以上の形質の存在に関する。
【０１３９】
本明細書において使用される用語「量的形質遺伝子座」（ＱＴＬ）および「マーカー形質連関」とは、遺伝子マーカーと、対象形質の表現型に影響する染色体領域および／または遺伝子との間の連関のことをいう。具体的に、これは統計的に；例えば文献に発表された１つ以上の方法に基づいて決定される。ＱＴＬは、表現型形質（量的形質または質的形質のいずれか）に特異的に影響を与える、少なくとも２つの対立遺伝子を有する染色体領域および／または遺伝子座であり得る。
【０１４０】
本明細書において使用される用語「ＱＴＬにおける遺伝的構造」とは、対象となる表現型形質と統計的に相関があり、そして対象となる表現型形質の内在的な遺伝学的基礎を示す遺伝子領域のことである。
【０１４１】
本明細書において使用される語句「有性的に交配された」および「有性生殖」は、対象を開示された本明細書の文脈において、子孫を産生するための（例えば植物における受粉によって種子を産生するための受精による）配偶子融合のことをいう。「有性的交配」または「他家受精」は、幾つかの実施形態において、一つの個体の、別の個体による受精のこと（例えば植物における異花受粉）である。用語「自殖」とは、幾つかの実施形態において、自家受精または自家受粉による種子の産生のことである；すなわち、花粉および胚珠は同一の植物由来である。
【０１４２】
本明細書において使用される語句「遺伝子マーカー」とは、対象となる一つ以上の遺伝子座と関連のある個体のゲノムの特徴のこと（例えば、個人のゲノム中に存在するヌクレオチドまたはポリヌクレオチド配列）である。幾つかの実施形態において、遺伝子マーカーは、文脈次第で、対象となる集団における多型であるか、または多型によって占められている遺伝子座である。遺伝子マーカーは、多くの他の例の中において、例えば一塩基多型（ＳＮＰ）、インデル（すなわち、挿入／欠失）、単純反復配列（ＳＳＲ）、制限断片長多型（ＲＦＬＰ）、ランダム増幅多型ＤＮＡ（ＲＡＰＤ）、開裂増幅多型配列（ＣＡＰＳ）マーカー、多様性アレイ技術（ＤＡｒＴ）マーカー、および増幅断片長多型（ＡＦＬＰ）を含む。遺伝子マーカーは、例えば、表現型形質の可変性に寄与する染色体上の対立遺伝子を含む遺伝子座を探し出すために使用され得る。語句「遺伝子マーカー」はまた、ゲノム配列、例えばプローブとして使用される核酸配列と相補的なポリヌクレオチド配列のことである。
【０１４３】
遺伝子マーカーは、それが関連している遺伝子座内または外側に存在する（すなわち遺伝子内または遺伝子外のそれぞれに存在する）染色体上のある場所に物理的に位置することができる。別の方法で言えば、対象となる遺伝子座に相当する、遺伝子の、または例えば遺伝子の外側にある調節因子内に存在する機能的変異の、染色体上における位置が同定されていないときに、遺伝子マーカーは具体的には使用され、そして遺伝子マーカーと対象となる遺伝子座との間の組み換え率がゼロではない一方、本明細書において開示された対象はまた、物理的に遺伝子座の限度内（例えば、非限定ではあるが、遺伝子のイントロンまたはエキソン中にある多型のような遺伝子に相当する遺伝子配列内）にある遺伝子マーカーを使用し得る。本明細書において開示された対象の幾つかの実施形態において、遺伝子マーカーは、１〜１０個のマーカーを含み、そして幾つかの実施形態において、一つ以上の遺伝子マーカーは、１０個超の遺伝子マーカーを含む。
【０１４４】
本明細書において使用される用語「遺伝子型」は、細胞または生命体の遺伝子構成のことである。個人の「１セットの遺伝子マーカーのための遺伝子型」は、個人のハプロタイプ中に存在する、一つ以上の遺伝子マーカー遺伝子座のための特定の対立遺伝子を含む。当技術分野において既知であるように、遺伝子型は、遺伝子座が関連しているか否か、および／または連鎖しているか否かに関わらず、単一の遺伝子座または複数の遺伝子座に関連し得る。幾つかの実施形態において、個人の遺伝子型は、一つ以上の遺伝子が対象となる表現型（例えば本明細書で定義された量的形質）の発現に関わるという点で関連している一つ以上の遺伝子に関する。したがって、幾つかの実施形態において、遺伝子型は、量的形質の一つ以上の遺伝子座において個人の中に存在する一つ以上の対立遺伝子の合計を含む。幾つかの実施形態において遺伝子型は、（本明細書において以下で定義された）ハプロタイプの観点から表現される。
【０１４５】
本明細書において使用される用語「生殖質」とは、個人の集団または他の群（例えば、種）の遺伝子型の全体である。用語「生殖質」はまた、植物材料；例えば、種々の対立遺伝子の貯蔵場所として働く植物群のことである。用語「順応した生殖質」とは、例えば与えられた環境または地理的領域のために、遺伝的優越性の判明している植物材料のことであり、一方用語「順応していない生殖質」、「未加工の生殖質」および「外来性生殖質」は；例えば与えられた環境または地理的領域のための遺伝的価値が未知の、または判明していない植物材料のことである；同様に、用語「順応していない生殖質」は、幾つかの実施形態において、確立された育種集団の一部ではない、および確立された育種集団のメンバーと既知の関係を有さない植物材料に関する。
【０１４６】
本明細書において使用される用語「雑種」、「雑種植物」および「雑種子孫」は、遺伝的に異なる親から生産される個体（例えば遺伝的にヘテロ接合性の、または大部分においてヘテロ接合性の個体）のことである。
【０１４７】
本明細書において使用される語句「単交雑Ｆ1雑種」とは、２つの近交系間における交配から生産されるＦ1雑種のことである。
【０１４８】
本明細書において使用される語句「近交系」とは、遺伝的にホモ接合性の、またはほぼホモ接合性の集団のことである。例えば、近交系は、兄弟／姉妹育種の、もしくは自殖の幾つかの周期に、または二ゲノム性半数体の産生を通じて由来され得る。幾つかの実施形態において、近交系は、まさに対象となる一つ以上の表現型形質のために育種する。「近交系の」、「近交系個体」または「近交系子孫」は、近交系から抽出された個体である。
【０１４９】
本明細書において使用される用語「二ゲノム性半数体系」とは、別の栽培に由来する安定な近交系のことである。特定の生活条件および環境において栽培された幾つかの花粉粒（半数体）は、ｎ個の染色体を含む胚を生み出し得る。これらの胚はその後、「倍加」され、そして２ｎ個の染色体を含む。これらの胚の子孫は二ゲノム性半数体と名付けられ、そして本質的にもはや分離しない（安定である）。
【０１５０】
本明細書において、用語「連鎖」およびその文法的変化体とは、同一の染色体上の異なる遺伝子座における対立遺伝子が、それらの伝達が独立している場合において、それらの物理的近接性の結果として、幾つかの実施形態において、偶然によって期待される以上により頻繁に一緒に分離する傾向のことである。
【０１５１】
本明細書において使用される用語「遺伝子座」とは、染色体上における（例えば遺伝子、遺伝子マーカーなどの）位置のことである。
【０１５２】
本明細書において使用される語句「核酸」とは、重合体のヌクレオチド（例えば典型的なＤＮＡ、ｃＤＮＡ、またはＲＮＡ重合体）、修飾オリゴヌクレオチド（例えば生物学的なＲＮＡまたはＤＮＡにおいて典型的ではない塩基を含むオリゴヌクレオチド、例えば２’−Ｏメチル化オリゴヌクレオチド）などを含むヌクレオチドのヒモに対応され得る単量体単位の任意の物理的なヒモのことである。幾つかの実施形態において、核酸は一本鎖、二本鎖、多本鎖、またはその組み合わせであり得る。他に示されなければ、本明細書中において開示されている対象の特定の核酸配列は、明確に示される任意の配列に加えて、相補的配列を場合により含み、またはコードしている。
【０１５３】
本明細書において使用される語句「表現型形質」とは、ゲノム、プロテオームおよび／またはメタボロームと環境との相互作用から生じる、個体の外見または他の検出可能な特性のことである。
【０１５４】
本明細書において使用される語句「抵抗性」とは、同一の環境条件、および害虫または病原体の圧力下における、感受性を有する植物と比較した場合、特定の害虫もしくは病原体の増殖および発達、ならびに／またはそれらが引き起こす損傷を制限する植物の能力のことである。抵抗性植物は、激しい害虫または病原体の圧力下において幾つかの疾患症状または損傷を示してもよい。
【０１５５】
本質的に、２つのレベルの抵抗性が区別され得る。「高いまたは標準的な抵抗性」とは、感受性を有する対照物と比較したとき、通常の害虫または病原体の圧力下において、特定の害虫または病原体の増殖および発達を高度に制限する植物のことである。しかしこれらの植物は、激しい害虫または病原体の圧力下において幾つかの症状または損傷を示してもよい。
【０１５６】
「適度な／中程度の抵抗性」とは、昆虫をそらし、および／または特定の害虫または病原体の増殖および発達を制限する、あるいは感受性を有する対照物と比較して損傷の減少を示すが、高い／標準的な抵抗性植物と比較して大きい範囲の症状または損傷を示し得る植物のことである。適度な／中程度の抵抗性植物は、同一環境条件および／または害虫もしくは病原体圧力下において育てられたときに、感受性を有する植物ほど著しく深刻な症状または損傷を示さないだろう。
【０１５７】
本明細書において使用される語句「感受性」とは、特定の害虫または病原体の増殖および発達を十分に制限することのできない植物の能力のことである。
【０１５８】
本明細書において使用される語句「ベミシア抵抗性」または「ベミシアの被害に対する抵抗性」または「ベミシア抵抗性植物」とは、昆虫による攻撃、被害または定着に抵抗すること植物の能力のことである。特定の植物によって示される抵抗性のレベルは、例えば、本明細書の以下の実施例２Ａに記載されている標準化された昆虫抵抗性アッセイによって、被害の重症度を評価するために１〜９点のスケールを使用して採点され得る。
【０１５９】
前記昆虫抵抗性アッセイにおいて１点を記録する植物は、完全に蛹で覆われ、重度にカビが生え、多くの場合生長を妨げるが、９点を記録する植物は、完全に蛹から免れ、したがって完全に抵抗性を有する。標準的な「感受性種」（例えばVergasa F1、またはBikingo F1）は、実施例２Ａに記載された昆虫抵抗性アッセイにおいて、葉上に密に密集している多くの蛹（１００〜４００匹／葉）が見られ、通常黒カビを伴う、３〜４点を記録する植物のことであると、本発明の目的のために理解される。
【０１６０】
「ベミシア抵抗性植物」は、本明細書の下の実施例２Ａに記載された標準化された昆虫抵抗性アッセイにおいて6点および9点を含む、６〜９点の範囲内で記録する植物のことであると、本発明の目的のために理解される。
【０１６１】
ベミシアの被害に対する適度な、または中程度の抵抗性は、葉上により均一に分布している、適度かつ比較的低い蛹数（２０〜５０匹／葉）を示す、６点から始まる。７点において、数匹の蛹（５〜２０匹／葉）のみが存在し、そしてそれは葉の上に不規則に散在している。８点を記録する植物は、非常に少ない蛹（１〜５匹／葉）のみを示し、そして生長または果実の発達において著しい影響を与えない。
【０１６２】
したがって、本発明の目的のために、ベミシアの被害に対して「適度または中程度の抵抗性」がある植物によって、植物は、本明細書の下の実施例２Ａに記載された標準化された昆虫抵抗性アッセイにおいて決定される、１〜９点のスケール範囲において６〜８点の範囲内の点数を記録するものと理解され得る。植物が、９点を含む８〜９点の範囲内の点数を記録する場合、それはベミシアに対して「高い抵抗性」を有すると理解される。
【０１６３】
本明細書において使用される語句「アザミウマ抵抗性」または「アザミウマの被害に対する抵抗性」または「アザミウマ抵抗性植物」とは、昆虫による攻撃、被害または定着に抵抗すること植物の能力のことである。特定の植物によって示される抵抗性のレベルは、例えば、本明細書の以下の実施例２Ｂに記載されている標準化された昆虫抵抗性アッセイによって、観察される食害（シルバリング）に基づいて判断される被害の重症度を評価するために１〜９点のスケールを使用して採点され得る。
【０１６４】
前記昆虫抵抗性アッセイにおいて1点を記録する植物は、損傷を受けた葉の広い部分において非常に重症のシルバリングを示し（＞４０％のシルバリング）、一方９点を記録する植物は、シルバリングによる損傷が見られず（０％のシルバリング）、したがって完全に抵抗性を有する。標準的な「感受性種」（例えば、Roxy F1および／またはSnooker F1）とは、実施例２Ｂに記載されている昆虫抵抗性アッセイにおいて３点（１１％〜２０％のシルバリング）〜４点（６％〜１０％のシルバリング）を記録する、葉全体に渡って分布される多くの、大きなシルバリングの斑点を示す植物のことであると本発明の目的のために理解される。
【０１６５】
「アザミウマ抵抗性植物」は、本明細書の以下の実施例２Ｂに記載されている標準化された昆虫抵抗性アッセイにおいて、５点および９点を含む、５〜９点の範囲内の点数を記録する植物のことであると、本発明の目的のために理解される。
【０１６６】
アザミウマの被害に対する適度な、または中程度の抵抗性は、葉上により均一に分布している、中程度の数の斑点を植物が示す、５点で始まる（３％〜５％のシルバリング）。７点において、葉脈の中央または葉端近傍に特に、数個の小さな斑点のみを示す（０．１％〜１％のシルバリング）。８点を記録する植物は、非常に小さな斑点を示すのみであり、そして生長または果実の発達において著しい影響を与えない（＜０．１％のシルバリング）。
【０１６７】
したがって、本発明の目的のために、アザミウマの被害に対して「適度または中程度の抵抗性」がある植物によって、植物は、本明細書の下の実施例２Ｂに記載された標準化された昆虫抵抗性アッセイにおいて決定される、１〜９点のスケール範囲において５〜８点、特に６〜８点の範囲内の点数を記録するものと理解され得る。植物が、９点を含む８〜９点の範囲内の点数を記録する場合、それはアザミウマに対して「高い抵抗性」を有すると理解される。
【０１６８】
用語「第３番染色体」および「第５番染色体」とは、用語「第３および第５連鎖群」および／または「第３および第５連鎖群に相当する染色体」のそれぞれを含み、したがって本明細書において同義で使用される。
【０１６９】
本明細書において使用される用語「複数」とは、１つ超のことである。したがって、「複数の個体」とは、少なくとも２つの個体のことであり、幾つかの実施形態において、用語「多数」とは全体の半分超のことである。例えば幾つかの実施形態において、「複数の個体群」とは、その個体群の半分超のメンバーのことである。
【０１７０】
本明細書において使用される用語「子孫」とは、特定の交差の子孫（複数）のことである。幾つかの種（特に幾つかの植物および雌雄同体の動物）は自殖され得る（すなわち、前記と同一の植物は、雄性および雌性配偶子の両方のドナーとして働く）が、通常、子孫は２つの個体の交配から生じる。子孫（複数）は、例えば、Ｆ1、Ｆ2または任意の次世代である。
【０１７１】
本明細書において使用される語句「質的形質」とは、主要な表現型効果を示す一つまたは少数の遺伝子によって制御される表現型形質のことである。このために、質的形質は通常、容易に遺伝する。植物における例は、花の色、果実の色、および幾つかの既知の疾患抵抗性、例えば斑点細菌症抵抗性を含むが、これらに限定されない。
【０１７２】
「マーカー型選択」とは、例えば所望の（または所望でない）形質と関連のある、植物由来の一つ以上の核酸を、検出する遺伝子マーカーの使用のことであり、そしてその結果として、当該植物が選択的育種計画において使用され得る（または避けられ得る）ものと本発明の範囲内において理解される。
【０１７３】
「マイクロサテライト、またはＳＳＲ（単純反復配列）マーカー」とは、ＤＮＡ塩基の短い配列の多くの繰り返しからなる、一種の遺伝子マーカーのことであり、そしてそれは植物ゲノム全体にわたる遺伝子座において見られ、そして高度に多形性である可能性を有すると、本発明の範囲内において理解される。
【０１７４】
ＰＣＲ（ポリメラーゼ連鎖反応）とは、比較的大量の、ゲノム中における特定領域のＤＮＡまたはサブセット（複数）を生産する方法であって、それによりそれらの領域に基づく種々の分析が可能となるものと、本発明の範囲内において理解される。
【０１７５】
「ＰＣＲプライマー」とは、ＤＮＡの特定領域のＰＣＲ増幅において使用される一本鎖ＤＮＡの比較的短い断片のことであると、本発明の範囲内において理解される。
【０１７６】
「表現型」とは、遺伝的に制御される形質の区別できる特性（複数）のことであると、本発明の範囲内において理解される。
【０１７７】
「多型」とは、２つ以上の異なる形態の遺伝子、遺伝子マーカー、または遺伝された形質、例えば選択的スプライシング、ＤＮＡメチル化等を通じて得られる遺伝子産物群の存在のことであると、本発明の範囲内において理解される。
【０１７８】
「選択的育種」とは、親として所望の形質を有する、または示す植物を使用する育種計画のことであると、本発明の範囲内において理解される。
【０１７９】
「試験用」植物とは、試験されるべき植物における形質を遺伝的に特徴付けるために使用されるカプシクム属の植物のことであると、本発明の範囲内において理解される。具体的には、試験されるべき植物は「試験用」植物と交配され、そして交配の子孫における形質の分離比が採点される。
【０１８０】
本明細書において使用される「プローブ」とは、特定の標的分子または細胞構造を認識し、および結合することができ、それにより標的分子または構造を検出することができる原子または分子の一群のことである。特に、「プローブ」とは、分子ハイブリダイゼーションによって相補的配列の存在を検出し、および定量化するために使用され得る、標識化されたＤＮＡまたはＲＮＡ配列のことである。
【０１８１】
本明細書において使用される用語「ハイブリダイズする」とは、通常のハイブリダイゼーション条件、好ましくは５×ＳＳＰＥ、１％ＳＤＳ、１×デンハート液が溶液として使用され、および／またはハイブリダイゼーション温度が３５℃〜７０℃、好ましくは６５℃であるハイブリダイゼーション条件のことである。ハイブリダイゼーション後、洗浄が最初に２×ＳＳＣ、１％ＳＤＳを用いて、そしてその後０．２×ＳＳＣを用いて、３５℃〜７５℃、特に４５℃〜６５℃、しかし特に５９℃で行われる（ＳＳＰＥ、ＳＳＣおよびデンハート液の定義に関して、Sambrook他、loc. cit.を参照）。Sambrook他の上の文献に記載された例に関して、高ストリジェンシーのハイブリダイゼーション条件が特に好ましい。特に好ましいストリジェントなハイブリダイゼーション条件は、ハイブリダイゼーションおよび洗浄が、例えば上で示されたような６５℃において行われる場合に存在する。非ストリジェントなハイブリダイゼーション条件、例えば４５℃で行われるハイブリダイゼーションおよび洗浄は、より好ましくなく、そして３５℃においてはさらにより好ましくない。
【０１８２】
「配列相同性」または「配列同一性」は、本明細書において相互交換可能に使用される。２つ以上の核酸またはタンパク質配列に関する、用語「同一な」またはパーセント「同一性」とは、同一である、あるいは最大の一致と比較および整列した時に、以下の配列比較アルゴリズムの一つを使用して、または外観検査によって測定されるものと同一であるアミノ酸残基またはヌクレオチドの特定のパーセンテージを有する、２つ以上の配列または部分配列のことである。互いに比較されるべき２つの配列が長さにおいて異なる場合において、配列同一性は、より長い配列のヌクレオチド残基と同一性を有する、より短い配列のヌクレオチド配列のパーセンテージに好ましくは関する。配列同一性は通常、コンピュータープログラム、例えばベストフィット（Bestfit）プログラム（Wisconsin Sequence Analysis Package, バージョン8 for Unix, Genetics Computer Group, University Research Park, 575 Science Drive Madison, WI 53711）を使用して決定され得る。ベストフィットは、２つの配列間の最も高い配列同一性を有する断片を発見するために、SmithおよびWaterman、Advances in Applied Mathematics 2 (1981), 482-489 の遺伝子座相同性アルゴリズムを利用する。特定の配列が、例えば本発明の参照配列と９５％の同一性を有するか否かを決定するためにベストフィットまたは別の配列アラインメントプログラムを使用する時、同一性のパーセンテージが参照配列の全長を超えて計算されるように、そして参照配列におけるヌクレオチドの全数の５％以下の相同性ギャップが許容されるように、好ましくは調節される。ベストフィットを使用するとき、いわゆる任意的パラメーターが、それらのプリセット（「初期」）値に好ましくは残される。示された配列と、上で記載された本発明の配列との間の比較において見られる逸脱は、例えば付加、欠失、置換、挿入、または組み換えによって引き起こされ得る。かかる配列の比較はまた、好ましくはプログラム「ｆａｓｔａ２０ｕ６６」（Ｗｉｌｌｉａｍ．Ｒ．Ｐｅａｒｓｏｎおよびｔｈｅ  Ｕｎｉｖｅｒｓｉｔｙ  ｏｆ  Ｖｉｒｇｉｎｉａによるバージョン２０ｕ６６、９月、１９９８；実施例が添付された、Ｗ．Ｒ．Ｐｅａｒｓｏｎ（１９９０），Ｍｅｔｈｏｄｓ  ｉｎ  Ｅｎｚｙｍｏｉｏｇｙ  １８３，８３−９８、およびｈｔｔｐ：／／ｗｏｒｋｂｅｎｃｈ．ｓｄｓｃ．ｅｄｕ／も参照）。この目的のために、「初期」パラメーター設定が使用されてもよい。
【０１８３】
二つの核酸配列が実質的に同一であるという別の示唆は、２つの分子がストリジェントな条件下において互いにハイブリダイズするということである。語句「特異的にハイブリダイズする」とは、ストリジェントな条件下において、特定の配列が複雑な混合物（例えば細胞全体の）ＤＮＡ、またはＲＮＡで存在するときにおいて、当該ヌクレオチド配列とのみ分子の結合、二重鎖形成、またはハイブリダイズすることである。「実質的に結合する」とは、プローブ核酸と標的核酸との間における相補的なハイブリダイゼーションのことであり、そして標的核酸配列の所望の検出を達成するために、ハイブリダイゼーション媒介物のストリジェンシーを減少させることによって調整することができる小規模のミスマッチを含む。
【０１８４】
核酸ハイブリダイゼーション実験、例えばサザンおよびノーザンハイブリダイゼーションにおける「ストリジェントなハイブリダイゼーション条件」および「ストリジェントなハイブリダイゼーション洗浄条件」は、配列依存的であり、そして異なる環境パラメーター下において異なる。より長い配列は、より高い温度で特異的にハイブリダイズする。核酸のハイブリダイゼーションにおける広範囲の指針は、Tijssen (1993) Laboratory Techniques in Biochemistry and Molecular Biology-Hybridization with Nucleic Acid Probes パート１、第２章「ハイブリダイゼーションの原理の概説、および核酸プローブアッセイの方法」Elsevier, New Yorkにおいて見られる。一般的に、高いストリジェントなハイブリダイゼーションおよび洗浄条件は、規定イオン強度およびｐＨにおいて、特定の配列のために、融点温度(T.sub.m)よりも低い約５℃が選択される。通常、「ストリジェントな条件」下において、プローブはその標的部分配列とハイブリダイズするが、他の配列とはハイブリダイズしないだろう。
【０１８５】
Ｔ．ｓｕｂ．ｍとは、（規定イオン強度およびｐＨ下において）標的配列の５０％が、完全に適合するプローブとハイブリダイズする温度のことである。非常にストリジェントな条件は、特定のプローブのためのＴ．ｓｕｂ．ｍと等しくなるように選択される。サザンまたはノーザンブロットにおけるフィルター上において１００個超の相補性残基を有する相補性核酸のハイブリダイゼーションのための、ストリジェントなハイブリダイゼーション条件の例は、１ｍｇのヘパリンを含有する５０％ホルムアミド中、４２℃で、ハイブリダイゼーションが一晩かけて行われる。高いストリジェントな洗浄条件は、０．１  ５ＭＮａＣｌ中、７２℃で約１５分である。ストリジェントな洗浄条件は、０．２倍のＳＳＣ洗浄、６５℃、１５分である（ＳＳＣバッファーの記載がなされたSambrookの上記文献参照）。通常、高ストリジェンシー洗浄は、バックグラウンド・プローブシグナルを除去するための低ストリジェンシーによって先行される。例えば１００個超のヌクレオチドの二重鎖のための中程度のストリジェンシー洗浄の例は、１倍のＳＳＣ、４５℃、１５分である。例えば１００個超のヌクレオチドの二重鎖のための低ストリジェンシー洗浄の例は、４〜６倍のＳＳＣ、４０℃、１５分である。短いプローブ（例えば約１０〜５０個のヌクレオチド）のために、ストリジェント条件は通常、約１．０Ｍ未満のＮａイオンの塩濃度、通常０．０１〜１．０ＭのＮａイオン（または他の塩の）濃度で、ｐＨ７．０〜８．３であり、そして温度は通常少なくとも約３０℃である。ストリジェントな条件はまた、不安定化剤、例えばホルムアミドの添加により達成され得る。一般的には、特定のハイブリダイゼーションアッセイにおいて、無関係のプローブのために観察されるノイズ比２倍（またはそれ以上）のシグナルは、特異的ハイブリダイゼーションの検出を示す。ストリジェントな条件下において互いにハイブリダイズしない核酸は、それらがコードするタンパク質が実質的に同一である場合、なお実質的に同一である。例えば核酸のコピーがその遺伝子コードによって許容される最大のコドンの縮退を使用して作製されるとき、これは起こる。
【０１８６】
「植物」は、任意の生長段階における任意の植物、特に種子植物である。
【０１８７】
「植物細胞」は、植物の構造的および生理的単位であり、プロトプラストおよび細胞壁を含む。植物細胞は、単離された単一の細胞または培養された細胞の形態であってもよく、高度に組織化された単位、例えば植物組織、植物器官または植物全体の一部であってもよい。
【０１８８】
「植物細胞培養」は、植物単位、例えばプロトプラスト、細胞培養細胞、植物組織中の細胞、花粉、花粉管、胚珠、胚嚢、接合子、および生長の種々の段階における胚芽の培養を意味する。
【０１８９】
「植物材料」とは、葉、幹、根、花、または花部、果実、花粉、卵細胞、接合子、種子、挿し木、細胞もしくは組織培養、または植物の任意の他の部分もしくは産物のことである。
【０１９０】
「植物器官」は、明確かつ視覚的に構造化された、および分化した植物の部分、例えば根、幹、葉、花、芽または胚である。
【０１９１】
本明細書において使用される「植物組織」は、植物細胞の一群を意味する。構造的および機能的単位へと組織化される植物細胞の一群を意味する。植物または培養中における植物の任意の組織が含まれる。本用語は、植物全体、植物器官、植物の種子、組織培養、および構造的および／または機能的単位へと組織化される植物細胞の任意の群を含むが、それらに限定されない。上に記載された、または本定義によって包含される任意の特定の種類の植物組織と合わせた、または合わせない本用語の使用は、任意の他の種類の植物組織を排除するように意図されてはいない。
【０１９２】
本発明は、昆虫、特にベミシア属および／または総翅目、より特にベミシア・タバシ（コナジラミ）および／またはアザミウマ、より特にフランクリニエラ・オシデンタリス(Frankliniella occidentalis)に対して抵抗性、特に中程度に抵抗性を有する新規トウガラシ植物、特にカプシクム・アンナム植物、さらに種子および前記植物の果実に関する。本発明はまた、かかる植物およびそれらの果実の生産および使用方法に関する。
【０１９３】
本発明の植物は、２つ以上の親遺伝子型であって、その少なくとも一つが１つ以上の対立遺伝子、特にベミシアおよび／またはアザミウマ抵抗性に寄与する、対応するＱＴＬにおける一つ以上の対立遺伝子を有することができ、そして対立遺伝子（複数）が他の親の遺伝子型を欠損しているか、あるいは本発明、および本明細書において先に記載された植物を得るために他の遺伝子型を補完する、前記親遺伝子型を交配することによって得られてもよい。一つ以上のＱＴＬが抵抗性形質の発現に寄与し、そして２つの初代の親遺伝子型が完全なセットの対立遺伝子を提供しない場合、他の供給源が育種群において含まれ得る。他の親遺伝子型は、市場において要求される果実の質、例えば１８０ｇの範囲内の重量、塊状の形、滑らかな皮、明るい赤色を含む、所望の形質を与え得る。果実の質に加えて、農学的に重要な特性、例えば優れた植物構造、高い生産性、および疾患、例えば、非限定の例だが、ＴＭＶ（タバコ・モザイク・ウィルス）およびＴＳＷＶ（トマト黄化壊疽ウイルス）に対する基本的な抵抗性がさらに所望の形質である。
【０１９４】
これらの親遺伝子型は、子孫の種子を生産するために、互いに交配されてもよい。親遺伝子型は、制御されていない田畑由来の選択されたヘテロ接合植物の自殖、または開放授粉によって、および循環選抜法により開発された近交系であってよい。優れた植物は、自殖され、そして継続的世代において選択される。成功した世代において、ヘテロ接合性条件は、自家授粉および選択の結果としてホモ接合系へと移行する。近親交配の継続的世代を用いて、植物はさらにホモ接合性となり、そして子孫植物内において一定となる。通常、５〜７個またはそれ以上の世代（Ｆ１とＦ２；Ｆ３とＦ４；Ｆ４とＦ５）との自殖および系統選択が、植物および種子の特性において一定である近交系を得るために行われることができ、そして継続的自家授粉下においてそれは一定のままであるだろう。
【０１９５】
近親交配の間、ヘテロ接合性遺伝子座における多くの所望でない対立遺伝子が、より好ましい対立遺伝子に置き換わり、そして好ましくない、または所望でない対立遺伝子が子孫から排除されるだろう。さらにマーカー型選択を通じて、より好ましくない対立遺伝子が同定され、そして連続的により好ましい対立遺伝子へと置き換わるために、好ましい対立遺伝子の数は最大化され得る。
【０１９６】
一つの形態において、本発明の植物は、先祖植物、特に野生の先祖植物由来の昆虫抵抗性形質を、栽培されたトウガラシ植物、特に栽培されたカプシクム・アンナム植物、より特にｃ遺伝子座（Blum 他 (2002) Genome, 45: 702-705）、もしくはｐｕｎ１対立遺伝子（Stewart 他 (2005) The Plant Journal, 42: 675-688）または両方の遺伝子座に関してホモ接合型であるカプシクム・アンナム植物へと遺伝子移入することによって得られてもよい。
【０１９７】
本発明の一つの特定の実施形態において、ベミシアおよび／またはアザミウマ抵抗性形質が得られる野生の先祖は、Instituut voor de Veredeling van Tuinbouwgewassen (現在: Centre for Genetic Resources)、ワーゲンニンゲン、オランダから得られる受入番号ＣＧＮ１６９７５の野生のカプシクム・アンナムである。ベミシア属および／または総翅目の昆虫、より特にベミシア・タバシ（コナジラミ）および／またはアザミウマ、より特にフランクリニエラ・オシデンタリスの被害に対する中程度のレベルの抵抗性である、本形質を発現する植物を与える、本発明の昆虫抵抗性形質は、別の方法において、受入番号ＮＣＩＭＢ４１４２８でＮＣＩＭＢ  Ｌｔｄに寄託されている試料である株０６１Ｍ４３８７のカプシクム・アンナム植物から、あるいはベミシアおよび／またはアザミウマ抵抗性形質を含む株０６１Ｍ４３８７の子孫または先祖から得られてもよい。
【０１９８】
したがって、本発明の特定の実施形態において、抵抗性形質（複数）に寄与する親遺伝子型は、寄託されている株０６１Ｍ４３８７のカプシクム・アンナム植物の、本発明に関連のある特性、すなわち、受入番号ＮＣＩＭＢ４１４２８でＮＣＩＭＢに２００６年８月１０日に寄託された種子の試料であり、ベミシアおよび／またはアザミウマ抵抗性に関連するＱＴＬにおいて実質的に同一のゲノム構造を有する近交系である。
【０１９９】
本発明の別の特定の実施形態において、抵抗性形質に寄与する親遺伝子型は、寄託されている株０６１Ｍ４３８７のカプシクム・アンナム植物の、本発明に関連のある特性、すなわち、受入番号ＮＣＩＭＢ４１４２８でＮＣＩＭＢに２００６年８月１０日に寄託された種子の試料であり、ベミシアおよび／またはアザミウマ抵抗性に関連するＱＴＬにおいて実質的に同一のゲノム構造を有する雑種である。
【０２００】
株０６１Ｍ４３８７のカプシクム・アンナム植物は、カプシクム・アンナム近交系を用いた抵抗性形質のドナーとして、Centre for Genetic Resources、ワーゲンニンゲン、オランダから得られる受入番号ＣＧＮ１６９７５の野生種の交配から生じた。この交配によるベミシアおよびアザミウマ抵抗性の子孫は、異なる遺伝的背景を有する近交系とさらに交配され、最終的に株０６１Ｍ４３８７を得た。
【０２０１】
したがって、ベミシア属および／または総翅目の昆虫、より特にベミシア・タバシ（コナジラミ）および／またはアザミウマ、より特にフランクリニエラ・オシデンタリスの被害に対する高度または中程度の抵抗性、特に中程度の抵抗性を有するトウガラシ植物を得るために、株０６１Ｍ４３８７のカプシクム・アンナム、または株０６１Ｍ４３８７のカプシクム・アンナムのベミシアおよび／またはアザミウマ抵抗性形質を含む任意の他の植物系は、前記抵抗性形質を任意の所望の遺伝的背景へと形質移入するための原材料として使用されてもよく、一つ以上の所望の形質、例えば市場において要求される果実の質、例えば１８０ｇの範囲内の重量、塊状の形、滑らかな皮、明るい赤色をさらに含んでもよい。果実の質に加えて、農学的に重要な特性、例えば優れた植物構造、高い生産性、および疾患、例えば、非限定の例だが、ＴＭＶ（タバコ・モザイク・ウィルス）およびＴＳＷＶ（トマト黄化壊疽ウイルス）に対する基本的な抵抗性が、さらに所望の形質である。
【０２０２】
本発明の記載に基づいて、本明細書の上で記載されたような、受入番号ＮＣＩＭＢ４１４２８でＮＣＩＭＢ  Ｌｔｄに寄託された試料である株０６１Ｍ４３８７のカプシクム・アンナム植物、あるいはベミシアに対する抵抗性に関連する第３番染色体上のＱＴＬおよび／またはアザミウマに対する抵抗性に関連する第５番染色体上のＱＴＬをそれぞれ含むその子孫または先祖を所有する当業者は、本発明のベミシア抵抗性形質および／またはアザミウマ抵抗性形質を、当技術分野で周知の育種技術を使用して種々の種類の他のトウガラシ植物へ容易に移すことができる。本発明の形質は、例えば種々の種類または形状の果実、例えばピーマン、アマトウガラシ、辛いトウガラシ、大きい矩形状のトウガラシ、長い円錐形状のトウガラシを含む円錐形状のトウガラシ、または塊状のトウガラシ、および種々の成熟した色、例えば常緑色、赤色、黄色、橙色、またはアイボリー色の果実を生産するトウガラシ植物へと移されてもよい。したがって、一つの実施形態において本発明の植物は、ベミシアおよび／またはアザミウマの被害に対して抵抗することができるＣ．アンナム植物であって、当該植物は、本発明に従ってピーマン、アマトウガラシ、辛いトウガラシ、大きい矩形状のトウガラシ、円錐形状のトウガラシ、または長い円錐形状のトウガラシである。一つの実施形態において、本発明の植物は、常緑色、赤色、黄色、橙色、またはアイボリー色のトウガラシの果実を生産することができる。本発明の別の実施形態において、トウガラシ植物は、（雑種の）種子、または市販のトウガラシの生産のために育てられる。
【０２０３】
したがって別の実施形態において、本発明は、本発明に従ってベミシア抵抗性形質および／またはアザミウマ抵抗性形質を、前記形質を欠失しているトウガラシ植物へと移す方法であって、以下のステップ、ａ）前記形質を含む植物を獲得し；ｂ）それを、前記形質を欠失している植物と交配し；ｃ）ステップｂ）の交配の植物を獲得し；ｄ）本発明に従ってベミシアおよび／またはアザミウマの被害に抵抗することができる、ステップｃ）の植物を選択することを含む、前記方法を開示する。一つの実施形態において、前記方法は、以下のステップ、ｅ）ステップｄ）から生じる植物とトウガラシ植物とを戻し交配し、そして、ｆ）本発明に従ってベミシアおよび／またはアザミウマの被害に対して抵抗することができるトウガラシ植物を選択することをさらに含む。一つの実施形態において、前記方法は、本発明に従ってベミシアおよび／またはアザミウマの被害に対して抵抗することができる近交系のトウガラシ植物を獲得することをさらに含み、そして一つの実施形態において前記方法は、本発明に従ってベミシアおよび／またはアザミウマの被害に対して抵抗することができる雑種のトウガラシ植物を生産するために、前記近交系のトウガラシ植物を別のトウガラシ植物と交配することをさらに含む。一つの実施形態において、トウガラシ植物は、本明細書において記載されたような、ベミシアおよび／またはアザミウマの被害に対する抵抗性スコアを決定することによって選択される。一つの実施形態において、前記形質を含むステップａ）の植物は、受入番号ＮＣＩＭＢ４１４２８でＮＣＩＭＢ  Ｌｔｄに寄託された試料である株０６１Ｍ４３８７のカプシクム・アンナム、あるいは前記植物の子孫または先祖である。
【０２０４】
本発明の特定の実施形態において、本明細書の以下の実施例２に記載されたもののような、標準化された昆虫抵抗性アッセイは、上の交配の一つから生じる子孫植物の抵抗性レベルを決定するために、およびベミシアおよび／またはアザミウマの被害に対して中程度に抵抗性を有するそれらの子孫植物をさらなる育種のために選択するために使用される。
【０２０５】
一つの実施形態において、本発明は、上の方法の任意の一つによって得られる、本明細書において記載されたようにベミシアおよび／またはアザミウマの被害に対して抵抗することができるＣ．アンナム植物を開示する。
【０２０６】
さらに別の実施形態において、本発明は、前記形質を欠失しているトウガラシ植物から本発明のベミシアおよび／またはアザミウマ抵抗性形質を含む植物を生産する方法であって、以下のステップ、ａ）前記形質を含む植物を獲得し；ｂ）それを、前記形質を欠失している植物と交配し；ｃ）ステップｂ）の交配の植物を獲得し；ｄ）本発明に従ってベミシアおよび／またはアザミウマの被害に対して抵抗することができる、ステップｃ）の植物を選択することを含む、前記方法を開示する。一つの実施形態において、本発明は、以下のステップ、ｅ）ステップｄ）から生じる植物をトウガラシ植物と戻し交配し、そしてｆ）本発明に従ってベミシアおよび／またはアザミウマの被害に対して抵抗することができるトウガラシ植物を選択することをさらに含む。一つの実施形態において、前記方法は、本発明に従ってベミシアおよび／またはアザミウマの被害に対して抵抗することができる近交系のトウガラシ植物を獲得することをさらに含み、そして一つの実施形態において前記方法は、本発明に従ってベミシアおよび／またはアザミウマの被害に対して抵抗することができる雑種のトウガラシ植物を生産するために、前記近交系のトウガラシ植物を別のトウガラシ植物と交配することをさらに含む。一つの実施形態において、トウガラシ植物は、本明細書において記載されたような、ベミシアおよび／またはアザミウマの被害に対する抵抗性スコアを決定することによって選択される。一つの実施形態において、前記形質を含むステップａ）の植物は、受入番号ＮＣＩＭＢ４１４２８でＮＣＩＭＢ  Ｌｔｄに寄託された試料である株０６１Ｍ４３８７のカプシクム・アンナム、あるいは前記植物の子孫または先祖である。
【０２０７】
一つの実施形態において、本発明は、上の方法の任意の一つによって得られる、本明細書において記載されたようにベミシアおよび／またはアザミウマの被害に対して抵抗することができるＣ．アンナム植物を開示する。
【０２０８】
本発明の教示に基づいて、当業者は、形質、特に抵抗性形質、しかし特にベミシア属および／または総翅目の昆虫に対する抵抗性のための新規の源を探す計画を作成することができる。
【０２０９】
本発明の一つの形態において、昆虫抵抗性形質を発現し、およびベミシア属の昆虫の被害に対して抵抗性、特に中程度のレベルの抵抗性を示す植物は、トウガラシの育種の分野において一般的に使用され、および認識される抵抗性率を生じる標準化されたベミシア抵抗性試験によって同定され、および選択されてもよい。
【０２１０】
特に、植物は標準的方法に従って育てられ、および栽培され、ならびに特別な計画に従って移植される。
【０２１１】
植物は、幾つかの作条に、１つの作条あたり固定された数の植物で移植される。各々の作条において、一つの側はスプレッダー作条（spreader row）として使用され、そして感受性のエントリーまたは感受性の親の系を植えられる。他方の側の作条は、昆虫抵抗性を試験されるべきエントリーを植えられる。試験エントリーは、幾つかのブロックの各々において完全にランダム化され、１ブロックあたり１つ以上の植物／エントリーである。
【０２１２】
ベミシアの発達は、スプレッダー作条において毎週、または隔週で、等距離の場所にあるスプレッダー作条の、固定された数の植物（例えば植物１、３８、７５、１１２、１５０）を各々の作条で評価することによって観測される。観測されたスプレッダー植物の平均的な被害が約４の抵抗率に達した時（蛹が１００匹／葉超の数で葉上に密に密集している時）に、最終的な評価がなされる。通常この段階は、最初の果実が成熟している時に達せられる（移植後３〜４カ月）。
【０２１３】
試験エントリーあたりの平均値を計算することによって、および感受性エントリー（例えば感受性のスプレッダー作条またはその他）と比較することによって、データは分析される。平均値の複数の比較（例えばＬＳＤ）は、試験エントリーが相互に、および感受性対照と異なるか否かを示す。
【０２１４】
重症度を評価するために、１〜９のスケールが使用される（表１）。植物の葉の背軸面は検査され、そして約５つの最もひどく影響を受けた葉の平均が１〜９のスケールに従って評価される。全ての試験植物はこのようにして採点される。
【０２１５】
本発明の一つの形態において、昆虫抵抗性形質を発現し、およびベミシア属の昆虫の被害に対して抵抗性、特に中程度のレベルの抵抗性を示す植物は、トウガラシの育種の分野において一般的に使用され、および認識される抵抗性率を生じる標準化されたアザミウマ抵抗性試験によって同定され、および選択されてもよい。
【０２１６】
特に、植物は標準的方法に従って育てられ、および栽培され、ならびに特別な計画に従って移植される。
【０２１７】
別の方法において、マーカー支援育種は、本明細書において先に記載されたような、本発明に関連のある遺伝子座、特に本発明に関連のあるＱＴＬ遺伝子座および／またはそれに遺伝的に連鎖しているフランキング・マーカー遺伝子座が、好ましい遺伝子型、特にホモ接合性の好ましい遺伝子型を有する個体を同定するために行われてもよい。
【０２１８】
本発明の一つの実施形態において、ベミシアおよび／またはアザミウマの被害に対する抵抗性は、表現型の評価において採点される。
【０２１９】
別の実施形態において、選択は、対象形質と連鎖した分子マーカーに基づいている。
【０２２０】
一つの実施形態において、選択は、分子マーカーと表現型の評価との組み合わせに基づいている。
【０２２１】
マーカー型選択は、近交の発達の早期の段階において、視覚的に決定され得る表現型特性に広く基づく、および市販の雑種の生産に利用されるべき植物の好適性に関連のある重要な性能指数、例えば植物の活力、節間長、分岐、昆虫抵抗性、例えばベミシア／アザミウマの被害に対する抵抗性、ウィルス抵抗性、例えばＴＭＶ（タバコ・モザイク・ウィルス）およびＴＳＷＶ（トマト黄化壊疽ウイルス）などに関連し得るスクリーニング法と通常組み合わせて既に使用されてもよい。選択はまた、対象形質と連鎖し得る、またはしていない分子マーカーに基づいてもよい。
【０２２２】
特にマーカー型選択は、本明細書において先に記載された本発明に関連のある遺伝子座の全てが、ホモ接合性の好ましい遺伝子型を有する個体を同定するために、表現型選択と組み合わせて、または表現型選択に先立って適用されてもよい。
【０２２３】
非限定ではあるが、制限断片長多型（ＲＦＬＰ）、ランダム増幅多型ＤＮＡ（ＲＡＰＤ）、増幅制限断片長多型（ＡＦＬＰ）、単一反復配列（ＳＳＲ）、および一塩基多型、ＳＮＰを含む、マーカー型選択において使用されてもよい幾つかの種類の分子マーカーが存在する。
【０２２４】
ＲＦＬＰは、染色体ＤＮＡを特定の短い制限部位で切断する制限酵素の使用に関与し、多型は、当該部位間または制限部位における変異間における複製または欠失から生じる。
【０２２５】
ＲＡＰＤは、無名ＤＮＡ断片の系統特異的アレイを作製するために、任意の配列の単一のプライマーを用いた低ストリジェンシーのポリメラーゼ連鎖反応（ＰＣＲ）増幅を利用する。当該方法は、微小のＤＮＡ試料のみを必要とし、そして大量の多型遺伝子座を分析する。
【０２２６】
ＡＦＬＰは、特定の断片を増幅するために、ＰＣＲおよびプライマー中の選択的ヌクレオチドを使用する以前に、制限酵素（複数）を用いた細胞ＤＮＡの分解を必要とする。本方法を用いて、得られる断片を視覚化する電気泳動技術を使用して、１００個以下の多型遺伝子座がプライマーの組み合わせごとに測定されることができ、そして小さいＤＮＡ試料のみが各々の試験において必要とされる。
【０２２７】
ＳＳＲ分析は、真核生物ゲノム全体に渡って広く分散されたＤＮＡマイクロサテライト（短い反復）配列に基づき、そしてそれは単純反復配列における変異を検出するために選択的に増幅される。微小のＤＮＡ試料のみがＳＳＲ分析のために必要とされる。ＳＮＰは、点変異を効率的に取り出すＰＣＲ伸長アッセイを使用する。当該方法は、試料ごとに小さいＤＮＡを必要とする。一つまたは二つの上記方法は、通常のマーカー型選択育種計画において使用されてもよい。
【０２２８】
植物ゲノムの多型領域にまたがるヌクレオチド断片の増幅を達成するための最も好ましい方法は、その二重鎖形態における多型を定義する近位の配列とハイブリダイズすることができる順方向プライマーおよび逆方向プライマーに関わるプライマー対を使用するポリメラーゼ連鎖反応（「ＰＣＲ」）を行うことである（Mullis 他， Cold Spring Harbor Symp. Quant. Biol. 51:263 273 (1986)）。
【０２２９】
代替的な方法、例えば特定の標的を指数関数的に増幅するために２対のオリゴヌクレオチドプローブを使用する「リガーゼ連鎖反応」（「ＬＣＲ」）（Barany, Proc. Natl. Acad. Sci(U.S.A) 88:189 193 (1991)）が、断片を増幅するために行われてもよい。各々の対のオリゴヌクレオチド配列は、当該対が標的の同一鎖の隣接配列とハイブリダイズすることができるように選択される。かかるハイブリダイゼーションは、鋳型依存的リガーゼの基質を形成する。ＰＣＲに関して、生じる産物は後のサイクルにおける鋳型として働き、そして所望の配列の指数関数的な増幅が獲得される。
【０２３０】
ＬＣＲは、多型部位の同一鎖の近位および遠位の配列を有するオリゴヌクレオチドを用いて行われ得る。一つの実施形態において、いずれかのオリゴヌクレオチドは、多型の実際の多型部位を含むように作製されるだろう。かかる一つの実施形態において、標的分子が、オリゴヌクレオチドに存在する多型部位に対して相補的である特定のヌクレオチドを含むか、または欠失しているかのいずれかである場合にのみ、オリゴヌクレオチドが共に連結されるように反応条件が選択される。または、オリゴヌクレオチドはそれらが多型部位を含まないように選択されてもよい。（Ｓｅｇｅｖ、ＰＣＴ出願、国際公開第９０／０１０６９号を参照）。
【０２３１】
代替的に行われてもよいさらなる方法は、「オリゴヌクレオチド・ライゲーション・アッセイ」（「ＯＬＡ」）である（Landegren 他, Science 241 :1077 1080 (1988)）。ＯＬＡの手順は、標的の一本鎖の隣接配列とハイブリダイズすることができるように計画されている二つのオリゴヌクレオチドを使用する。ＯＬＡは、ＬＣＲと同様に、点変異の検出に特に好適である。しかしＬＣＲとは異なり、ＯＬＡは指数関数的というよりも「直線的に」標的配列を増幅する。
【０２３２】
代替的に行われてもよいさらに別の方法は、一塩基多型（ＳＮＰ）部位を含む標的ＤＮＡへの、対立遺伝子特異的な重複オリゴヌクレオチドのハイブリダイゼーションによって形成される三次元特異的複合体を切断する構造特異的なフラップエンドヌクレアーゼ（ＦＥＮ）を使用する「インベーダーアッセイ」である。標的分子内のＳＮＰ対立遺伝子と相補的であるオリゴヌクレオチドのアニーリングは、クリーバーゼ（cleavase）である熱安定性ＦＥＮによるオリゴヌクレオチドの切断を引き起こす。切断は、種々の異なる手法によって検出され得る。最も一般的には、切断産物は、蛍光シグナルを放出する蛍光共鳴エネルギー移動（ＦＲＥＴ）カセットにおける第二の切断反応を引き起こす。または切断は、蛍光偏光（ＦＰ）プローブを使用して、または質量分析によって直接的に検出され得る。侵襲的切断反応は高度に特異的であり、失敗率が低く、そしてゼプトモルの量の標的ＤＮＡを検出することができる。当該アッセイが、伝統的に一回の反応につき一つの試料中における一つのＳＮＰを調べるために使用される一方、新規のチップ型またはビーズ型の手法が、これを多重かつハイスループットＳＮＰジェノタイピングに適用できる効率的かつ正確なアッセイにするために試験された。
【０２３３】
Nickerson他は、ＰＣＲおよびＯＬＡの特性を組み合わせた核酸検出アッセイについて記載した（Nickerson 他, Proc. Natl. Acad. Sci.(U.S.A) 87:8923 8927 (1990)）。本方法において、ＰＣＲは、その後ＯＬＡを使用して検出される標的遺伝子の指数関数的な増幅を達成するために使用される。
【０２３４】
「ジ−オリゴヌクレオチド」を生じる配列を有する核酸の存在下における２つ（またはそれ以上の）オリゴヌクレオチドのライゲーションに基づき、それによりジ−ヌクレオチドを増幅するスキームはまた、既知であり（Wu 他, Genomics 4:560 569 (1989)）、そして本発明の目的に容易に適用されてもよい。
【０２３５】
一つの実施形態において、分子マーカーは、ＰＣＲによって増幅されるＤＮＡ断片であり、例えばＳＳＲマーカーまたはＲＡＰＤマーカーである。一つの実施形態において、増幅されたＤＮＡ断片の存在または非存在は、形質自体の存在または非存在を示唆しており、あるいは形質の特定の対立遺伝子の存在または非存在を示唆している。一つの実施形態において、増幅されたＤＮＡ断片の長さにおける違いは、一つの形質の特定の対立遺伝子の存在を示唆しており、それにより一つの形質の異なる対立遺伝子同士を区別することができる。
【０２３６】
本発明の特定の実施形態において、単純反復配列（ＳＳＲ）マーカーは、親植物および／またはその先祖における、ならびに前記親植物の交配から生じる子孫植物における、発明に関連する対立遺伝子を同定するために使用される。単純反復配列は、短い繰り返しＤＮＡ配列であり、そして全ての真核生物のゲノム中に存在し、そして数個〜１００個超の与えられるヌクレオチドモチーフの繰り返しからなる。ゲノム中の特定の位置に存在する繰り返しの数は通常、植物間で異なるので、ＳＳＲは、特定の対立遺伝子の非存在または存在を決定するために分析され得る。
【０２３７】
本発明の別の実施形態において、ＳＮＰマーカーは、親植物および／またはその先祖における、ならびに前記親植物の交配から生じる子孫植物における、発明に関連する対立遺伝子を同定するために使用される。
【０２３８】
一つの形態において、本発明は、配列番号１の順方向プライマーおよび配列番号２の逆方向プライマーによって表されるプライマー対１、配列番号３の順方向プライマーおよび配列番号４の逆方向プライマーによって表されるプライマー対２、配列番号５の順方向プライマーおよび配列番号６の逆方向プライマーによって表されるプライマー対３、配列番号７の順方向プライマーおよび配列番号８の逆方向プライマーによって表されるプライマー対４、配列番号９の順方向プライマーおよび配列番号１０の逆方向プライマーによって表されるプライマー対５、ならびに配列番号１１の順方向プライマーおよび配列番号１２の逆方向プライマーによって表されるプライマー対６から選択される順方向プライマーおよび逆方向プライマーからなる一対のＰＣＲオリゴヌクレオチドプライマーであって、同一のプライマー対（複数）を用いたＰＣＲ反応において、株０６１Ｍ４３８７のカプシクム・アンナムから得られるものと、本質的に同一であるか、または対立遺伝子と見なされ得る、分子量またはヌクレオチド配列を示す、ＰＣＲ反応における増幅産物をもたらす前記プライマーを含むマーカーまたは２個以上のマーカーおよび６個以下のマーカーのセットに関する。
【０２３９】
配列番号１〜１２で示されるプライマー配列群から選択される順方向および逆方向プライマーの任意の他の組み合わせはまた、ＰＣＲ反応において使用されてもよい。
【０２４０】
一つの形態において、本発明は、配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される順方向プライマーおよび逆方向プライマーからなる一対のＰＣＲオリゴヌクレオチドプライマーであって、同一のプライマー対（複数）を用いたＰＣＲ反応において、株０６１Ｍ４３８７のカプシクム・アンナムから得られるものと、本質的に同一であるか、または対立遺伝子と見なされ得る、分子量またはヌクレオチド配列を示す、ＰＣＲ反応における増幅産物をもたらす前記プライマーを含むマーカーまたは２個以上のマーカーおよび７個以下のマーカーのセットに関する。
【０２４１】
配列番号１３〜２６で示されるプライマー配列群から選択される順方向および逆方向プライマーの任意の他の組み合わせはまた、ＰＣＲ反応において使用されてもよい。
【０２４２】
一つの形態において、本発明は、配列番号１の順方向プライマーおよび配列番号２の逆方向プライマーによって表されるプライマー対１、配列番号３の順方向プライマーおよび配列番号４の逆方向プライマーによって表されるプライマー対２、配列番号５の順方向プライマーおよび配列番号６の逆方向プライマーによって表されるプライマー対３、配列番号７の順方向プライマーおよび配列番号８の逆方向プライマーによって表されるプライマー対４、配列番号９の順方向プライマーおよび配列番号１０の逆方向プライマーによって表されるプライマー対５、ならびに配列番号１１の順方向プライマーおよび配列番号１２の逆方向プライマーによって表されるプライマー対６、配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される順方向プライマーおよび逆方向プライマーからなる一対のＰＣＲオリゴヌクレオチドプライマーであって、同一のプライマー対（複数）を用いたＰＣＲ反応において、株０６１Ｍ４３８７のカプシクム・アンナムから得られるものと、本質的に同一であるか、または対立遺伝子と見なされ得る、分子量またはヌクレオチド配列を示す、ＰＣＲ反応における増幅産物をもたらす前記プライマーを含むマーカーまたは２個以上のマーカーおよび１３個以下のマーカーのセットに関する。
【０２４３】
配列番号１〜２６で示されるプライマー配列群から選択される順方向および逆方向プライマーの任意の他の組み合わせはまた、ＰＣＲ反応において使用されてもよい。
【０２４４】
本発明の別の実施形態において、第３番染色体上および第５番染色体上のそれぞれにおける、本発明のベミシアおよびアザミウマ抵抗性に寄与するＱＴＬ領域において連鎖不平衡にある、および／または当該領域と連鎖している、および／または当該領域に位置する分子マーカーが使用されてもよく、ならびにＱＴＬに内在する実際に原因となる変異を示し、したがって表現型形質と統計的相関関係を示す、配列番号１〜１２および配列番号１３〜２６のそれぞれにおいて開示されたオリゴヌクレオチドプライマーを使用することによって作製され得るマーカーが使用されてもよい。
【０２４５】
第一段階において、ＤＮＡまたはｃＤＮＡ試料は、好適な植物材料、例えば葉組織から、既知の技術を使用してＤＮＡまたはＲＮＡを抽出することによって得られる。本明細書において開示された、本発明に関連するＱＴＬ中の、またはそれに連鎖した領域中のＳＳＲを含む領域と隣接するプライマーはその後、当技術分野において周知のポリメラーゼ連鎖反応（ＰＣＲ）を使用してＤＮＡ試料を増幅するために使用される。
【０２４６】
基本的に、ＰＣＲ増幅方法は、増幅されるべきＤＮＡ断片に隣接する２つの短いオリゴヌクレオチドプライマー配列、または前記ＤＮＡ断片と結合されるアダプター配列を含むプライマーまたは一対のプライマーの使用に関連する。加熱およびＤＮＡの変性の反復サイクルの後、当該プライマーをそれらの相補的配列と低い温度でアニールし、そしてＤＮＡポリメラーゼを用いてアニールされたプライマーの伸長を行う。当該プライマーは、ＤＮＡ標的配列の反対側の鎖とハイブリダイズする。ハイブリダイゼーションとは、相補的ＤＮＡ鎖とのアニーリングのことであり、ここで相補的とは、一本鎖のヌクレオチドが反対側の鎖と二重鎖を形成するために結合することができるような、ヌクレオチド配列のことである。ポリメラーゼによるＤＮＡ合成が、プライマー間のヌクレオチド配列に渡って双方向に進行するように方向づけられている。本方法、１サイクルでそのＤＮＡ断片の量を効果的に２倍にする。当該ＰＣＲ産物が当該プライマーと相補的であり、そして結合できるために、各々の連続的サイクルは、前記サイクルにおいて合成されたＤＮＡの量を２倍にする。この方法の結果は、特定の標的断片の指数関数的な増幅であり、そしてそれは２〈ｎ〉であり、ここでｎはサイクル数である。
【０２４７】
ＰＣＲ増幅を通じて、プライマーによって隣接される何百万ものＤＮＡ断片のコピーが作製される。反復配列の数の違い、または異なる対立遺伝子における隣接するプライマー間に位置される、前記反復に隣接する領域における挿入もしくは欠失における違いは、増幅されたＤＮＡ断片の長さの変化に反映されている。これらの変化は、例えばゲル上において増幅されたＤＮＡ断片を電気泳動で分離することにより、またはキャピラリーシーケンサーを使用することによって検出され得る。ゲルまたは特性を分析することにより、当該植物がホモ接合性もしくはヘテロ接合性状態にある所望の対立遺伝子を含むか否か、または所望のもしくは所望でない対立遺伝子が植物ゲノムに存在しないか否かが決定され得る。
【０２４８】
マーカー分析は、植物生長の早期において、非常に若い植物の葉組織または種子から抽出されたＤＮＡ試料を使用してなされ得る。これにより、所望の遺伝子構造を有する植物を、育種サイクルの早期において同定することができ、そして所望の本発明に関連する対立遺伝子を含まない植物を授粉前に排除することができ、それにより育種群の規模を減らすことができ、そして表現型検査の必要性を減らすことができる。
【０２４９】
さらに、分子マーカーを使用することによって、本発明に関連するＱＴＬ遺伝子座における所望の、本発明に関連する対立遺伝子の２つのコピーを有するホモ接合性植物、および１つのみのコピーを有するヘテロ接合性植物、ならびに好ましい対立遺伝子（複数）のいずれのコピーも含まない植物の区別をすることができる。
【０２５０】
一つの実施形態において、マーカー遺伝子座は、配列番号１の順方向プライマーおよび配列番号２の逆方向プライマーによって表されるプライマー対１、配列番号３の順方向プライマーおよび配列番号４の逆方向プライマーによって表されるプライマー対２、配列番号５の順方向プライマーおよび配列番号６の逆方向プライマーによって表されるプライマー対３、配列番号７の順方向プライマーおよび配列番号８の逆方向プライマーによって表されるプライマー対４、配列番号９の順方向プライマーおよび配列番号１０の逆方向プライマーによって表されるプライマー対５、ならびに配列番号１１の順方向プライマーおよび配列番号１２の逆方向プライマーによって表されるプライマー対６の群から選択される順方向プライマーおよび逆方向プライマーからなる一対のＰＣＲオリゴヌクレオチドプライマーであって、配列番号１〜１２で示されるヌクレオチド配列と９０％〜９９％、特に９５％〜９８％の配列同一性を有するヌクレオチド配列を示す順方向プライマーおよび逆方向プライマーからなるオリゴヌクレオチドプライマーを含む、前記ＰＣＲオリゴヌクレオチドプライマーによって同定される。
【０２５１】
一つの実施形態において、マーカー遺伝子座は、配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される順方向プライマーおよび逆方向プライマーからなる一対のＰＣＲオリゴヌクレオチドプライマーであって、配列番号１３〜２６で示されるヌクレオチド配列と９０％〜９９％、特に９５％〜９８％の配列同一性を有するヌクレオチド配列を示す順方向プライマーおよび逆方向プライマーからなるオリゴヌクレオチドプライマーを含む、前記ＰＣＲオリゴヌクレオチドプライマーによって同定される。
【０２５２】
オリゴヌクレオチド分子、例えばプライマーまたはプローブ、特に表１０で示される配列番号１〜１２、および表１１で示される配列番号１３〜２６で示される順方向および逆方向プライマーのヌクレオチド配列とハイブリダイズする、あるいは配列番号１〜１２または配列番号１３〜２６のそれぞれで示される順方向および逆方向プライマー配列を使用することによって得られる配列とハイブリダイズするヌクレオチド配列とハイブリダイズするヌクレオチド配列を示す、順方向および逆方向プライマーのヌクレオチド配列からなるプライマーが、中程度の、特に中程度から高度の、特に高度のストリジェンシー条件下において、本発明の範囲内においてさらに使用され得る。
【０２５３】
特に、ハイブリダイゼーション反応は、５×ＳＳＰＥ、１％ＳＤＳ、１×デンハート液が溶液として使用され、および／またはハイブリダイゼーション温度が３５℃〜７０℃および７２℃以下、好ましくは６５℃である、高ストリジェンシー条件下で行われる。ハイハイブリダイゼーション後、洗浄が最初に２×ＳＳＣ、１％ＳＤＳを用いて、そしてその後０．２×ＳＳＣを用いて、３５℃〜７０℃、および７２℃以下、特に６５℃で行われる（ＳＳＰＥ、ＳＳＣおよびデンハート液の定義に関して、Sambrook他、loc. cit.を参照）。
【０２５４】
本発明の一つの形態において、本明細書において明確に開示されていないマーカー、もしくは未だ同定さえされていないマーカーが作製され、または使用されてもよい。本出願において提供される情報に基づいて、当業者は、明確に開示されていないが、前記ＱＴＬと連鎖している、または開示されたマーカーと連鎖しているマーカーを同定もしくは作製することができるだろう。当業者は、他のマーカーが、マーカー支援選択において少なくとも同等の有用性を提供し得ることを知っている。
【０２５５】
したがって、本発明はまた、本発明に従ってベミシアおよびアザミウマ抵抗性に寄与するＱＴＬを含む第３番染色体上および第５番染色体上のそれぞれにおけるＱＴＬ領域において連鎖不平衡にある、および／またはＱＴＬ領域と連鎖している、および／またはＱＴＬ領域に位置する分子マーカー、ならびにＱＴＬに内在する実際の原因となる変異を示すマーカーに関し、したがって、表現型形質と統計的相関を示し、そしてマーカーが、配列番号１〜１２および配列番号１３〜２６のそれぞれで開示されたようなオリゴヌクレオチドプライマーを使用することで作製され得る。
【０２５６】
ゲノム上のＱＴＬの位置を示す隣接遺伝子マーカーは主に任意であるか、または非制限である。一般的にＱＴＬの位置は、表現型形質と統計的相関を示すマーカーの隣接鎖によって示される。したがって、ＱＴＬの位置、およびＱＴＬの存在または非存在（ならびにそれに関する表現型）を当該ＱＴＬ領域内に位置する他のマーカーによって示すことは可能である。
【０２５７】
潜在的に有用であるマーカーの数は限定されるが、非常に多く存在し得、そして当業者は、本明細書において開示された追加のマーカーを容易に同定し得る。本出願において開示されている抵抗性と連鎖している任意のマーカーは、マーカー支援選択において使用され得る。
【０２５８】
したがって、代替的なマーカーは、当業者に既知の方法で作製され、そして量的形質遺伝子座もしくは本発明の、および本明細書において先に開示された遺伝子座の対立遺伝子または１セットの対立遺伝子を有する植物を同定および選択するために使用され得る。
【０２５９】
例えば、表１０および表１１のそれぞれに示される、配列番号１〜１２および配列番号１３〜２６で示されるヌクレオチド配列を示すプライマー対を使用したＰＣＲ増幅で得られた増幅産物のヌクレオチド配列は、当業者によって、および新規に決定されたＰＣＲ増幅産物のヌクレオチド配列に基づいて設計された新規プライマーまたはプライマー対によって得られる。さらに、本発明の、および本明細書において先に開示されたマーカーは、トウガラシまたは他の種、特にナス科の種の遺伝子地図上に置かれ得、そして同一またはホモログまたはオルソログ領域（複数）における既知のマーカー解析が、新規マーカーを作製するための出発点として使用され得る。
【０２６０】
表１０および表１１のそれぞれに示される、配列番号１〜１２および配列番号１３〜２６またはその一部で示されるヌクレオチド配列を示すプライマー対を使用したＰＣＲ増幅で得られた増幅産物のヌクレオチド配列はまた、ハイブリダイゼーションプローブとして、例えばＢＡＣライブラリーをスクリーニングするために、追加の連鎖したヌクレオチド配列を同定するために使用され得る。
【０２６１】
したがって、本発明中で具体的に開示されたマーカーはまた、対象ＱＴＬと関連する新規または追加のマーカーの同定および／または作製において使用され得、そしてそれは代わりにマーカー支援育種および／またはＱＴＬと隣接する組み換え体の調査、および／または精細マッピング、および／またはＱＴＬのクローニングに使用され得る。
【０２６２】
ＱＴＬ領域において連鎖不平衡にある、および／またはＱＴＬ領域と連鎖している、および／またはＱＴＬ領域に位置するマーカー、ならびにＱＴＬに内在する、実際に原因となる変異を示すマーカーを同定および／または作製するために使用され得る、利用可能な、当業者に既知の幾つかの方法または手法が存在する。完全に徹底的ではないが、当業者に既知の幾つかの手法は以下を含む：
−対象領域の他の配列を同定するためのハイブリダイゼーション手法における、開示された配列／マーカーの使用：本明細書において開示されたプライマー配列を使用することによって決定され得る、本明細書において開示されたプライマー配列、および／またはマーカー／遺伝子配列（またはその一部）は、遺伝子核酸試料、および／またはＲＮＡもしくはｃＤＮＡ試料、または試料のプールから、（例えばＢＡＣライブラリーのような遺伝子源のスクリーニングまたはｇＤＮＡもしくはｃＤＮＡライブラリースクリーニングから）マーカーと隣接している、および／またはＱＴＬ領域と連鎖している、および／またはＱＴＬ領域と関連している、および／またはＱＴＬ領域に特異的な核酸配列／遺伝子を単離する時に（ハイブリダイゼーション）プローブとして使用され得る。
−対象領域における他の配列を同定するための、ＰＣＲ手法における開示された配列／マーカーの使用：本明細書において開示されたプライマー配列、および／または開示されたプライマー配列を使用することによって決定され得るマーカー／（対象）遺伝子配列（またはその一部）は、ゲノム核酸試料由来の、および／またはＲＮＡもしくはｃＤＮＡ試料由来の、または特定の植物組織から、および／または植物の特定の処理の後に、およびカプシクムもしくは主に十分な相同性を有する任意の他の生命体から単離されるか、またはされないかのいずれかである試料のプール由来のＱＴＬ領域に隣接する、および／または連鎖した、および／または関連した、および／または特異的な核酸配列／遺伝子を増幅するために、（ＰＣＲ）増幅プライマーとして使用され得る。
−対象領域における他の配列を同定するためのＰＣＲ手法における、開示された配列／マーカーの使用：前記マーカー配列のための内部プライマーが、ＱＴＬ領域内にある、および／または前記形質と遺伝的に連鎖した、および／または関連した追加の隣接配列／遺伝子をさらに決定するために設計され、および使用され得る後に、一つ以上のマーカーのヌクレオチド配列／遺伝子が決定され得る。
−同一領域（複数）におけるマーカーを同定するための、マッピングおよび／または比較マッピング手法における開示された配列／マーカーの使用（他の地図におけるＱＴＬの位置決め）：本明細書において開示された位置情報および／またはマーカー情報に基づいて、任意の種類のマーカーは、遺伝子マッピング手法によって、最終的に（既に必要であるならば）（高密度）遺伝子地図（複数）および／または、統合遺伝子もしくはコンセンサス地図（複数）上の、（遺伝子マッピング、または地図上の共通マーカーに基づく外挿によって）開示されたマーカーの位置決めによって同定されてもよい。開示されたマーカーおよび／またはＱＴＬ領域の近傍に遺伝的に連鎖した、および／または位置付けられた既知のマーカーおよび／または新規のマーカーは、ＱＴＬ（精細）マッピング、および／またはＱＴＬクローニング、および／またはＭＡＳ育種適用で同定され、および／または獲得され、そして最終的に使用されてもよい。
−ＱＴＬ領域（複数）における追加の配列／マーカー／（対象）遺伝子を同定するための、「イン−シリコ」手法における開示された配列／マーカーの使用：本明細書において開示されたプライマー配列を使用して、または連鎖したマーカーに基づいて決定され得る、本明細書において開示されたプライマー配列、および／またはマーカー／（対象）遺伝子配列（あるいはその一部）は、本明細書において記載された形質と遺伝的に連鎖した、および／または関連した、および／または前記ＱＴＬ領域に位置付けられた、（追加の）隣接および／またはホモログ配列／遺伝子、および／または対立遺伝子の多様性、（両方の遺伝子および／またはｃＤＮＡ配列もしくはタンパク質、およびカプシクムおよび／または任意の他の生命体に由来する両方）のための配列またはタンパク質データベース（例えばＢＬＡＳＴ）を調べるために「イン−シリコ」法において使用されてもよい。
−物理的マッピング手法における開示された配列／マーカーの使用（物理的地図またはゲノム配列上のＱＴＬの位置決め）：本明細書において開示されたプライマー配列を使用して、あるいは本明細書において開示されたマーカーと遺伝的に連鎖した、および／またはＱＴＬ領域に位置された他のマーカーを使用して決定され得る、本明細書において開示されたプライマー配列、および／またはマーカー／遺伝子配列（またはその一部）は、物理的地図および／または、ＱＴＬ（精細マッピング）、および／またはＱＴＬクローニング、および／またはＭＡＳ育種適用に適用可能な（対象）配列／マーカー／遺伝子を同定するために十分な相同性を有する任意の生命体の主に（全）ゲノム配列に基づいて位置決めされてもよい。
−他の（物理的）地図またはゲノム上に位置する開示された配列／マーカーの使用（種に関して、トウガラシの他に、トマトおよびジャガイモのような他のナス科植物が無論、非常に興味深いが、シロイヌナズナのようなモデル種が使用され得る）：
本明細書において開示されたプライマー配列を使用して決定され得る、本明細書において開示されたプライマー配列、および／またはマーカー／遺伝子配列（またはその一部）は、ＱＴＬ領域中に遺伝的に連鎖している、および／または位置付けられている、ならびにＱＴＬ（精細マッピング）、および／またはＱＴＬクローニング、および／またはＭＡＳ育種適用に適用可能であるホモログ領域、ならびにホモログおよび／またはオルソログ配列／（対象）遺伝子を同定するために、比較ゲノムもしくはシンテニー（syntheny）マッピング手法において使用されてもよい。
−対象領域におけるマーカーの同定を遺伝的手法によって行うことができる好適な個体を選択するための、開示された配列／マーカーの使用：本明細書において開示されたプライマー配列および／またはマーカーは、例えば遺伝的関連手法、および／またはバルク分離解析（ＢＳＡ、Ｍｉｃｈｅｉｍｏｒｅ他，１９９１）において、特定の対象となる、および／または記載された形質と関連のある、もしくは遺伝的に連鎖した領域（ＱＴＬ領域）におけるマーカー／遺伝子を同定するために使用され得る、異なる／対照的なＱＴＬ対立遺伝子を有する個体を選択するために使用されてもよい。
−（位置的）対象遺伝子を探索するための、開示された情報の使用：開示された情報は、記載された形質と関連づけられ、および／または遺伝的に連鎖し得る位置的および／または機能的対象遺伝子を同定するために使用されてもよい。
【０２６３】
一つの実施形態において、したがって本発明は、第３番染色体上に位置し、ベミシア抵抗性に寄与する少なくとも一つのＱＴＬを含むゲノムを含む、栽培されたカプシクム・アンナム植物に関し、ここで前記少なくとも一つのＱＴＬは、表現型形質と統計的相関を示す分子マーカーによって同定されることができ、当該マーカーは当技術分野において既知の方法によって前記ＱＴＬを含むＤＮＡ断片から作製されることができ、当該断片は株０６１Ｍ４３８７の遺伝的背景を有する植物から、特に株０６１Ｍ４３８７のＱＴＬにおいて遺伝的背景または遺伝構造を有する植物から、しかし特に受入番号ＮＣＩＭＢ４１４２８でＮＣＩＭＢに寄託された代表的な種子である株０６１Ｍ４３８７の植物から、あるいは前記ＱＴＬを含むその子孫または先祖から得られ、そして少なくとも一つのマーカー遺伝子座によって、特に少なくとも２つのマーカー遺伝子座によって、より特に少なくとも３つのマーカー遺伝子座によって、およびさらにより特に少なくとも４つのマーカー遺伝子座によって、しかし特に少なくとも５つおよび６つ以下のマーカー遺伝子座によって定義され、当該マーカー遺伝子座は第３番染色体上に存在し、ベミシア抵抗性形質と共に分離され、そして一つのＰＣＲオリゴヌクレオチドプライマー、または配列番号１の順方向プライマーおよび配列番号２の逆方向プライマーによって表される、マーカー遺伝子座１を同定するプライマー対１；配列番号３の順方向プライマーおよび配列番号４の逆方向プライマーによって表される、マーカー遺伝子座２を同定するプライマー対２；配列番号５の順方向プライマーおよび配列番号６の逆方向プライマーによって表される、マーカー遺伝子座３を同定するプライマー対３；配列番号７の順方向プライマーおよび配列番号８の逆方向プライマーによって表される、マーカー遺伝子座４を同定するプライマー対４；配列番号９の順方向プライマーおよび配列番号１０の逆方向プライマーによって表される、マーカー遺伝子座５を同定するプライマー対５；ならびに配列番号１１の順方向プライマーおよび配列番号１２の逆方向プライマーによって表される、マーカー遺伝子座６を同定するプライマー対６の群から選択される一対のＰＣＲオリゴヌクレオチドプライマーによって同定され得る。
【０２６４】
一つの実施形態において、第３番および第５番染色体上に位置し、ベミシア抵抗性に寄与する少なくとも２つのＱＴＬを含むゲノムを含む、栽培されたカプシクム・アンナム植物に関し、ここで前記少なくとも２つのＱＴＬは、表現型形質と統計的相関を示す分子マーカーによって同定されることができ、当該マーカーは当技術分野において既知の方法によって前記ＱＴＬを含むＤＮＡ断片から作製されることができ、当該断片は株０６１Ｍ４３８７の遺伝的背景を有する植物から、特に株０６１Ｍ４３８７のＱＴＬにおいて遺伝的背景または遺伝構造を有する植物から、しかし特に受入番号ＮＣＩＭＢ４１４２８でＮＣＩＭＢに寄託された代表的な種子である株０６１Ｍ４３８７の植物から、あるいは前記ＱＴＬを含むその子孫または先祖から得られ、第一のＱＴＬはドナー植物における第３番染色体上に位置し、そして遺伝的に少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座と連鎖され、当該マーカー遺伝子座は第３番染色体上に存在し、ベミシア抵抗性形質と共に分離され、そして配列番号１〜１２で示される一対のＰＣＲオリゴヌクレオチドプライマー１〜６によって同定され、そして第二のＱＴＬはドナー植物における第５番染色体上に位置し、そして遺伝的に少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座と、および７つ以下のマーカー遺伝子座と連鎖され、当該マーカー遺伝子座は第５番染色体上に存在し、ベミシア抵抗性形質と共に分離され、そして配列番号１３〜２６で示されるプライマー対７〜１３の群から選択される一対のＰＣＲオリゴヌクレオチドプライマーによって同定され得る。
【０２６５】
一つの実施形態において、したがって本発明は、第５番染色体上に位置し、アザミウマ抵抗性に寄与する少なくとも一つのＱＴＬを含むゲノムを含む、栽培されたカプシクム・アンナム植物に関し、ここで前記少なくとも一つのＱＴＬは、表現型形質と統計的相関を示す分子マーカーによって同定されることができ、当該マーカーは当技術分野において既知の方法によって前記ＱＴＬを含むＤＮＡ断片から作製されることができ、当該断片は株０６１Ｍ４３８７の遺伝的背景を有する植物から、特に株０６１Ｍ４３８７のＱＴＬにおいて遺伝的背景または遺伝構造を有する植物から、しかし特に受入番号ＮＣＩＭＢ４１４２８でＮＣＩＭＢに寄託された代表的な種子である株０６１Ｍ４３８７の植物から、あるいは前記ＱＴＬを含むその子孫または先祖から得られ、そして少なくとも一つのマーカー遺伝子座によって、特に少なくとも２つのマーカー遺伝子座によって、より特に少なくとも３つのマーカー遺伝子座によって、およびさらにより特に少なくとも４つのマーカー遺伝子座によって、しかし特に少なくとも５つおよび６つ以下のマーカー遺伝子座によって定義され、当該マーカー遺伝子座は第３番染色体上に存在し、ベミシア抵抗性形質と共に分離され、そして一つのＰＣＲオリゴヌクレオチドプライマー、または
配列番号１３の順方向プライマーおよび配列番号１４の逆方向プライマーによって表される、マーカー遺伝子座７を同定するプライマー対７；配列番号１５の順方向プライマーおよび配列番号１６の逆方向プライマーによって表される、マーカー遺伝子座８を同定するプライマー対８；配列番号１７の順方向プライマーおよび配列番号１８の逆方向プライマーによって表される、マーカー遺伝子座９を同定するプライマー対９；配列番号１９の順方向プライマーおよび配列番号２０の逆方向プライマーによって表される、マーカー遺伝子座１０を同定するプライマー対１０；配列番号２１の順方向プライマーおよび配列番号２２の逆方向プライマーによって表される、マーカー遺伝子座１１を同定するプライマー対１１；配列番号２３の順方向プライマーおよび配列番号２４の逆方向プライマーによって表される、マーカー遺伝子座１２を同定するプライマー対１２；ならびに配列番号２５の順方向プライマーおよび配列番号２６の逆方向プライマーによって表される、マーカー遺伝子座１３を同定するプライマー対１３の群から選択される、一対のＰＣＲオリゴヌクレオチドプライマーによって同定され得る。
【０２６６】
一つの実施形態において、第３番および第５番染色体上に位置し、アザミウマ抵抗性に寄与する少なくとも２つのＱＴＬを含むゲノムを含む、栽培されたカプシクム・アンナム植物に関し、ここで前記少なくとも２つのＱＴＬは、表現型形質と統計的相関を示す分子マーカーによって同定されることができ、当該マーカーは当技術分野において既知の方法によって前記ＱＴＬを含むＤＮＡ断片から作製されることができ、当該断片は株０６１Ｍ４３８７の遺伝的背景を有する植物から、特に株０６１Ｍ４３８７のＱＴＬにおいて遺伝的背景または遺伝構造を有する植物から、しかし特に受入番号ＮＣＩＭＢ４１４２８でＮＣＩＭＢに寄託された代表的な種子である株０６１Ｍ４３８７の植物から、あるいは前記ＱＴＬを含むその子孫または先祖から得られ、第一のＱＴＬはドナー植物における第３番染色体上に位置し、そして遺伝的に少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座と連鎖され、当該マーカー遺伝子座は第３番染色体上に存在し、ベミシア抵抗性形質と共に分離され、そして配列番号１〜１２で示される一対のＰＣＲオリゴヌクレオチドプライマー１〜６によって同定され、そして第二のＱＴＬはドナー植物における第５番染色体上に位置し、そして遺伝的に少なくとも１つのマーカー遺伝子座と、特に少なくとも２つのマーカー遺伝子座と、特に少なくとも３つのマーカー遺伝子座と、および特に少なくとも４つのマーカー遺伝子座と、特に少なくとも５つのマーカー遺伝子座と、特に少なくとも６つのマーカー遺伝子座と、および７つ以下のマーカー遺伝子座と連鎖され、当該マーカー遺伝子座は第５番染色体上に存在し、ベミシアおよび／またはアザミウマ抵抗性形質と共に分離され、そして配列番号１３〜２６で示されるプライマー対７〜１３の群から選択される一対のＰＣＲオリゴヌクレオチドプライマーによって同定され得る。
【０２６７】
本発明のマーカーは、ＱＴＬを有する、もしくは有さない植物が検出されるマーカー支援選択および／または任意の他の方法において使用されてもよい。当該マーカーは、トランスまたはシスマーカーのいずれかであってもよい。トランスマーカーは、外因性（ドナー）ＤＮＡの、レシピエントゲノムへの遺伝子移入から生じる多型を示し、当該多型はレシピエントゲノムとシスで連鎖し、すなわち反対の対立遺伝子と連鎖する。したがって、シスマーカーは、対象対立遺伝子（好ましくはドナー由来のＱＴＬ対立遺伝子）と連鎖しており、一方トランスマーカーは（レシピエント由来の）反対側の対立遺伝子と連鎖している。
【０２６８】
近交系の有用性、および雑種子孫に遺伝的に寄与する潜在性を決定するために、試験交配が別の近交系と共に行なわれ、そして生じる子孫が表現型的に評価される。共通して記録され得る形質は、果実の形状および果実の特性、例えば先のとがった、もしくはとがっていない果実、辛味のある、もしくは無い、赤色、黄色もしくは橙色、に関連する形質に関する。接間の長さ、生長力、および分岐のような植物の特性はまた、特定の植物抵抗性、例えばＴＭＶ（タバコモザイクウィルス）およびＴＳＷＶ（トマト黄化壊疽ウイルス）と共に考えられる。
【０２６９】
遺伝子型同定のために、ＱＴＬマッピングまたは関連マッピングＤＮＡは、好適な植物材料、例えば、葉組織から抽出される。特に、多数の植物の葉の大部分が集められる。ＤＮＡ試料は、全トウガラシゲノムに及ぶ複数の多型ＳＳＲ’ｓ、ＳＮＰ、または任意の他の好適なマーカー型を使用して遺伝子同定される。
【０２７０】
遺伝子型および表現型データの共同解析が、標準的なソフトウェア、例えばソフトウェアQTL Cartographer、PlabQTLを使用して行われ得る。植物導入および遺伝資源は、第３番染色体および第５番染色体のそれぞれに位置することが知られている、前記ＱＴＬまたは任意の他のマーカーと連鎖したマーカー遺伝子座（複数）におけるマーカー（複数）のヌクレオチド配列（複数）、ならびに当該対立遺伝子座（複数）の分子量に基づいて、本明細書に開示された、または当業者に既知の一つ以上の技術を使用して、表１０および表１１のそれぞれに開示された対応するＱＴＬにおける対立遺伝子のために検査された。
【０２７１】
本発明のマーカーまたはＱＴＬと連鎖した、開示されたマーカーの核酸配列は、当業者に既知の方法によって決定されてもよい。例えば、前記ＱＴＬまたはその抵抗性を付与する部分を含む核酸配列は、前記植物のゲノムを断片化することによって、および前記ＱＴＬを示す一つ以上のマーカーを宿すそれらの断片を選択することによって、ベミシア／アザミウマ抵抗性ドナー植物から単離されてもよい。次に、または代わりに、前記植物から得られるゲノム核酸試料またはゲノム断片由来の前記ＱＴＬを含む（一つの）核酸配列（複数）を増幅するために、前記ＱＴＬを示すマーカー配列（またはその部分）は、（ＰＣＲ）増幅プライマーとして使用されてもよい。その中に含まれる、ＱＴＬおよび／または任意の追加のマーカーのヌクレオチド配列は、標準的なシークエンシング法によって得られても良い。
【０２７２】
したがって本発明はまた、本発明のＱＴＬを含む単離された核酸（ＤＮＡに限定されないが、好ましくはＤＮＡ）配列、またはそのベミシア／アザミウマ抵抗性を付与する部分に関する。したがって開示されたマーカーは、ベミシア／アザミウマ抵抗性と連鎖しているか、またはコードしている、トウガラシまたは他の野菜作物、特にナス科作物由来の一つ以上のマーカーまたは遺伝子の同定および単離のために使用されてもよい。
【０２７３】
本発明の追加の連鎖されたマーカーまたはＱＴＬのヌクレオチド配列はまた、例えばＱＴＬと関わりのある一つ以上のマーカーのヌクレオチド配列を決定することによって、およびその後、前記マーカー配列の外側の配列をさらに決定するために使用されてもよい前記マーカー配列のためのプライマーを設計することによって決定されてもよい。例えば、本明細書において開示されたＳＳＲマーカー、あるいはＱＴＬ領域中で予測された、および／またはＱＴＬと連鎖した任意の他のマーカーのヌクレオチド配列は、前記マーカーのＰＣＲ増幅産物を当技術分野で周知であるシークエンシングを行なうことによって、あるいは代替的に、非限定の例だが、ＢＡＣスクリーニングによって連鎖したヌクレオチド配列を同定するためにＰＣＲにおけるマーカー配列を使用することによって、またはハイブリダイゼーション・プローブとして使用することによって得られても良い。
【実施例】
【０２７４】
以下の実施例は実例となる実施形態を提供する。本発明の開示および当技術分野における技術の一般的水準を考慮して、当業者は、以下の実施例が単なる例示あることが意図されており、そして多くの変化、修飾および変更は、本明細書において特許請求の範囲に記載された主題から離れることなく行なわれることを理解するだろう。
【０２７５】
実施例１：トウガラシの育種、株０６１Ｍ４３８７の育種過程
好適な生長条件と組み合わせて、下の実施例２において記載された定量的バイオアッセイを使用して、野生のカプシクム・アンナム系統を、ベミシア・タバシおよびアザミウマの被害に対する抵抗性源として同定した。受入番号：ＣＧＮ１６９７５、および系統名：ＡＣ１９７９で受入された本野生系統の種子を、Instituut voor de Veredeling van Tuinbouwgewassen (現在: Centre for Genetic Resources)、ワーゲンニンゲン、オランダから得た。ベミシアおよびアザミウマ抵抗性に関して分離する群を、ドナーのトウガラシ植物を感受性のレシピエントのトウガラシ植物と交配することによって創出した。全体で３３３個のＤＨ株からなる分離群を、ベミシアおよびアザミウマ抵抗性に寄与する一つ以上のＱＴＬの同定のために創出した。
【０２７６】
最初の抵抗源である野生系統ＣＧＮ１６９７５を、ウェストランド（オランダ）において選択されたシンジェンタのダッチ・インブレッドと交配した。本交配のＦ３世代は、アルメリア（スペイン）のコナジラミに対して抵抗性、特に中程度の抵抗性があると同定された（視覚的観察）。
【０２７７】
（ＢＣ１）交配をその後、前段落で言及したＦ３とアルメリアで開発されたシンジェンタ系列との間で行なった。本交配の子孫は、コナジラミおよびアザミウマに対して抵抗性、特に中程度の抵抗性があると同定され（アガディール−モロッコにおいて；アザミウマ−視覚的観察）、そして次の交配のために使用された（ＢＣ２）。
【０２７８】
ＢＣ２を、アルメリア（スペイン）で開発されたシンジェンタ・二ゲノム性半数体系列を用いて製造した。本交配のＦ２における植物系統群から、幾つかの（＝３３３個）二ゲノム性半数体が、コナジラミおよびアザミウマに対する抵抗性形質の遺伝を特徴付けるために開発された。それらの中において、受入番号ＮＣＩＭＢ４１４２８でＮＣＩＭＢに寄託された株０６１Ｍ４３８７は、ベミシア・タバシおよびアザミウマの被害に対して中程度の抵抗性を有することが示された。
【０２７９】
実施例２：抵抗性アッセイ
２Ａ  ベミシア抵抗性−試験手順
２Ａ．１  植物の生長
標準的手順に従って、植物を植え付け、そして生長させ、特に植物を、例えばｐＨ６．５〜７．５の、十分に水分を抜かれたもろい土で満たされた７７個のマルチトレイ（４．２×４．２×５．９ｃｍのマルチポット）中に植え付け、そして穴中で約１月間生長させた。当該植物は、ＥＣ２のＮ  ４．０−６．０、Ｐ  ０．３５−１．０、Ｋ  ４．０−６．０を用いて発育を促された。
【０２８０】
当該植物を特別な設計（以下参照）に従って形質転換し、そして標準的手順に従って栽培した。植物を栽培している間、植物は通常、ベミシア以外の寄生虫に対して守られる必要がある。化学的処理を、ベミシア個体群の成長には大きな影響のない殺虫剤を用いて行なった。
【０２８１】
２Ａ．２  昆虫養殖および接種
ベミシア個体群の安定かつ一定の発達を確保し、そしてよりストリンジェントな試験条件を得るために、ベミシアを用いた植物への早期の接種が行なわれた。このために、トウガラシ作物が標準的条件化で生長する、分離した小さいプラスチック製の温室を使用した。天然に存在するベミシア個体群が、試験材料に接種するために使用された。
【０２８２】
二つの方法を、接種のために使用することができる：
１）捕捉植物としてのカボチャの使用。２〜３週齢のカボチャの苗を、小さいプラスチック製の温室中、ベミシア養殖と共に４〜６時間置いた。ベミシアの成虫は、カボチャを非常に好むため、それらは速やかにカボチャの苗へ飛んでいくだろう。ベミシアの成虫を有するカボチャ植物はその後、プラスチック製のバッグを用いて注意深く育てられ、そして実験用の穴へ移され、そして均一に植物へ放出された。接種は、植え付け後約１０日で開始し、そして必要に応じて１〜２週間継続され得る。
２）トレイ中で生長した若いトウガラシを、植え付け前に４〜５日間、小さいプラスチック製の温室中に、ベミシアの成虫が当該若い植物に卵を産むことができるように、ベミシア養殖と共に置かれた。この後、当該植物は、より広い２つの穴へと植えつけられ得る。
【０２８３】
２Ａ．３  実験設計
アガディールにおける広い二つの穴は、８つの作条の、各々約２×１５０個の植物と共に使用され、各々の作条の一つの側はスプレッダー作条として使用され、そして感受性のエントリー（既存のＦ１、例えばＢｉｋｆｎｇｏ  Ｆ１、もしくはＶｅｒｇａｓａ  Ｆ１、または感受性の親の系）を植えられた。他方の側の作条は、試験エントリーを植えられた。試験エントリーは、１ブロックあたり１つ以上の植物／エントリーである、少なくとも７ブロックの各々において完全にランダム化された。
【０２８４】
２Ａ．４  データ回収
ベミシアの発達は、スプレッダー作条において毎週、または隔週で、各々の作条において等距離の場所に存在する、５つのスプレッダー作条の植物（植物１、３８、７５、１１２、１５０）を評価することによって観測された。観測されたスプレッダー植物の平均的な被害が約４（表１）である時、通常、最初の果実が成熟している時（移植後３〜４カ月）に最終的な評価がなされた。
【０２８５】
重症度を評価するために、１〜９のスケールを使用した（表１）。植物の葉の背軸面を検査し、そして約５つの最もひどく影響を受けた葉の平均を、１〜９のスケールに従って評価した。全ての試験植物をこのようにして採点した。
【０２８６】
【表１】
2010526529.tif 000002
【０２８７】
２Ａ．５  データ分析
試験エントリーあたりの平均値を計算することによって、および感受性エントリー（例えば感受性のスプレッダー作条またはその他）と比較することによって、データを分析した。平均値の複数の比較（例えばＬＳＤ）は、試験エントリーが相互に、および感受性対照と異なるか否かを示す。
【０２８８】
２Ａ．６  結果
２Ａ．６．１  抵抗性試験
表２は、アガディール（モロッコ）における、寄託された株０６１Ｍ４３８７（ＱＴＬ１（本明細書において第３番染色体上のＱＴＬのこと）およびＱＴＬ２（本明細書において、第５番染色体上のＱＴＬのこと）を含む。実施例３を参照）、２つのその先祖、および抵抗性ドナーにおける、ベミシアのスクリーニングの幾つかの結果を示す。育種過程は、実施例１において説明された。寄託された株０６１Ｍ４３８７は、種々の昆虫圧、季節および条件下において、標準的な感受性種または株と比較して、非常に優れていることが明らかとなった。
【０２８９】
【表２】
2010526529.tif 000003
【０２９０】
２Ａ．６．２  抵抗性に関連するＱＴＬの同定
表３は、抵抗性に関与するＱＴＬの同定の目的のために、ＢＣ２Ｆ２から開発された１セットの３３個のＤＨ株をスクリーニングした結果を示す（実施例１および３を参照）。２つの試験をＤＨ株で行なった：試験１は、２００５年春に植えられ、そして８月に採点され、第二の試験は２００５年９月に植えられ、そして１１月に採点された。８月における平均的な被害は、１１月と比較して低かった（表３）。１１月の試験において、温室における幾つかの場所は、非常に高い昆虫圧を有し、結果として信頼できる表現型を獲得することができなかった。それらの場所は、したがって、分析から排除された。
【０２９１】
２つのＱＴＬを同定した（実施例３参照）。第３番染色体上のＱＴＬ（ＱＴＬ１）は、最も大きなＬＯＤ値を有し（５０以下）、第５番染色体上のＱＴＬ（ＱＴＬ２）は、より小さなＬＯＤ値を有した（５以下）。
【０２９２】
隣接マーカーに基づいて、ＱＴＬを有さない６９個のＤＨ株を同定し、５７個のＤＨ株はＱＴＬ１のみを有し、３８個のＤＨ株はＱＴＬ２のみを有し、そして６３個のＤＨ株はＱＴＬ１およびＱＴＬ２の両方を有していた。
【０２９３】
ＱＴＬ１の効果は、両方の試験において重要であり、そして８月における試験では１．３スケール単位と見積もられ、そして１１月における試験では１．９スケール単位と見積もられた（表３）。８月におけるより低い被害のために、多くの株が、株間における差異をできる限り最小化する上限に達する７〜８点を記録した。１１月の試験において、株間の差異はより高い被害レベルのために、より大きくなった。ＱＴＬ２の効果は、８月の試験において、より顕著であった。
【０２９４】
【表３】
2010526529.tif 000004
【０２９５】
２Ａ．６．３  ５ＢＣ３系統群におけるＱＴＬ１の効果の試験
異なる背景の系統群におけるＱＴＬの効果を見積もるために、５つのＢＣ３のものが、５つの異なるＢＣ−親、およびＱＴＬ１を含む誘導体抵抗性系列を用いて作製された。これらのＢＣ３のもの由来の５５６個のＤＨ株が、ＱＴＬ１のために遺伝子型の同定がなされ、そしてアガディールにおいて（２００７年２月、表４）、先に記載されたものと同一の条件下、遺伝子型決定された。ＱＴＬ１の効果は、異なる系統群において１．８〜２．３スケール単位と見積もられ、ＱＴＬ１の重要な効果を裏付けた（要因の分散分析（Ｔｗｏ−ｗａｙ  ＡＮＯＶＡ）、平均平方ＱＴＬ１＝５２１．３、Ｆ＝６９８．７、Ｐ＜０．００１、系統群とＱＴＬ１間において相互作用は存在しなかった）。
【０２９６】
【表４】
2010526529.tif 000005
【０２９７】
２Ａ．６．４  ドナーのＣＧＮ１６９７５と２つの優良なトウガラシ系列との交差由来の、１セットの６０個のＤＨ株における、ベミシアによる損傷に対するＱＴＬ１および２の効果の試験
抵抗性の初期源である、野生系統ＣＧＮ１６９７５は、２つの優良系列（ＡおよびＢ）と交差された。これら２つのＦ１から、総計６０個の二ゲノム性半数体が得られた（株Ａからは３４個、および株Ｂから２６個）。５８個のこれらの株は、ベミシア抵抗性に関して大部分が２回試験された。
【０２９８】
【表５】
2010526529.tif 000006
【０２９９】
これらの系統群において、ＱＴＬ１の効果は約１．９スケール単位と見積もられ、そしてＱＴＬ２の効果が１．１スケール単位と見積もられた。
【０３００】
２Ｂ アザミウマ抵抗性−試験手順
２Ｂ．１  植物の生長
植物を標準的な泥炭土に植え付け、そして１４日後に７×７×８×ｃｍのポットへ移植した。植物を、温室中で、２０°Ｃ／１８°Ｃ、および１６時間／８時間、日／夜で生長させた。植え付け後約１月で、植物は、アザミウマがケージから離れるのを防ぐため、ナイロン・メッシュ（０．０７×０．２７ｍｍ）で覆われた１×１×１ｍのケージへ移植された。これを、高い昆虫圧を確保するために１週間後に繰り返した。第一の接種の後３〜４週で、観察を行なった。
【０３０１】
２Ｂ．２  昆虫養殖および接種
アザミウマの生存可能な養殖を維持し、そして抵抗性実験のために使用した。当該養殖から４００〜５００匹のアザミウマの（成虫と幼虫の両方を含めて）が、標準的な昆虫吸引装置で回収された。アザミウマのバイアルは、その後試験ケージ中に放出された。接種の後、温度を連続的に２４度へと上げた（日／夜）。
【０３０２】
２Ｂ．３  実験設計
各々のケージ中に、１つ以上の抵抗性対照（好ましくはＣＧＮ１６９７５）および１つ以上の感受性対照（例えば、Ｒｏｘｙ  Ｆ１、および／またはＳｎｏｏｋｅｒ  Ｆ１）を置いた。全体で５７個の植物を単一のケージ中に置き得る。植物（対照植物を含む）を、各々のケージにおいてランダム化された。ベミシアのために試験されるＤＨ株（上の実施例１を参照）を、アザミウマ抵抗性のために、同様に試験した。１系列あたり（最大で）１２個の植物を有する、全体で３３３個のＤＨ株を試験するために、７つの連続的な実験を行なった。
【０３０３】
２Ｂ．４  データ回収
最終的な評価を、感受性対照植物の平均的な被害が３〜４であるときに行なわれた（表６）。通常、これは接種後３〜４週間で達せられる。
【０３０４】
シルバリングの損傷を評価するために、１〜９のスケールを使用した（表６）。植物の葉の背軸面を検査し、そして約２〜３個の最もひどく影響を受けた葉の平均を、１〜９のスケールに従って評価した。全ての試験植物をこのようにして採点した。
【０３０５】
【表６】
2010526529.tif 000007
【０３０６】
２Ｂ．５  データ分析
試験エントリーあたりの平均値を計算することによって、および感受性エントリー（例えば、Ｒｏｘｙ  Ｆ１、および／またはＳｎｏｏｋｅｒ  Ｆ１）と比較することによって、データを分析した。平均値の複数の比較（例えばＬＳＤ）は、試験エントリーが相互に、および感受性対照と異なるか否かを示す。
【０３０７】
２Ｂ．６  結果
２Ｂ．６．１  抵抗性試験
表７は、例として、ＣＧＮ１６９７５、２つの感受性対照（Ｒｏｘｙ  Ｆ１、Ｓｎｏｏｋｅｒ  Ｆ１）、ならびに０６１Ｍ４３８７ＱＴＬ１およびＱＴＬ２を有する寄託された株０６１Ｍ４３８７の結果を示す。それぞれ約１２個の植物／エントリーである、３つの独立した試験の平均が示される。寄託された株は、２つの感受性対照系列であるＳｎｏｏｋｅｒ  Ｆ１、およびＲｏｘｙ  Ｆ１と比較して著しく少なく、しかしドナーであるＣＧＮ１６９７５と比較してより多くのシルバリングを示した。これは、寄託された株が、標準的な種類と比較して抵抗性レベルが上昇していることを示す。
【０３０８】
【表７】
2010526529.tif 000008
【０３０９】
２Ｂ．６．２  アザミウマ抵抗性に関連するＱＴＬの同定
３３３個のＤＨ株（実施例１を参照）におけるＱＴＬ分析（実施例３を参照）は、第５番染色体上のＱＴＬが１２以下のＬＯＤ値を有することを明らかにした。本ＱＴＬは、ベミシアのＱＴＬマッピング（実施例２Ａ．６を参照）において同定されたＱＴＬ２と同一の領域に位置した。第５番染色体上に存在するベミシアのＱＴＬ、およびアザミウマのＱＴＬは、同一の染色体領域に位置する。それは、ベミシアおよびアザミウマの両方に対して、あるいは２つの連鎖したＱＴＬに対して効果を有する単一のＱＴＬであり得る。
【０３１０】
２Ｂ．６．３  ＢＣ２Ｆ２から開発された１セットの３３３個のＤＨ株におけるアザミウマの損傷に対するＱＴＬ２の効果の試験
アザミウマＱＴＬの効果を、大きい３３３個のＤＨセットに基づいてベミシアでなされたのと同様に見積もった（２Ａ．６を参照）。ＱＴＬは、約０．８スケール単位の著しい効果を示した（表８）。
【０３１１】
【表８】
2010526529.tif 000009
【０３１２】
２Ｂ．６．４  ドナーのＣＧＮ１６９７５と２つの優良なトウガラシ系列との交差由来の、１セットの６０個のＤＨ株における、アザミウマによる損傷に対するＱＴＬ２の効果の試験
２つの優良系列（ＡおよびＢ、セクション２Ａ．６．４を参照）と交配された受入番号ＣＧＮ１６９７５由来の、６０個のＤＨ株と同一セットの５３個のＤＨ株は、アザミウマに２回さらされ、そしてＱＴＬ２の存在が調べられた。
【０３１３】
ＱＴＬは、２Ｂ．６．３に記載された大きい３３３個のＤＨのセット（表８）におけるものと同等のレベルである、１．０スケール単位の著しい効果を示した（表９）。
【０３１４】
【表９】
2010526529.tif 000010
【０３１５】
実施例３：ＱＴＬマッピング
３．１ ベミシア抵抗性のためのＱＴＬマッピング
上の実施例２Ａで記載された定量的バイオアッセイを使用して、好適な生長条件と組み合わせて、ベミシアに対する抵抗性源を同定した。ベミシア抵抗性に関して分離する群を、ドナーのトウガラシ植物を感受性のレシピエントのトウガラシ植物と交配することによって創出した。全体で３３３個のＤＨ株からなる分離群を、ベミシア抵抗性に寄与するＱＴＬの同定のために創出した。ＤＮＡを、標準的な手順に従って、個体群の各々のＤＨ株および親植物の８個体の植物の葉のプールから抽出した。親間に多型が存在するＳＳＲを同定するために、数百のＳＳＲを使用して個体群の親をスクリーニングした。その後、同定された多型ＳＳＲマーカーを使用して、ＤＨ個体群の遺伝子型同定を行った。得られた分離データに基づいて、一般的に使用されるソフトウェアであるマップメイカー（Ｍａｐｍａｋｅｒ）およびジョインマップ（Ｊｏｉｎｍａｐ）を使用して、分子マーカー地図を準備した。
【０３１６】
ＱＴＬマッピング、すなわち、遺伝子型および表現型のジョイント分析を、ＱＴＬ Ｃａｒｔｏｇｒａｐｈｅｒソフトウェアを使用して行った。ベミシア抵抗性に関与していることが実証されている、第３番染色体上にあるＱＴＬを含む異なる染色体上に位置するＱＴＬを同定した。遺伝子地図上に位置するマーカー、およびＱＴＬ領域に位置することが知られているマーカーのマーカー対立遺伝子を使用して、ＱＴＬを特徴付けた。それにより、一つの／複数の抵抗性を付与するＤＮＡ配列の位置が確定される。ベミシア抵抗性に関連するＱＴＬ、すなわち隣接マーカーおよびＱＴＬ領域中に位置するマーカーの詳細を、表１０に示す。
【０３１７】
３．２ アザミウマ抵抗性のためのＱＴＬマッピング
上の実施例３．１に記載された同定手法を、アザミウマ抵抗性に関連するＱＴＬをマッピングするためにおこなった。
【０３１８】
アザミウマ抵抗性に関連することが実証されたＱＴＬは、第５番染色体上において同定された。遺伝子地図上に位置するマーカー、およびＱＴＬ領域に位置することが知られているマーカーのマーカー対立遺伝子を使用して、ＱＴＬを特徴付けた。それにより、一つの／複数の抵抗性を付与するＤＮＡ配列の位置が確定される。アザミウマ抵抗性に関連するＱＴＬ、すなわち隣接マーカーおよびＱＴＬ領域中に位置するマーカーの詳細を、表１１に示す。
【０３１９】
【表１０】
2010526529.tif 000011
【０３２０】
【表１１】
2010526529.tif 000012
【０３２１】
寄託
出願人は、カプシクム・アンナムの株０６１Ｍ４３８７の少なくとも２５００個の種子を、ＮＣＩＭＢ  Ｌｔｄ，Ｆｅｒｇｕｓｏｎ  Ｂｕｉｌｄｉｎｇ，Ｃｒａｉｂｓｔｏｎｅ  Ｅｓｔａｔｅ，Ｂｕｃｋｓｂｕｒｎ，Ａｂｅｒｄｅｅｎ，ＡＢ２１  ９ＹＡ,  スコットランドに、受入番号ＮＣＩＭＢ４１４２８で、２００６年８月１０日の有効日に寄託を行った。
【０３２２】
前記発明は、明確化および理解のために、図および例を用いて詳細に記載された。しかし、例えば単一の遺伝子修飾および変異、ソマクローナル変異体、即時的近交系の植物の大集団から選択される変異体個体などの特定の変化および修飾は、添付の特許請求の範囲によってのみに限定された本発明の範囲内で行われてもよいことは明らかであるだろう。したがって、前記の発明は本書類中において幾らか詳細に記載されたが、変化および修飾は添付の特許請求の範囲によってのみに限定された本発明の範囲内で行われてもよいことは明らかであるだろう。
【０３２３】
本明細書において記載された全ての参照は、本出願中に完全に参照により組み込まれる。
【配列表】
2010526529000001.app
【国際調査報告】
2010526529.tif 000013
2010526529.tif 000014